(57)【要約】  本発明の移動体通信システムでは、ＵＥが無線通信可能か否かの検出処理を行う対象となるセルの集合として、ＲＲＭメジャメントセット１４０１を設定する。ＲＲＭメジャメントセット１４０１内のセルのうち、ＵＥが、協調通信（ＣｏＭＰ通信）可能か否かの検出処理を行う候補となるセルの集合として、ＣｏＭＰメジャメントセット１４０２を設定する。ＣｏＭＰメジャメントセット１４０２内のセルのうち、ＵＥがＣｏＭＰ通信可能か否かの検出処理を行う対象となるセルの集合として、ＣｏＭＰアクティブセット１６０１を設定する。
2013111818.tif 000002
【特許請求の範囲】
【請求項１】
移動可能な移動端末装置と無線通信可能な複数のセルが運用される移動体通信システムであって、
前記複数のセルは、他のセルと協調して前記移動端末装置と無線通信を行う協調通信可能なセルを含み、
前記複数のセルのうち、前記移動端末装置を制御するサービングセルは、前記移動端末装置が、無線通信可能か否かの検出処理を行う対象となるセルの集合である検出対象セルセットを設定し、設定した前記検出対象セルセットを前記移動端末装置に通知し、
前記協調通信を調整する調整手段を備え、
前記調整手段は、前記検出対象セルセット内のセルのうち、前記移動端末装置が、前記協調通信可能か否かの検出処理を行う候補となるセルの集合である協調可能セルセットと、前記協調可能セルセット内のセルのうち、前記協調通信可能か否かの検出処理を行う対象となるセルの集合である協調対象セルセットとを設定し、設定した前記協調可能セルセットおよび前記協調対象セルセットを前記移動端末装置に通知し、
前記移動端末装置は、
（ａ）前記調整手段から前記協調対象セルセットが通知された場合、前記協調対象セルセット内の各セルについて、前記協調通信可能か否かの検出処理を行い、
（ｂ）前記調整手段から前記協調可能セルセットが通知され、前記協調対象セルセットが通知されない場合、前記協調可能セルセット内の各セルについて、前記協調通信可能か否かの検出処理を行うことを特徴とする移動体通信システム。
【請求項２】
前記調整手段は、前記移動端末装置の位置情報に基づいて、前記協調対象セルセットを設定することを特徴とする請求項１に記載の移動体通信システム。
【請求項３】
前記調整手段は、前記移動端末装置における前記協調通信の受信品質に基づいて、前記協調対象セルセット内に含まれるセルを変更することを特徴とする請求項１に記載の移動体通信システム。
【請求項４】
前記移動端末装置の移動に伴って、前記移動端末装置が接続されるセルを、前記サービングセルから、移動先のターゲットセルに切り替えるハンドオーバ処理において、前記ターゲットセルは、前記協調通信可能か否かの検出処理の結果に基づいて選択されることを特徴とする請求項１〜３のいずれか１つに記載の移動体通信システム。
【発明の詳細な説明】
【技術分野】
【０００１】
本発明は、複数の移動端末装置と基地局装置との間で無線通信を行う移動体通信システムに関する。
【背景技術】
【０００２】
第３世代と呼ばれる通信方式のうち、Ｗ−ＣＤＭＡ（Wideband Code division Multiple Access）方式が、２００１年から日本で商用サービスが開始されている。また、下りリンク（個別データチャネル、個別制御チャネル）にパケット伝送用のチャネル（High Speed-Downlink Shared Channel：ＨＳ−ＤＳＣＨ）を追加することにより、下りリンクを用いたデータ送信の更なる高速化を実現するＨＳＤＰＡ（High Speed Downlink Packet Access）のサービスが開始されている。さらに、上り方向のデータ送信をより高速化するために、ＨＳＵＰＡ（High Speed Uplink Packet Access）方式についてもサービスが開始されている。Ｗ−ＣＤＭＡは、移動体通信システムの規格化団体である３ＧＰＰ（3rd Generation Partnership Project）により定められた通信方式であり、リリース１０版の規格書がとりまとめられている。【０００３】
また、３ＧＰＰにおいて、Ｗ−ＣＤＭＡとは別の通信方式として、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される新たな通信方式が検討されている。この通信方式は３．９Ｇ（3.9 Generation）システムとも呼ばれる。【０００４】
ＬＴＥでは、アクセス方式、無線のチャネル構成やプロトコルが、Ｗ−ＣＤＭＡ（ＨＳＤＰＡ／ＨＳＵＰＡ）とは全く異なるものになる。例えば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４ＭＨｚ，３ＭＨｚ，５ＭＨｚ，１０ＭＨｚ，１５ＭＨｚ，２０ＭＨｚの中で基地局毎に選択可能となっている。また、ＬＴＥでは、Ｗ−ＣＤＭＡとは異なり、回線交換を含まず、パケット通信方式のみになる。【０００５】
ＬＴＥでは、Ｗ−ＣＤＭＡのコアネットワークであるＧＰＲＳ（General Packet Radio Service）とは異なる新たなコアネットワークを用いて通信システムが構成されるので、ＬＴＥの無線アクセス網（無線アクセスネットワーク（radio access network））は、Ｗ−ＣＤＭＡ網とは別の独立した無線アクセス網として定義される。【０００６】
したがって、Ｗ−ＣＤＭＡの通信システムと区別するために、ＬＴＥの通信システムでは、コアネットワークはＥＰＣ（Evolved Packet Core）と称され、無線アクセスネットワークはＥ−ＵＴＲＡＮ（Evolved Universal Terrestrial Radio Access）と称される。また無線アクセスネットワークにおいて、移動端末（User Equipment：ＵＥ）と通信を行う基地局（Base station）はｅＮＢ（E-UTRAN NodeB）と称される。また複数の基地局と制御データおよびユーザデータのやり取りを行う基地局制御装置（Radio Network Controller）の機能は、ＥＰＣが担う。ＥＰＣは、ａＧＷ（Access Gateway）とも称される。またＥＰＣとＥ−ＵＴＲＡＮとで構成されるシステムは、ＥＰＳ（Evolved Packet System）と称される。【０００７】
ＬＴＥの通信システムでは、ユニキャスト（Unicast）サービスとＥ-ＭＢＭＳサービス（Evolved Multimedia Broadcast Multicast Service）とが提供される。Ｅ−ＭＢＭＳサービスとは、放送型マルチメディアサービスである。Ｅ−ＭＢＭＳサービスは、単にＭＢＭＳと称される場合もある。Ｅ−ＭＢＭＳサービスでは、複数の移動端末に対して、ニュースおよび天気予報、ならびにモバイル放送などの大容量放送コンテンツが送信される。これを１対多（Point to Multipoint）サービスともいう。【０００８】
３ＧＰＰでの、ＬＴＥシステムにおける全体的なアーキテクチャ（Architecture）に関する決定事項が、非特許文献１（４章）に記載されている。全体的なアーキテクチャについて図１を用いて説明する。図１は、ＬＴＥ方式の通信システムの構成を示す説明図である。図１において、移動端末１０１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局１０２で終端するならば、Ｅ−ＵＴＲＡＮは１つあるいは複数の基地局１０２によって構成される。【０００９】
基地局１０２は、移動管理エンティティ（Mobility Management Entity：ＭＭＥ）１０３から通知されるページング信号（Paging Signal、ページングメッセージ（paging messages）とも称される）のスケジューリング（Scheduling）および送信を行う。基地局１０２は、Ｘ２インタフェースにより、互いに接続される。また基地局１０２は、Ｓ１インタフェースによりＥＰＣ（Evolved Packet Core）に接続される。より明確には、基地局１０２は、Ｓ１＿ＭＭＥインタフェースによりＭＭＥ（Mobility Management Entity）１０３に接続され、Ｓ１＿ＵインタフェースによりＳ−ＧＷ（Serving Gateway）１０４に接続される。【００１０】
ＭＭＥ１０３は、複数あるいは単数の基地局１０２へのページング信号の分配を行う。また、ＭＭＥ１０３は、待受け状態（Idle State）のモビリティ制御（Mobility control）を行う。ＭＭＥ１０３は、移動端末が待ち受け状態の際、および、アクティブ状態（Active State）の際に、トラッキングエリア（Tracking Area）リストの管理を行う。【００１１】
Ｓ−ＧＷ１０４は、一つまたは複数の基地局１０２とユーザデータの送受信を行う。Ｓ−ＧＷ１０４は、基地局間のハンドオーバの際、ローカルな移動性のアンカーポイント（Mobility Anchor Point）となる。ＥＰＣには、さらにＰ−ＧＷ（PDN Gateway）が存在する。Ｐ−ＧＷは、ユーザ毎のパケットフィルタリングやＵＥ−ＩＤアドレスの割当などを行う。【００１２】
移動端末１０１と基地局１０２との間の制御プロトコルＲＲＣは、報知（Broadcast）、ページング（paging）、ＲＲＣ接続マネージメント（RRC connection management）などを行う。ＲＲＣにおける基地局と移動端末との状態として、ＲＲＣ＿ＩＤＬＥと、ＲＲＣ＿ＣＯＮＮＥＣＴＥＤとがある。ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）のメジャメントなどが行われる。【００１３】
非特許文献１（５章）に記載される、３ＧＰＰでの、ＬＴＥシステムにおけるフレーム構成に関する決定事項について、図２を用いて説明する。図２は、ＬＴＥ方式の通信システムで使用される無線フレームの構成を示す説明図である。図２において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。【００１４】
サブフレーム単位で、ＭＢＳＦＮ（Multimedia Broadcast multicast service Single Frequency Network）用のチャネルと、ＭＢＳＦＮ以外用のチャネルとの多重が行われる。ＭＢＳＦＮ送信（MBSFN Transmission）とは、同時に複数のセルから同じ波形の送信により実現される同時放送送信技術（simulcast transmission technique）である。ＭＢＳＦＮ領域（MBSFN Area）の複数のセルからのＭＢＳＦＮ送信は、移動端末には、１つの送信と認識される。ＭＢＳＦＮとは、このようなＭＢＳＦＮ送信をサポートするネットワークである。以降、ＭＢＳＦＮ送信用のサブフレームをＭＢＳＦＮサブフレーム（MBSFN subframe）と称する。【００１５】
非特許文献２に、ＭＢＳＦＮサブフレームの割り当て時のシグナリング例が記載されている。図３は、ＭＢＳＦＮフレームの構成を示す説明図である。図３に示すように、割当周期（radio Frame Allocation Period）毎にＭＢＳＦＮサブフレームを含む無線フレームが割り当てられる。ＭＢＳＦＮサブフレームは、割当周期と割当オフセット（radio Frame Allocation Offset）とによって定義された無線フレームにてＭＢＳＦＮのために割り当てられるサブフレームであり、マルチメディアデータを伝送するためのサブフレームである。以下の式（１）を満たす無線フレームが、ＭＢＳＦＮサブフレームを含む無線フレームである。
ＳＦＮ ｍｏｄ radioFrameAllocationPeriod＝radioFrameAllocationOffset  …（１）【００１６】
ＭＢＳＦＮサブフレームの割当は６ビットにて行われる。図３の１番左のビットは、サブフレームの２番目（＃１）のＭＢＳＦＮ割当を定義する。左から２番目のビットはサブフレームの３番目（＃２）、左から３番目のビットはサブフレームの４番目（＃３）、左から４番目のビットはサブフレームの７番目（＃６）、左から５番目のビットはサブフレームの８番目（＃７）、左から６番目のビットはサブフレームの９番目（＃８）のＭＢＳＦＮ割当を定義する。該ビットが「１」を示す場合、対応するサブフレームがＭＢＳＦＮのために割当てられることを示す。【００１７】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。物理チャネル（Physical channel）について、図４を用いて説明する。図４は、ＬＴＥ方式の通信システムで使用される物理チャネルを説明する説明図である。【００１８】
図４において、物理報知チャネル（Physical Broadcast channel：ＰＢＣＨ）４０１は、基地局１０２から移動端末１０１への下り送信用のチャネルである。ＢＣＨトランスポートブロック（transport block）は、４０ｍｓ間隔中の４個のサブフレームにマッピングされる。４０ｍｓタイミングの明白なシグナリングはない。【００１９】
物理制御チャネルフォーマットインジケータチャネル（Physical Control Format Indicator Channel：ＰＣＦＩＣＨ）４０２は、基地局１０２から移動端末１０１への下り送信用のチャネルである。ＰＣＦＩＣＨは、ＰＤＣＣＨｓのために用いるＯＦＤＭシンボルの数について基地局１０２から移動端末１０１へ通知する。ＰＣＦＩＣＨは、サブフレーム毎に送信される。【００２０】
物理下り制御チャネル（Physical Downlink Control Channel：ＰＤＣＣＨ）４０３は、基地局１０２から移動端末１０１への下り送信用のチャネルである。ＰＤＣＣＨは、後述の図５に示されるトランスポートチャネルの１つである下り共有チャネル（Downlink Shared Channel：ＤＬ−ＳＣＨ）のリソース割り当て（allocation）情報、図５に示されるトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。【００２１】
物理下り共有チャネル（Physical Downlink Shared Channel：ＰＤＳＣＨ）４０４は、基地局１０２から移動端末１０１への下り送信用のチャネルである。ＰＤＳＣＨには、トランスポートチャネルである下り共有チャネル（ＤＬ−ＳＣＨ）やトランスポートチャネルであるＰＣＨがマッピングされている。【００２２】
物理マルチキャストチャネル（Physical Multicast Channel：ＰＭＣＨ）４０５は、基地局１０２から移動端末１０１への下り送信用のチャネルである。ＰＭＣＨには、トランスポートチャネルであるマルチキャストチャネル（Multicast Channel：ＭＣＨ）がマッピングされている。【００２３】
物理上り制御チャネル（Physical Uplink Control Channel：ＰＵＣＣＨ）４０６は、移動端末１０１から基地局１０２への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。【００２４】
物理上り共有チャネル（Physical Uplink Shared Channel：ＰＵＳＣＨ）４０７は、移動端末１０１から基地局１０２への上り送信用のチャネルである。ＰＵＳＣＨには、図５に示されるトランスポートチャネルの１つである上り共有チャネル（Uplink Shared Channel：ＵＬ−ＳＣＨ）がマッピングされている。【００２５】
物理ＨＡＲＱインジケータチャネル（Physical Hybrid ARQ Indicator Channel：ＰＨＩＣＨ）４０８は、基地局１０２から移動端末１０１への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）４０９は、移動端末１０１から基地局１０２への上り送信用のチャネルである。ＰＲＡＣＨは、ランダムアクセスプリアンブル（random access preamble）を運ぶ。【００２６】
下り参照信号（リファレンスシグナル（Reference Signal）：ＲＳ）は、移動体通信システムとして既知のシンボルである。以下の５種類の下りリファレンスシグナルが定義されている。セル固有参照信号（Cell-specific Reference Signals：ＣＲＳ）、ＭＢＳＦＮ参照信号（MBSFN reference signals）、ＵＥ固有参照信号（UE-specific reference signals）であるデータ復調用参照信号（Demodulation Reference Signal：ＤＭ−ＲＳ）、位置決定参照信号（Positioning Reference Signals：ＰＲＳ）、チャネル情報参照信号（Channel-State Information Reference Signals：ＣＳＩ−ＲＳ）。移動端末の物理レイヤの測定として、リファレンスシグナルの受信電力（Reference Signal Received Power：ＲＳＲＰ）測定がある。【００２７】
非特許文献１（５章）に記載されるトランスポートチャネル（Transport channel）について、図５を用いて説明する。図５は、ＬＴＥ方式の通信システムで使用されるトランスポートチャネルを説明する説明図である。図５（Ａ）には、下りトランスポートチャネルと下り物理チャネルとの間のマッピングを示す。図５（Ｂ）には、上りトランスポートチャネルと上り物理チャネルとの間のマッピングを示す。【００２８】
図５（Ａ）に示す下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。【００２９】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。【００３０】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。【００３１】
マルチキャストチャネル（Multicast Channel：ＭＣＨ）は、基地局（セル）のカバレッジ全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。【００３２】
図５（Ｂ）に示す上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。【００３３】
図５（Ｂ）に示されるランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。【００３４】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。【００３５】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。【００３６】
ＨＡＲＱ方式の一例として、チェースコンバイニング（Chase Combining）がある。チェースコンバイニングとは、初送と再送とにおいて、同じデータを送信するものであり、再送において初送のデータと再送のデータとの合成を行うことで、利得を向上させる方式である。チェースコンバイニングは、初送データに誤りがあったとしても、部分的に正確なものも含まれており、正確な部分の初送データと再送データとを合成することで、より高精度にデータを送信できるという考え方に基づいている。また、ＨＡＲＱ方式の別の例として、ＩＲ（Incremental Redundancy）がある。ＩＲとは、冗長度を増加させるものであり、再送においてパリティビットを送信することで、初送と組合せて冗長度を増加させ、誤り訂正機能により品質を向上させるものである。【００３７】
非特許文献１（６章）に記載される論理チャネル（ロジカルチャネル：Logical channel）について、図６を用いて説明する。図６は、ＬＴＥ方式の通信システムで使用される論理チャネルを説明する説明図である。図６（Ａ）には、下りロジカルチャネルと下りトランスポートチャネルとの間のマッピングを示す。図６（Ｂ）には、上りロジカルチャネルと上りトランスポートチャネルとの間のマッピングを示す。【００３８】
報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。【００３９】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。【００４０】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。【００４１】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。【００４２】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。【００４３】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。【００４４】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。【００４５】
ＣＧＩとは、セルグローバル識別子（Cell Global Identification）のことである。ＥＣＧＩとは、Ｅ−ＵＴＲＡＮセルグローバル識別子（E-UTRAN Cell Global Identification）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。ＣＳＧセルについて以下に説明する（非特許文献３  ３．１章参照）。【００４６】
ＣＳＧ（Closed Subscriber Group）セルとは、利用可能な加入者をオペレータが特定しているセル（以下「特定加入者用セル」という場合がある）である。【００４７】
特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。【００４８】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。【００４９】
ＣＳＧ−ＩＤは、ＣＳＧセルまたはセルによって報知される。移動体通信システムにＣＳＧ−ＩＤは複数存在する。そして、ＣＳＧ−ＩＤは、ＣＳＧ関連のメンバーのアクセスを容易にするために、移動端末（ＵＥ）によって使用される。【００５０】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。【００５１】
ＣＳＧホワイトリスト（CSG White List）とは、加入者が属するＣＳＧセルのすべてのＣＳＧ  ＩＤが記録されている、ＵＳＩＭ（Universal Subscriber Identity Module）に格納されることもあるリストである。ＣＳＧホワイトリストは、単にホワイトリスト、あるいは許可ＣＳＧリスト（Allowed CSG List）と呼ばれることもある。ＣＳＧセルを通しての移動端末のアクセスは、ＭＭＥがアクセスコントロール（access control）を実行する（非特許文献４  ４．３．１．２章参照）。移動端末のアクセスの具体例としては、アタッチ（attach）、コンバインドアタッチ（combined attach）、デタッチ（detach）、サービスリクエスト（service request）、トラッキングエリアアップデートプロシジャー（Tracking Area Update procedure）などがある（非特許文献４  ４．３．１．２章参照）。【００５２】
待受け状態の移動端末のサービスタイプについて以下に説明する（非特許文献３  ４．３章参照）。待受け状態の移動端末のサービスタイプとしては、制限されたサービス（Limited service、限られたサービスとも称される）、標準サービス（ノーマルサービス（Normal service））、オペレータサービス（Operator service）がある。制限されたサービスとは、後述のアクセプタブルセル上の緊急呼（Emergency calls）、ＥＴＷＳ（Earthquake and Tsunami Warning System）、ＣＭＡＳ（Commercial Mobile Alert System）である。標準サービス（通常サービスとも称される）とは、後述の適切なセル上の公共のサービスである。オペレータサービスとは、後述のリザーブセル上のオペレータのためのみのサービスである。【００５３】
「適切なセル（Suitable cell）」について以下に説明する。「適切なセル（Suitable cell）」とは、ＵＥが通常（normal）サービスを受けるためにキャンプオン（Camp ON）するかもしれないセルである。そのようなセルは、以下の（１），（２）の条件を満たすものとする。【００５４】
（１）セルは、選択されたＰＬＭＮもしくは登録されたＰＬＭＮ、または「Ｅｑｕｉｖａｌｅｎｔ  ＰＬＭＮリスト」のＰＬＭＮの一部であること。【００５５】
（２）ＮＡＳ（Non-Access Stratum）によって提供された最新情報にて、さらに以下の（ａ）〜（ｄ）の条件を満たすこと。
（ａ）そのセルが禁じられた（barred）セルでないこと。
（ｂ）そのセルが「ローミングのための禁止されたＬＡｓ」リストの一部でないトラッキングエリア（Tracking Area：ＴＡ）の一部であること。その場合、そのセルは前記（１）を満たす必要がある。
（ｃ）そのセルが、セル選択評価基準を満たしていること。
（ｄ）そのセルが、ＣＳＧセルとしてシステム情報（System Information：ＳＩ）によって特定されたセルに関しては、ＣＳＧ−ＩＤはＵＥの「ＣＳＧホワイトリスト」（CSG WhiteList）の一部であること、すなわちＵＥのCSG WhiteList中に含まれること。【００５６】
「アクセプタブルセル（Acceptable cell）」について以下に説明する。「アクセプタブルセル（Acceptable cell）」とは、ＵＥが制限されたサービスを受けるためにキャンプオンするかもしれないセルである。そのようなセルは、以下の（１），（２）のすべての要件を充足するものとする。【００５７】
（１）そのセルが禁じられたセル（「バードセル（Barred cell）」とも称される）でないこと。
（２）そのセルが、セル選択評価基準を満たしていること。【００５８】
「バードセル（Barred cell）」は、システム情報で指示がある。「リザーブセル（Reserved cell）」は、システム情報で指示がある。【００５９】
「セルにキャンプオン（camp on）する」とは、ＵＥがセル選択（cell selection）またはセル再選択（cell reselection）の処理を完了し、ＵＥがシステム情報とページング情報とをモニタするセルを選択した状態になることをいう。ＵＥがキャンプオンするセルを「サービングセル（Serving cell）」と称することがある。【００６０】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献５には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。【００６１】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。【００６２】
３ＧＰＰでは、全ＰＣＩ（Physical Cell Identity）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。【００６３】
非特許文献６は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。【００６４】
また３ＧＰＰでは、リリース１０として、ロングタームエボリューションアドヴァンスド（Long Term Evolution Advanced：ＬＴＥ−Ａ）の規格策定が進められている（非特許文献７、非特許文献８参照）。【００６５】
ＬＴＥ−Ａシステムでは、高い通信速度、セルエッジでの高いスループット、新たなカバレッジエリアなどを得るために、リレー（Relay）およびリレーノード（Relay Node：ＲＮ）をサポートすることが検討されている。中継装置であるリレーノードは、ドナーセル（Donor cell、以下「ドナーｅＮＢ（Donor eNB；ＤｅＮＢ）」という場合がある）と呼ばれるセルを介して、無線アクセスネットワークに無線で接続される。ドナーセルの範囲内で、ネットワーク（Network：ＮＷ）からリレーノードへのリンクは、ネットワークからＵＥへのリンクと同じ周波数帯域（周波数バンド（band））を共用する。この場合、３ＧＰＰのリリース８対応のＵＥも該ドナーセルに接続可能とする。ドナーセルとリレーノードとの間のリンクをバックホールリンク（backhaul link）と称し、リレーノードとＵＥとの間のリンクをアクセスリンク（access link）と称する。【００６６】
ＦＤＤ（Frequency Division Duplex）におけるバックホールリンクの多重方法として、ＤｅＮＢからＲＮへの送信は下り（ＤＬ）周波数バンドで行われ、ＲＮからＤｅＮＢへの送信は上り（ＵＬ）周波数バンドで行われる。リレーにおけるリソースの分割方法として、ＤｅＮＢからＲＮへのリンクおよびＲＮからＵＥへのリンクが一つの周波数バンドで時分割多重され、ＲＮからＤｅＮＢへのリンクおよびＵＥからＲＮへのリンクも一つの周波数バンドで時分割多重される。こうすることで、リレーにおいて、リレーの送信が自リレーの受信へ干渉することを防ぐことができる。【００６７】
３ＧＰＰでは、通常のｅＮＢ（マクロセル）だけでなく、ピコｅＮＢ（ピコセル（pico cell））、ＨｅＮＢ（ＨＮＢ、ＣＳＧセル）、ホットゾーンセル用のノード、リレーノード、リモートラジオヘッド（Remote Radio Head：ＲＲＨ）、リピータなどのいわゆるローカルノードが検討されている。前述のような各種タイプのセルからなるネットワークは、異機種ネットワーク（heterogeneous network、ヘットネット）と称されることもある。【００６８】
ＬＴＥでは、通信に使用可能な周波数バンド（以下「オペレーティングバンド」という場合がある）が予め決められている。非特許文献９には、該周波数バンドが記載されている。【００６９】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（アグリゲーション（aggregation）するとも称する）、キャリアアグリゲーション（Carrier Aggregation：ＣＡ）が検討されている。【００７０】
ＬＴＥ対応である、３ＧＰＰのリリース８または９対応のＵＥは、一つのサービングセルに相当する一つのＣＣ上のみで送受信可能である。これに対して、３ＧＰＰのリリース１０対応のＵＥは、複数のサービングセルに相当する複数のＣＣ上で同時に送受信、あるいは受信のみ、あるいは送信のみをするための能力（ケーパビリティ、capability）を有することが考えられている。【００７１】
各ＣＣは、３ＧＰＰのリリース８または９の構成を用いており、ＣＡは、連続ＣＣ、非連続ＣＣ、および異なる周波数帯域幅のＣＣをサポートする。ＵＥが下りリンクのＣＣ（ＤＬ  ＣＣ）の個数以上の個数の、上りリンクのＣＣ（ＵＬ  ＣＣ）を構成することは不可能である。同一ｅＮＢから構成されるＣＣは、同じカバレッジを提供する必要は無い。ＣＣは、３ＧＰＰのリリース８または９と互換性を有する。【００７２】
ＣＡにおいて、上りリンク、下りリンクともに、サービングセル毎に一つの独立したＨＡＲＱエンティティがある。トランスポートブロックは、サービングセル毎にＴＴＩ毎に生成される。各トランスポートブロックとＨＡＲＱ再送とは、シングルサービングセルにマッピングされる。【００７３】
ＣＡが構成される場合、ＵＥはＮＷと唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。【００７４】
ＵＥの能力（ケーパビリティ（capability））に応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。【００７５】
一つのＵＥに対して、一つのＰＣｅｌｌと、一つ以上のＳＣｅｌｌからなるサービングセルとの組が構成される。【００７６】
３ＧＰＰにおいて、さらに進んだ新たな無線区間の通信方式として、前述のＬＴＥアドヴァンスド（LTE Advanced：ＬＴＥ−Ａ）が検討されている（非特許文献７および非特許文献８参照）。ＬＴＥ−Ａは、ＬＴＥの無線区間通信方式を基本とし、それにいくつかの新技術を加えて構成される。新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献１０に記載されている。【００７７】
ＣｏＭＰとは、地理的に分離された多地点間で協調した送信あるいは受信を行うことによって、高いデータレートのカバレッジの拡大、セルエッジでのスループットの向上、および通信システムにおけるスループットの増大を図る技術である。ＣｏＭＰには、下りＣｏＭＰ（ＤＬ  ＣｏＭＰ）と、上りＣｏＭＰ（ＵＬ  ＣｏＭＰ）とがある。【００７８】
ＤＬ  ＣｏＭＰでは、一つの移動端末（ＵＥ）へのＰＤＳＣＨを多地点（マルチポイント）間で協調して送信する。一つのＵＥへのＰＤＳＣＨを、マルチポイントの一つのポイントから送信してもよいし、マルチポイントの複数のポイントから送信してもよい。ＤＬ  ＣｏＭＰにおいて、サービングセルとは、ＰＤＣＣＨによってリソース割当を送信する単独のセルである。【００７９】
ＤＬ  ＣｏＭＰの方法として、結合処理（Joint Processing：ＪＰ）と、協調スケジューリング（Coordinated Scheduling：ＣＳ）または協調ビームフォーミング（Coordinated Beamforming：ＣＢ）（以下「ＣＳ／ＣＢ」という場合がある）とが検討されている。【００８０】
ＪＰは、ＣｏＭＰコオペレーティングセット（CoMP cooperating set）中のそれぞれのポイントでデータが利用可能である。ＪＰには、結合送信（Joint Transmission：ＪＴ）と、動的ポイント選択（Dynamic Point Selection：ＤＰＳ）とがある。ＤＰＳは、動的セル選択（Dynamic Cell Selection：ＤＣＳ）を含む。ＪＴでは、ある時点で複数のポイント、具体的にはＣｏＭＰコオペレーティングセット（CoMP cooperating set）の一部あるいは全部から、ＰＤＳＣＨの送信が行われる。ＤＰＳでは、ある時点でＣｏＭＰコオペレーティングセット内の１つのポイントから、ＰＤＳＣＨの送信が行われる。【００８１】
ＣＳ／ＣＢは、サービングセルからのデータ送信でのみ利用可能である。ＣＳ／ＣＢでは、ＣｏＭＰコオペレーティングセットに対応するセル間での調整と併せて、ユーザスケジューリングまたはビームフォーミングの決定がなされる。【００８２】
マルチポイントで送受信するポイントとしてユニットおよびセルが、ユニットおよびセルとして基地局（NB、eNB、HNB、HeNB）、ＲＲＵ（Remote Radio Unit）、ＲＲＥ（Remote Radio Equipment）、ＲＲＨ（Remote Radio Head）、リレーノード（Relay Node：ＲＮ）などが検討されている。多地点協調送信を行うユニットおよびセルを、それぞれマルチポイントユニット、マルチポイントセルと称する場合がある。
【先行技術文献】
【非特許文献】
【００８３】
【非特許文献１】３ＧＰＰ  ＴＳ３６．３００  Ｖ１０．５．０
【非特許文献２】３ＧＰＰ  ＴＳ３６．３３１  Ｖ１０．３．０
【非特許文献３】３ＧＰＰ  ＴＳ３６．３０４  Ｖ１０．３．０  ３．１章、４．３章、５．２．４章
【非特許文献４】３ＧＰＰ  ＴＲ  ２３．８３０  Ｖ９．０．０
【非特許文献５】３ＧＰＰ  Ｓ１−０８３４６１
【非特許文献６】３ＧＰＰ  Ｒ２−０８２８９９
【非特許文献７】３ＧＰＰ  ＴＲ  ３６．８１４  Ｖ９．０．０
【非特許文献８】３ＧＰＰ  ＴＲ  ３６．９１２  Ｖ１０．０．０
【非特許文献９】３ＧＰＰ  ＴＳ  ３６．１０１  Ｖ１０．３．０
【非特許文献１０】３ＧＰＰ  ＴＲ  ３６．８１９  Ｖ１１．０．０
【発明の概要】
【発明が解決しようとする課題】
【００８４】
前述のように、３ＧＰＰにおいて、多地点協調送受信（ＣｏＭＰ）技術が検討されている。ＵＥに対してＣｏＭＰを実行することによって、高いデータレートのカバレッジの拡大、セルエッジでのスループットの向上、および通信システムにおけるスループットの増大を図ることができる。しかし、３ＧＰＰにおけるＣｏＭＰ技術の検討は、まだ十分なされていない。【００８５】
例えば、ＣｏＭＰに関連するセルの集合をいくつか設けることが検討されている。しかし、ＣｏＭＰによる通信品質、ＵＥの消費電力、ＵＥとサービングセルとの間のシグナリング量などを考え合わせると、現在提案されている集合だけでは不十分な場合が生じる。また、該集合内のセルの選択方法においても、時間的に変動する複雑な電波環境のみを選択基準として用いた場合、たとえ、ＣｏＭＰを実行したとしても、良好な受信品質を得られないことがある。【００８６】
さらには、ＣｏＭＰを実行中のＵＥのＨＯ処理については、何ら議論がなされていない。ＣｏＭＰでは、複数のセル間で協調処理が行われている。したがって、ＵＥに対してＣｏＭＰを実行したままＨＯ処理を行う場合、複数のセル間の処理が必要となるので、従来のＨＯ処理を用いてはＨＯを実行することができず、ＵＥとセルとの間の通信を継続することができなくなってしまう。【００８７】
本発明の目的は、ＣｏＭＰを実行するＵＥの状態に応じて、少なくとも通信を継続することができ、さらには、ＣｏＭＰを実行することでより良好な通信品質を得ることができる移動体通信システムを提供することである。
【課題を解決するための手段】
【００８８】
本発明の移動体通信システムは、移動可能な移動端末装置と無線通信可能な複数のセルが運用される移動体通信システムであって、前記複数のセルは、他のセルと協調して前記移動端末装置と無線通信を行う協調通信可能なセルを含み、前記複数のセルのうち、前記移動端末装置を制御するサービングセルは、前記移動端末装置が、無線通信可能か否かの検出処理を行う対象となるセルの集合である検出対象セルセットを設定し、設定した前記検出対象セルセットを前記移動端末装置に通知し、前記協調通信を調整する調整手段を備え、前記調整手段は、前記検出対象セルセット内のセルのうち、前記移動端末装置が、前記協調通信可能か否かの検出処理を行う候補となるセルの集合である協調可能セルセットと、前記協調可能セルセット内のセルのうち、前記協調通信可能か否かの検出処理を行う対象となるセルの集合である協調対象セルセットとを設定し、設定した前記協調可能セルセットおよび前記協調対象セルセットを前記移動端末装置に通知し、前記移動端末装置は、（ａ）前記調整手段から前記協調対象セルセットが通知された場合、前記協調対象セルセット内の各セルについて、前記協調通信可能か否かの検出処理を行い、（ｂ）前記調整手段から前記協調可能セルセットが通知され、前記協調対象セルセットが通知されない場合、前記協調可能セルセット内の各セルについて、前記協調通信可能か否かの検出処理を行うことを特徴とする。
【発明の効果】
【００８９】
本発明の移動体通信システムによれば、協調通信を実行する移動端末装置の状態に応じて、少なくとも通信を継続することができ、さらには、協調通信を実行することでより良好な通信品質を得ることができる。【００９０】
この発明の目的、特徴、局面、および利点は、以下の詳細な説明と添付図面とによって、より明白となる。
【図面の簡単な説明】
【００９１】
【図１】ＬＴＥ方式の通信システムの構成を示す説明図である。
【図２】ＬＴＥ方式の通信システムで使用される無線フレームの構成を示す説明図である。
【図３】ＭＢＳＦＮフレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】３ＧＰＰにおいて議論されているＬＴＥ方式の移動体通信システムの全体的な構成を示すブロック図である。
【図８】本発明に係る移動端末である図７に示す移動端末７１の構成を示すブロック図である。
【図９】本発明に係る基地局である図７に示す基地局７２の構成を示すブロック図である。
【図１０】本発明に係るＭＭＥである図７に示すＭＭＥ部７３の構成を示すブロック図である。
【図１１】本発明に係るＨｅＮＢＧＷである図７に示すＨｅＮＢＧＷ７４の構成を示すブロック図である。
【図１２】ＬＴＥ方式の通信システムにおいて移動端末（ＵＥ）が行うセルサーチから待ち受け動作までの概略を示すフローチャートである。
【図１３】ＣｏＭＰを実行するために用いるセルの集合について説明するための図である。
【図１４】ＣｏＭＰを実行するために用いるセルの集合の包含関係について説明するための図である。
【図１５】実施の形態１における移動体通信システムのシーケンスの一例を示す図である。
【図１６】実施の形態１における移動体通信システムのシーケンスの一例を示す図である。
【図１７】ＣｏＭＰアクティブセットと他のセットとの包含関係について説明するための図である。
【図１８】実施の形態２における移動体通信システムのシーケンスの一例を示す図である。
【図１９】実施の形態３における移動体通信システムのシーケンスの一例を示す図である。
【図２０】実施の形態３における移動体通信システムのシーケンスの他の例を示す図である。
【図２１】実施の形態３における移動体通信システムのシーケンスのさらに他の例を示す図である。
【図２２】ＣｏＭＰに関するセットとＵＥによって測定されるＲＳとを説明するための図である。
【図２３】ＣｏＭＰに関するセット内セルの通信品質について説明するための図である。
【図２４】実施の形態５における移動体通信システムのシーケンスの一例を示す図である。
【図２５】実施の形態５の変形例２における移動体通信システムのシーケンスの一例を示す図である。
【図２６】ｅＰＤＣＣＨについて説明するための図である。
【図２７】実施の形態６における移動体通信システムのシーケンスの一例を示す図である。
【図２８】実施の形態６における移動体通信システムのシーケンスの一例を示す図である。
【図２９】実施の形態７における移動体通信システムのシーケンスの一例を示す図である。
【図３０】実施の形態７における移動体通信システムのシーケンスの一例を示す図である。
【図３１】実施の形態７における移動体通信システムのシーケンスの一例を示す図である。
【図３２】実施の形態７における移動体通信システムのシーケンスの一例を示す図である。
【図３３】実施の形態７における移動体通信システムのシーケンスの一例を示す図である。
【図３４】セルユニファイドエンティティの具体例を説明するためのブロック図である。
【図３５】他のセルユニファイドエンティティの具体例を説明するためのブロック図である。
【図３６】実施の形態７における移動体通信システムのシーケンスの一例を示す図である。
【図３７】実施の形態７における移動体通信システムのシーケンスの一例を示す図である。
【図３８】実施の形態７における移動体通信システムのシーケンスの一例を示す図である。
【図３９】実施の形態７における移動体通信システムのシーケンスの一例を示す図である。
【図４０】実施の形態７における移動体通信システムのシーケンスの一例を示す図である。
【図４１】実施の形態７における移動体通信システムのシーケンスの一例を示す図である。
【図４２】実施の形態７における移動体通信システムのシーケンスの一例を示す図である。
【図４３】実施の形態７における移動体通信システムのシーケンスの一例を示す図である。
【図４４】実施の形態７における移動体通信システムのシーケンスの一例を示す図である。
【図４５】実施の形態７における移動体通信システムのシーケンスの一例を示す図である。
【図４６】実施の形態８における移動体通信システムのシーケンスの一例を示す図である。
【図４７】実施の形態８における移動体通信システムのシーケンスの一例を示す図である。
【図４８】実施の形態８における移動体通信システムのシーケンスの一例を示す図である。
【図４９】実施の形態８の変形例１における移動体通信システムのシーケンスの一例を示す図である。
【図５０】実施の形態８の変形例１における移動体通信システムのシーケンスの一例を示す図である。
【図５１】実施の形態８の変形例１における移動体通信システムのシーケンスの一例を示す図である。
【図５２】実施の形態８の変形例１における移動体通信システムのシーケンスの一例を示す図である。
【図５３】実施の形態８の変形例２における移動体通信システムのシーケンスの一例を示す図である。
【図５４】実施の形態８の変形例２における移動体通信システムのシーケンスの一例を示す図である。
【図５５】実施の形態８の変形例２における移動体通信システムのシーケンスの一例を示す図である。
【図５６】実施の形態９における移動体通信システムのシーケンスの一例を示す図である。
【図５７】実施の形態９における移動体通信システムのシーケンスの一例を示す図である。
【図５８】実施の形態９における移動体通信システムのシーケンスの一例を示す図である。
【図５９】実施の形態９における移動体通信システムのシーケンスの一例を示す図である。
【図６０】複数のサブｅＮＢ装置とＵＥとのＣｏＭＰ通信の概念を説明するための図である。
【図６１】複数のサブｅＮＢ装置とＵＥとのＣｏＭＰ通信の概念を説明するための図である。
【図６２】実施の形態１０におけるサービングセルの変更を説明するための図である。
【図６３】実施の形態１０における移動体通信システムのシーケンスの一例を示す図である。
【図６４】実施の形態１０における移動体通信システムのシーケンスの一例を示す図である。
【図６５】実施の形態１０における移動体通信システムのシーケンスの一例を示す図である。
【図６６】実施の形態１０における移動体通信システムのシーケンスの一例を示す図である。
【図６７】実施の形態１０の変形例１における移動体通信システムのシーケンスの一例を示す図である。
【図６８】実施の形態１０の変形例１における移動体通信システムのシーケンスの一例を示す図である。
【図６９】実施の形態１０の変形例１における移動体通信システムのシーケンスの一例を示す図である。
【図７０】実施の形態１０の変形例１における移動体通信システムのシーケンスの一例を示す図である。
【図７１】実施の形態１０の変形例２における移動体通信システムのシーケンスの一例を示す図である。
【図７２】実施の形態１０の変形例２における移動体通信システムのシーケンスの一例を示す図である。
【図７３】実施の形態１０の変形例２における移動体通信システムのシーケンスの一例を示す図である。
【図７４】実施の形態１１における移動体通信システムのシーケンスの一例を示す図である。
【図７５】実施の形態１１の変形例１０における移動体通信システムのシーケンスの一例を示す図である。
【発明を実施するための形態】
【００９２】
実施の形態１．
図７は、３ＧＰＰにおいて議論されているＬＴＥ方式の移動体通信システムの全体的な構成を示すブロック図である。３ＧＰＰにおいては、ＣＳＧ（Closed Subscriber Group）セル（Ｅ−ＵＴＲＡＮのＨｏｍｅ−ｅＮｏｄｅＢ（Ｈｏｍｅ−ｅＮＢ；ＨｅＮＢ）、ＵＴＲＡＮのＨｏｍｅ−ＮＢ（ＨＮＢ））と、ｎｏｎ−ＣＳＧセル（Ｅ−ＵＴＲＡＮのｅＮｏｄｅＢ（ｅＮＢ）、ＵＴＲＡＮのＮｏｄｅＢ（ＮＢ）、ＧＥＲＡＮのＢＳＳ）とを含めたシステムの全体的な構成が検討されており、Ｅ−ＵＴＲＡＮについては、図７のような構成が提案されている（非特許文献１  ４．６．１章参照）。
【００９３】
図７について説明する。移動端末装置（以下「移動端末（User Equipment：ＵＥ）」という）７１は、基地局装置（以下「基地局」という）７２と無線通信可能であり、無線通信で信号の送受信を行う。基地局７２は、マクロセルであるｅＮＢ７２−１と、ローカルノードであるＨｏｍｅ−ｅＮＢ７２−２とに分類される。ｅＮＢ７２−１は、移動端末（ＵＥ）７１と通信可能な範囲であるカバレッジとして、比較的大きい大規模カバレッジを有する。Ｈｏｍｅ−ｅＮＢ７２−２は、カバレッジとして、比較的小さい小規模カバレッジを有する。
【００９４】
ｅＮＢ７２−１は、ＭＭＥ、あるいはＳ−ＧＷ、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７２−１とＭＭＥ部７３との間で制御情報が通信される。一つのｅＮＢ７２−１に対して、複数のＭＭＥ部７３が接続されてもよい。ＭＭＥ部７３は、管理手段に相当する。ＭＭＥ部７３は、コアネットワークであるＥＰＣに含まれる。ｅＮＢ７２−１間は、Ｘ２インタフェースにより接続され、ｅＮＢ７２−１間で制御情報が通信される。
【００９５】
Ｈｏｍｅ−ｅＮＢ７２−２は、ＭＭＥ部７３とＳ１インタフェースにより接続され、Ｈｏｍｅ−ｅＮＢ７２−２とＭＭＥ部７３との間で制御情報が通信される。一つのＭＭＥ部７３に対して、複数のＨｏｍｅ−ｅＮＢ７２−２が接続される。あるいは、Ｈｏｍｅ−ｅＮＢ７２−２は、ＨｅＮＢＧＷ（Home-eNB GateWay）７４を介してＭＭＥ部７３と接続される。Ｈｏｍｅ−ｅＮＢ７２−２とＨｅＮＢＧＷ７４とは、Ｓ１インタフェースにより接続され、ＨｅＮＢＧＷ７４とＭＭＥ部７３とはＳ１インタフェースを介して接続される。
【００９６】
一つまたは複数のＨｏｍｅ−ｅＮＢ７２−２が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００９７】
ＭＭＥ部７３およびＨｅＮＢＧＷ７４は、上位ノード装置であり、基地局であるｅＮＢ７２−１およびＨｏｍｅ−ｅＮＢ７２−２と、移動端末（ＵＥ）７１との接続を制御する。ＭＭＥ部７３、具体的にはＭＭＥ部７３を構成するＭＭＥおよびＳ−ＧＷ、ならびにＨｅＮＢＧＷ７４は、管理手段に相当する。ＭＭＥ部７３およびＨｅＮＢＧＷ７４は、コアネットワークであるＥＰＣに含まれる。
【００９８】
さらに３ＧＰＰでは、以下のような構成が検討されている。Ｈｏｍｅ−ｅＮＢ７２−２間のＸ２インタフェースはサポートされる。すなわち、Ｈｏｍｅ−ｅＮＢ７２−２間は、Ｘ２インタフェースにより接続され、Ｈｏｍｅ−ｅＮＢ７２−２間で制御情報が通信される。ＭＭＥ部７３からは、ＨｅＮＢＧＷ７４はＨｏｍｅ−ｅＮＢ７２−２として見える。Ｈｏｍｅ−ｅＮＢ７２−２からは、ＨｅＮＢＧＷ７４はＭＭＥ部７３として見える。
【００９９】
Ｈｏｍｅ−ｅＮＢ７２−２が、ＨｅＮＢＧＷ７４を介してＭＭＥ部７３に接続される場合および直接ＭＭＥ部７３に接続される場合のいずれの場合も、Ｈｏｍｅ−ｅＮＢ７２−２とＭＭＥ部７３との間のインタフェースは、Ｓ１インタフェースで同じである。ＨｅＮＢＧＷ７４は、複数のＭＭＥ部７３にまたがるような、Ｈｏｍｅ−ｅＮＢ７２−２へのモビリティ、あるいはＨｏｍｅ−ｅＮＢ７２−２からのモビリティはサポートしない。Ｈｏｍｅ−ｅＮＢ７２−２は、唯一のセルを構成し、サポートする。
【０１００】
基地局装置は、例えばＨｏｍｅ−ｅＮＢ７２−２のように唯一のセルをサポートするが、これに限定されず、１つの基地局装置が複数のセルをサポートしてもよい。１つの基地局装置が複数のセルをサポートする場合、１つ１つのセルが、基地局装置として機能する。
【０１０１】
図８は、本発明に係る移動端末である図７に示す移動端末７１の構成を示すブロック図である。図８に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【０１０２】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図８では省略しているが、各部８０１〜８０９と接続している。
【０１０３】
図９は、本発明に係る基地局である図７に示す基地局７２の構成を示すブロック図である。図９に示す基地局７２の送信処理を説明する。ＥＰＣ通信部９０１は、基地局７２とＥＰＣ（ＭＭＥ部７３、ＨｅＮＢＧＷ７４など）との間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【０１０４】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【０１０５】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図９では省略しているが、各部９０１〜９１０と接続している。
【０１０６】
他基地局通信部９０２は、通知部および取得部に相当する。送信データバッファ部９０４、エンコーダー部９０５、変調部９０６、周波数変換部９０７、アンテナ９０８、復調部９０９およびデコーダー部９１０は、通信部に相当する。
【０１０７】
３ＧＰＰにおいて議論されているＨｏｍｅ−ｅＮＢ７２−２の機能を以下に示す（非特許文献１  ４．６．２章参照）。Ｈｏｍｅ−ｅＮＢ７２−２は、ｅＮＢ７２−１と同じ機能を有する。加えて、ＨｅＮＢＧＷ７４と接続する場合、Ｈｏｍｅ−ｅＮＢ７２−２は、適当なサービングＨｅＮＢＧＷ７４を発見する機能を有する。Ｈｏｍｅ−ｅＮＢ７２−２は、１つのＨｅＮＢＧＷ７４に唯一接続する。つまり、ＨｅＮＢＧＷ７４との接続の場合は、Ｈｏｍｅ−ｅＮＢ７２−２は、Ｓ１インタフェースにおけるＦｌｅｘ機能を使用しない。Ｈｏｍｅ−ｅＮＢ７２−２は、１つのＨｅＮＢＧＷ７４に接続されると、同時に別のＨｅＮＢＧＷ７４や別のＭＭＥ部７３に接続しない。
【０１０８】
Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ部７３の選択は、Ｈｏｍｅ−ｅＮＢ７２−２の代わりに、ＨｅＮＢＧＷ７４によって行われる。Ｈｏｍｅ−ｅＮＢ７２−２は、ネットワーク計画なしで配備される可能性がある。この場合、Ｈｏｍｅ−ｅＮＢ７２−２は、１つの地理的な領域から別の地理的な領域へ移される。したがって、この場合のＨｏｍｅ−ｅＮＢ７２−２は、位置によって、異なったＨｅＮＢＧＷ７４に接続する必要がある。
【０１０９】
図１０は、本発明に係るＭＭＥの構成を示すブロック図である。図１０では、前述の図７に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【０１１０】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【０１１１】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【０１１２】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１は、ＮＡＳ（Non-Access Stratum）メッセージのセキュリティなどを行う。ＳＡＥベアラコントロール部１００５―２は、ＳＡＥ（System Architecture Evolution）のベアラの管理などを行う。アイドルステートモビリティ管理部１００５―３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリア（ＴＡ）の追加、削除、更新、検索、トラッキングエリアリスト（TA List）管理などを行う。
【０１１３】
ＭＭＥ７３ａは、ＵＥが登録されている（registered）追跡領域（トラッキングエリア：Tracking Area：ＴＡ）に属するセルへ、ページングメッセージを送信することで、ページングプロトコルに着手する。ＭＭＥ７３ａに接続されるＨｏｍｅ−ｅＮＢ７２−２のＣＳＧの管理やＣＳＧ−ＩＤの管理、そしてホワイトリスト管理は、アイドルステートモビリティ管理部１００５―３で行ってもよい。
【０１１４】
ＣＳＧ−ＩＤの管理では、ＣＳＧ−ＩＤに対応する移動端末とＣＳＧセルとの関係が管理（例えば追加、削除、更新、検索）される。この関係は、例えば、あるＣＳＧ−ＩＤにユーザアクセス登録された一つまたは複数の移動端末と該ＣＳＧ−ＩＤに属するＣＳＧセルとの関係であってもよい。ホワイトリスト管理では、移動端末とＣＳＧ−ＩＤとの関係が管理（例えば追加、削除、更新、検索）される。例えば、ホワイトリストには、ある移動端末がユーザ登録した一つまたは複数のＣＳＧ−ＩＤが記憶されてもよい。これらのＣＳＧに関する管理は、ＭＭＥ７３ａの中の他の部分で行われてもよい。ＭＭＥ７３ａの一連の処理は、制御部１００６によって制御される。よって制御部１００６は、図１０では省略しているが、各部１００１〜１００５と接続している。
【０１１５】
３ＧＰＰにおいて議論されているＭＭＥ７３ａの機能を以下に示す（非特許文献１  ４．６．２章参照）。ＭＭＥ７３ａは、ＣＳＧ（Closed Subscriber Group）のメンバーの１つあるいは複数の移動端末のアクセスコントロールを行う。ＭＭＥ７３ａは、ページングの最適化（Paging optimization）の実行をオプションとして認める。
【０１１６】
図１１は、本発明に係るＨｅＮＢＧＷである図７に示すＨｅＮＢＧＷ７４の構成を示すブロック図である。ＥＰＣ通信部１１０１は、ＨｅＮＢＧＷ７４とＭＭＥ７３ａとの間のＳ１インタフェースによるデータの送受信を行う。基地局通信部１１０２は、ＨｅＮＢＧＷ７４とＨｏｍｅ−ｅＮＢ７２−２との間のＳ１インタフェースによるデータの送受信を行う。ロケーション処理部１１０３は、ＥＰＣ通信部１１０１経由で渡されたＭＭＥ７３ａからのデータのうちレジストレーション情報などを、複数のＨｏｍｅ−ｅＮＢ７２−２に送信する処理を行う。ロケーション処理部１１０３で処理されたデータは、基地局通信部１１０２に渡され、一つまたは複数のＨｏｍｅ−ｅＮＢ７２−２にＳ１インタフェースを介して送信される。
【０１１７】
ロケーション処理部１１０３での処理を必要とせず通過（透過）させるだけのデータは、ＥＰＣ通信部１１０１から基地局通信部１１０２に渡され、一つまたは複数のＨｏｍｅ−ｅＮＢ７２−２にＳ１インタフェースを介して送信される。ＨｅＮＢＧＷ７４の一連の処理は、制御部１１０４によって制御される。よって制御部１１０４は、図１１では省略しているが、各部１１０１〜１１０３と接続している。
【０１１８】
３ＧＰＰにおいて議論されているＨｅＮＢＧＷ７４の機能を以下に示す（非特許文献１  ４．６．２章参照）。ＨｅＮＢＧＷ７４は、Ｓ１アプリケーションについてリレーする。Ｈｏｍｅ−ｅＮＢ７２−２へのＭＭＥ７３ａの手順の一部分であるが、ＨｅＮＢＧＷ７４は、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４との間、そしてＨｅＮＢＧＷ７４とＭＭＥ７３ａとの間を通信される。ＨｅＮＢＧＷ７４と他のノードとの間でＸ２インタフェースは設定されない。ＨｅＮＢＧＷ７４は、ページングの最適化（Paging optimization）の実行をオプションとして認める。
【０１１９】
次に移動体通信システムにおけるセルサーチ方法の一例を示す。図１２は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。
【０１２０】
Ｐ−ＳＳとＳ−ＳＳとを合わせて、同期信号（ＳＳ）という。同期信号（ＳＳ）には、セル毎に割り当てられたＰＣＩ（Physical Cell Identity）に１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【０１２１】
次に同期がとれたセルに対して、ステップＳＴ１２０２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１２０１で特定したＰＣＩから、該セルのＲＳ用のコードを導出することによって、ＲＳを検出し、ＲＳの受信電力を測定することが可能となる。
【０１２２】
次にステップＳＴ１２０３で、ステップＳＴ１２０２までで検出された一つ以上のセルの中から、ＲＳの受信品質が最もよいセル、例えば、ＲＳの受信電力が最も高いセル、つまりベストセルを選択する。
【０１２３】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【０１２４】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、ＴＡＣ（Tracking Area Code）が含まれる。
【０１２５】
次にステップＳＴ１２０６で、移動端末は、ステップＳＴ１２０５で受信したＳＩＢ１のＴＡＣと、移動端末が既に保有しているＴＡ（Tracking Area）リスト内のトラッキングエリア識別子（Tracking Area Identity：ＴＡＩ）のＴＡＣ部分とを比較する。ＴＡ（Tracking Area）リストは、ＴＡＩリスト（TAI list）とも称される。ＴＡＩはＴＡの識別子であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはＴＡのコード番号である。
【０１２６】
移動端末は、ステップＳＴ１２０６で比較した結果、ステップＳＴ１２０５で受信したＴＡＣがＴＡ（Tracking Area）リスト内に含まれるＴＡＣと同じならば、該セルで待ち受け動作に入る。比較して、ステップＳＴ１２０５で受信したＴＡＣがＴＡ（Tracking Area）リスト内に含まれなければ、移動端末は、該セルを通して、ＭＭＥなどが含まれるコアネットワーク（Core Network，ＥＰＣ）へ、ＴＡＵ（Tracking Area Update）を行うためにＴＡ（Tracking Area）の変更を要求する。コアネットワークは、ＴＡＵ要求信号とともに移動端末から送られてくる該移動端末の識別番号（ＵＥ−ＩＤなど）をもとに、ＴＡ（Tracking Area）リストの更新を行う。コアネットワークは、移動端末に更新後のＴＡ（Tracking Area）リストを送信する。移動端末は、受信したＴＡ（Tracking Area）リストに基づいて、移動端末が保有するＴＡＣリストを書き換える（更新する）。その後、移動端末は、該セルで待ち受け動作に入る。
【０１２７】
ＬＴＥ、ＬＴＥ−ＡおよびＵＭＴＳ（Universal Mobile Telecommunication System）においては、ＣＳＧ（Closed Subscriber Group）セルの導入が検討されている。前述したように、ＣＳＧセルに登録した一つまたは複数の移動端末のみにアクセスが許される。ＣＳＧセルと登録された一つまたは複数の移動端末とが一つのＣＳＧを構成する。このように構成されたＣＳＧには、ＣＳＧ−ＩＤと呼ばれる固有の識別番号が付される。一つのＣＳＧには、複数のＣＳＧセルがあってもよい。移動端末は、どれか一つのＣＳＧセルに登録すれば、そのＣＳＧセルが属するＣＳＧの他のＣＳＧセルにアクセス可能となる。
【０１２８】
また、ＬＴＥおよびＬＴＥ−ＡでのＨｏｍｅ−ｅＮＢやＵＭＴＳでのＨｏｍｅ−ＮＢが、ＣＳＧセルとして使われることがある。ＣＳＧセルに登録した移動端末は、ホワイトリストを有する。具体的には、ホワイトリストはＳＩＭ（Subscriber Identity Module）またはＵＳＩＭに記憶される。ホワイトリストには、移動端末が登録したＣＳＧセルのＣＳＧ情報が格納される。ＣＳＧ情報として具体的には、ＣＳＧ−ＩＤ、ＴＡＩ（Tracking Area Identity）、ＴＡＣなどが考えられる。ＣＳＧ−ＩＤとＴＡＣとが対応付けられていれば、どちらか一方でよい。また、ＣＳＧ−ＩＤおよびＴＡＣと、ＥＣＧＩとが対応付けられていれば、ＥＣＧＩでもよい。
【０１２９】
以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【０１３０】
ＨｅＮＢおよびＨＮＢに対しては、様々なサービスへの対応が求められている。例えば、あるサービスでは、オペレータは、ある決められたＨｅＮＢおよびＨＮＢに移動端末を登録させ、登録した移動端末のみにＨｅＮＢおよびＨＮＢのセルへのアクセスを許可することで、該移動端末が使用できる無線リソースを増大させて、高速に通信を行えるようにする。その分、オペレータは、課金料を通常よりも高く設定する。
【０１３１】
このようなサービスを実現するために、登録した（加入した、メンバーとなった）移動端末のみがアクセスできるＣＳＧ（Closed Subscriber Group）セルが導入されている。ＣＳＧ（Closed Subscriber Group）セルは、商店街やマンション、学校、会社などへ数多く設置されることが要求される。例えば、商店街では店舗毎、マンションでは部屋毎、学校では教室毎、会社ではセクション毎にＣＳＧセルを設置し、各ＣＳＧセルに登録したユーザのみが該ＣＳＧセルを使用可能とするような使用方法が要求されている。ＨｅＮＢ／ＨＮＢは、マクロセルのカバレッジ外での通信を補完するため（エリア補完型ＨｅＮＢ／ＨＮＢ）だけでなく、上述したような様々なサービスへの対応（サービス提供型ＨｅＮＢ／ＨＮＢ）が求められている。このため、ＨｅＮＢ／ＨＮＢがマクロセルのカバレッジ内に設置される場合も生じる。
【０１３２】
前述のように、ＬＴＥ−Ａの新技術として、ＣｏＭＰをサポートすることが検討されている。また、ＣｏＭＰを実行するために用いるセルまたはポイントの集合（セット、set）が検討されている。本発明において、ＣｏＭＰを実行するために用いるセルの集合としては、以下の（１）〜（５）に示すものがある。セルに限らず、ポイントであってもよい。以下の説明では、ＣｏＭＰを実行するために用いるポイントあるいはセルの集合を総称して「ＣｏＭＰセット」と称する。
【０１３３】
（１）ＲＲＭメジャメントセット（RRM measurement set）。ＲＲＭ（Radio Resource Management）メジャメントセットは、リリース８〜１０の規格書に記載されたメジャメント、具体的にはＣＲＳ（Cell-specific Reference Signal）測定によって得られたセルの集合をいう。
【０１３４】
（２）ＣｏＭＰコオペレーティングセット（CoMP cooperating set）。ＣｏＭＰコオペレーティングセットは、ＣｏＭＰすることのできるセルの集合をいう。
【０１３５】
（３）ＣｏＭＰコーディネーションエリア（CoMP coordination area（CoMP coordination cells））。ＣｏＭＰコーディネーションエリアは、ＣｏＭＰすることのできるセルによって構成される無線エリアをいう。
【０１３６】
（４）ＣｏＭＰメジャメントセット（CoMP measurement set）。ＣｏＭＰメジャメントセットは、ＣＳＩ（Channel State Indication）−ＲＳが測定されて報告されるセルの集合をいう。ＣｏＭＰメジャメントセットは、ＲＲＭメジャメントセットから選択される。
【０１３７】
（５）ＣｏＭＰトランスミッションポイント（CoMP transmission point）。ＣｏＭＰトランスミッションポイントは、ＣｏＭＰを実行しているＵＥにデータを送信しているセルをいう。ＣｏＭＰトランスミッションポイントは、ＣｏＭＰメジャメントセットから選択される。後述するＣｏＭＰアクティブセット（CoMP active set）が有る場合、ＣｏＭＰトランスミッションポイントは、ＣｏＭＰアクティブセットから選択されてもよい。後述するＣｏＭＰアクティブセットが無い場合、ＣｏＭＰトランスミッションポイントは、ＣｏＭＰメジャメントセットから選択される。
【０１３８】
ＲＲＭメジャメントセットは、検出対象セルセットに相当し、前述のリリース８〜１０の規格書に記載されたメジャメント、具体的にはＣＲＳ測定は、ＵＥが行う、無線通信可能か否かの検出処理に相当する。
【０１３９】
ＣｏＭＰコオペレーティングセットは、協調可能セルセットに相当し、ＵＥが、協調通信（ＣｏＭＰ通信）可能か否かの検出処理を行う候補となるセルの集合である。ＣｏＭＰメジャメントセットは、協調対象セルセットに相当し、ＵＥが、ＣｏＭＰ通信可能か否かの検出処理を行う対象となるセルの集合である。
【０１４０】
また、前述のセントラルエンティティとは、一つまたは複数のポイントＣｏＭＰを集中して調整（コーディネート、coordinate）するエンティティである（非特許文献１０参照）。セントラルエンティティは、調整手段に相当する。セントラルエンティティは、論理エンティティであり、物理的にどの装置に構成されてもよい。例えば、セントラルエンティティは、ｅＮＢまたはＲＲＨに構成されてもよいし、ｅＮＢおよびＲＲＨとは別に構成されてもよい。またセントラルエンティティは、ＨｅＮＢＧＷに構成されてもよい。
【０１４１】
図１３は、ＣｏＭＰを実行するために用いるセルの集合について説明するための図である。図１３では、ＲＲＭメジャメントセット１３０２を、左下がりの細い斜線のハッチングを付して示し、ＣｏＭＰコオペレーティングセット１３０３を、梨地のハッチングを付して示し、ＣｏＭＰメジャメントセット１３０４を、右下がりの太い斜線のハッチングを付して示し、ＣｏＭＰトランスミッションポイント１３０５を、左下がりの太い斜線のハッチングを付して示す。
【０１４２】
ＲＲＭメジャメントセット１３０２、ＣｏＭＰコオペレーティングセット１３０３、ＣｏＭＰメジャメントセット１３０４およびＣｏＭＰトランスミッションポイント１３０５は、いずれもＵＥ１３０１に対して構成される。図１３では、ＣｏＭＰコオペレーティングセット１３０３がＲＲＭメジャメントセット１３０２内に含まれる場合を示している。
【０１４３】
図１４は、ＣｏＭＰを実行するために用いるセルの集合の包含関係について説明するための図である。図１４では、ＲＲＭメジャメントセット（RRM measurement set）を参照符号「１４０１」で示される円で表し、ＣｏＭＰメジャメントセット（CoMP measurement set）を参照符号「１４０２」で示される円で表し、ＣｏＭＰトランスミッションポイント（CoMP transmission point）を参照符号「１４０３」で示される円で表す。図１４に示すように、ＲＲＭメジャメントセット１４０１の一部あるいは全部がＣｏＭＰメジャメントセット１４０２となり、ＣｏＭＰメジャメントセット１４０２の一部あるいは全部がＣｏＭＰトランスミッションポイント１４０３になる。
【０１４４】
３ＧＰＰでは、実際にＣｏＭＰを実行する場合の手順について何ら開示されていない。前述のＣｏＭＰを実行するために用いるセルの集合を、どのように使用するか、などが不明であるので、ＣｏＭＰを実行することができない。本実施の形態では、ＣｏＭＰを実行するために、各セルの集合の使用方法、構成方法、ＵＥとサービングセルとの間の通知方法、およびその手順を開示する。
【０１４５】
図１５および図１６は、実施の形態１における移動体通信システムのシーケンスの一例を示す図である。図１５と図１６とは、境界線ＢＬ１の位置で、つながっている。図１５および図１６では、セントラルエンティティがサービングセル内に構成された場合に、所望のＵＥに対してＣｏＭＰを実行するときのシーケンスを示している。本シーケンスでは、セントラルエンティティがサービングセル内に構成された場合について示しているので、特にセントラルエンティティとサービングセルとを区別せずに、サービングセルと記載する。
【０１４６】
ステップＳＴ１５０１において、サービングセルは、所望のＵＥにＲＲＭメジャメントを実行させる範囲を設定するために、ＲＲＭメジャメント構成（RRM measurement configuration）を設定する。ここでは、所望のＵＥを、「ＵＥ１」とする。ＲＲＭメジャメント構成としては、例えば、周波数および報告条件のいずれか一方、または両方が設定される。報告条件としては、例えば、報告を実行するトリガとなるイベント（event）が設定される。測定させるセルを特定し、該セルのＰＣＩなどのセルアイデンティティ（Ｃｅｌｌ−ＩＤ）をＲＲＭメジャメント構成として設定してもよい。例えば、ネットワーク側でＵＥ１に対するＲＲＭメジャメントセットを既に設定している場合は、該ＲＲＭメジャメントセットを利用してもよい。また、隣接セルのリスト（ネイバーセルリスト）を該ＲＲＭメジャメントセットとしてもよい。
【０１４７】
ＲＲＭメジャメント構成、該通知およびメジャメントリポートは、ＣｏＭＰ用としてもよい。ＣｏＭＰに適した周波数、報告条件あるいはセルアイデンティティなどが設定される。
【０１４８】
他の方法として、従来のモビリティ用のＲＲＭメジャメント構成、該通知およびメジャメントリポートを利用してもよい。サービングセルにおいて、モビリティ用に設定した周波数、報告条件あるいはセルアイデンティティをＣｏＭＰに利用できる場合は、従来のモビリティ用のＲＲＭメジャメント構成、該通知およびメジャメントリポートを利用するとよい。また、サービングセルにおいて、モビリティ用およびＣｏＭＰ用の両方に利用できる周波数、報告条件あるいはセルアイデンティティを設定するようにしてもよい。これによって、ＲＲＭメジャメント構成、該通知およびメジャメントリポートを共用することができ、シグナリング量の削減、および制御負荷の削減を図ることができる。
【０１４９】
ステップＳＴ１５０２において、サービングセルは、ステップＳＴ１５０１で設定されたＲＲＭメジャメント構成を、ＵＥ１に通知する。ＲＲＭメジャメント構成の通知には、個別シグナリングが用いられる。個別シグナリングとしては、ＲＲＣシグナリングが用いられる。
【０１５０】
ステップＳＴ１５０３において、ＵＥ１は、受信したＲＲＭメジャメント構成に従って、ＣＲＳの測定（以下「ＣＲＳメジャメント」という場合がある）を行う。具体的には、ＵＥ１は、ＣＲＳメジャメントとして、ＲＲＭメジャメント構成で通知された周波数を用いて、該周波数をキャリア周波数とするセルの検出を行う。
【０１５１】
ＣＲＳメジャメントは、ＵＥ１がＲＲＭメジャメント構成を受信した後、ＲＲＭメジャメント構成の変更あるいは解除（リリース）を受信するまで行われるようにするとよい。この場合、ＣＲＳメジャメントは、定期的に行われてもよいし、周期的に行われてもよい。図１５および図１６において、ＳＴ１５０３とＳＴ１５２２とを結ぶ破線は、前述のようにＵＥ１がＲＲＭメジャメント構成を受信した後、ＲＲＭメジャメント構成の変更または解除を受信するまで、ＣＲＳメジャメントが行われることを示している。
【０１５２】
ステップＳＴ１５０４において、ＵＥ１は、検出したセルのＣＲＳの測定結果が報告条件に合致した場合、ＣＲＳの測定結果を、メジャメントリポート（measurement report）メッセージを用いて、サービングセルに報告する。例えば、ＵＥ１は、ＣＲＳの受信電力（ＲＳＲＰ）が、ＲＲＭメジャメント構成で設定された閾値以上となったセルについて、該セルのセルアイデンティティと該ＲＳＲＰとをサービングセルに通知する。他にも例えば、ＵＥ１は、検出したセルのＣＲＳの受信電力（ＲＳＲＰ）とサービングセルのＣＲＳの受信電力（ＲＳＲＰ）との差分が、ＲＲＭメジャメント構成で設定された閾値以上となったセルについて、該セルのセルアイデンティティと該ＲＳＲＰとを、サービングセルに通知するようにしてもよい。ＣＲＳの受信電力に限らず、受信品質（Reference Signal Received Quality：ＲＳＲＱ）であってもよい。また、ＣＲＳの測定結果の報告は、定期的に行われてもよいし、周期的に行われてもよい。ＲＲＭメジャメント構成およびメジャメントリポートに、サービングセルを含ませるようにしてもよい。また、サービングセルのＣＲＳメジャメント結果は、必ずメジャメントリポートで報告するようにしてもよい。
【０１５３】
ステップＳＴ１５０５において、サービングセルは、ＵＥ１から通知されたメジャメントリポートメッセージに基づいて、報告された一つまたは複数のセルからなるＲＲＭメジャメントセットを作成する。
【０１５４】
ＵＥ１に対してＲＲＭメジャメントセットが既に存在する場合は、ステップＳＴ１５０４のメジャメントリポートのメッセージに基づいて、該ＲＲＭメジャメントセット内のセルの追加、削除または変更を行えばよい。あるいは、該ＲＲＭメジャメントセット内の各セルに対して、閾値以上となったかどうか、そのときのセルの受信電力あるいは受信品質を該ＲＲＭメジャメントセット内セルのセルアイデンティティに対応付けて記録および管理しておいてもよい。
【０１５５】
ステップＳＴ１５０６において、ＵＥ１とサービングセルとは、下り（Downlink：ＤＬ）および上り（Uplink：ＵＬ）の少なくともいずれか一方のデータ通信を行う。
【０１５６】
ステップＳＴ１５０７において、ＵＥ１は、ＣＲＳからＣＱＩ（Channel Quality Indicator）を導出して、サービングセルにフィードバックする。
【０１５７】
ステップＳＴ１５０８において、サービングセルは、ＵＥ１から受信したＣＱＩを用いて、ＣｏＭＰを実行するか否か、すなわちＣｏＭＰをオン（ｏｎ）にするかオフ（ｏｆｆ）にするかを決定する。サービングセルは、例えば、ＣＱＩが所定の閾値（以下「閾値Ａ」という）を下回った場合、ＣｏＭＰを実行すると決定し、ＣＱＩが所定の閾値（以下「閾値Ｂ」という）を上回った場合、ＣｏＭＰの実行を止めると決定する。閾値Ａと閾値Ｂとに所定のオフセットを設けておき、ヒステリシスをもたせるようにするとよい。これによって、サービングセルは、ＵＥ１に対してＣｏＭＰを実行するか否かを判断することが可能となる。ステップＳＴ１５０８の処理が終了すると、ステップＳＴ１５３０に移行する。
【０１５８】
ステップＳＴ１５３０において、サービングセルは、ＵＥ１に対するＣｏＭＰメジャメントセットを決定する。すなわち、サービングセルは、ＣｏＭＰメジャメントセットの選択を行う。具体的には、サービングセルは、ＣｏＭＰメジャメントセット内のセル（以下「ＣｏＭＰメジャメントセット内セル」という場合がある）の選択を行う。ＣｏＭＰメジャメントセット内セルは、ＲＲＭメジャメントセット内のセル（以下「ＲＲＭメジャメントセット内セル」という場合がある）から選択される。選択するための指標として、ＲＲＭメジャメントセット内のセルのセルアイデンティティ、ＣｏＭＰメジャメントセットに含めることができるセルの数、またはセルのリファレンスシンボルの受信電力（ＲＳＲＰ）もしくは受信品質（ＲＳＲＱ）（以下「ＲＳＲＰ／ＲＳＲＱ」という場合がある）などを用いてもよい。これらは、ＣＱＩと併せて用いてもよい。
【０１５９】
また、他の選択するための指標として、例えば、各セルの負荷（ロード）などを用いてもよい。各セル内のロードが高い場合は、ＣｏＭＰメジャメントセットに選択せず、ロードが低い場合は、ＣｏＭＰメジャメントセットに選択する。前記指標に、各セルの負荷（ロード）を併せて用いることによって、各セルのロード状況に応じて、ＣｏＭＰを実行することを可能とするかどうかを決めることができ、移動体通信システムとしてのスループットの向上を図ることができる。
【０１６０】
しかし、ＲＲＭメジャメントセットは、ＣｏＭＰコオペレーティングセットに属さないセルも含む場合がある。この場合、ＣｏＭＰコオペレーティングセットに属さないセルをＣｏＭＰメジャメントセットに選択しても、ＣｏＭＰを行うことができない。したがって、ＣｏＭＰコオペレーティングセットに属さないセルをＣｏＭＰメジャメントセットに選択するのは無駄であり、誤動作を引き起こしかねない。
【０１６１】
そこで本実施の形態では、ＣｏＭＰメジャメントセットに選択するセルを、ＲＲＭメジャメントセットのうち、ＣｏＭＰコオペレーティングセットに属するセルに限定する。これによって、ＣｏＭＰ可能なセルのみＣｏＭＰメジャメントセットに含めることが可能となる。
【０１６２】
ステップＳＴ１５３０において、ＣｏＭＰメジャメントセット内セルがサービングセル一つのみになった場合、サービングセルは、ＣｏＭＰの実行を止めると判断してもよい。その場合、サービングセルは、ＣｏＭＰメジャメント構成の解除（リリース）を決定し、ＵＥ１に通知してもよいし、ステップＳＴ１５２７の処理に移行してもよい。後に開示するように、サービングセルがＣｏＭＰメジャメントセットに含まれないような場合、ＣｏＭＰメジャメントセット内セルが一つのみになったときは、ＣｏＭＰの実行を止めないと判断してもよい。サービングセルとＣｏＭＰメジャメントセット内のセルとで、ＣｏＭＰを実行してもよい。ステップＳＴ１５３０の処理が終了すると、ステップＳＴ１５０９に移行する。
【０１６３】
ステップＳＴ１５０９において、サービングセルは、ＵＥ１に対するＣｏＭＰメジャメント構成（CoMP measurement configuration）を設定する。ＣｏＭＰメジャメント構成としては、例えば、ＣｏＭＰメジャメントセット内セルのセルアイデンティティ、ＣｏＭＰメジャメントセット内セルのＣＳＩ−ＲＳの構成（CSI-RS configuration）、またはＣｏＭＰメジャメントセット内セルのＵＥ１に対する復調用参照信号（Demodulation Reference Signal：ＤＭ−ＲＳ）の構成などが設定される。ＣＳＩ−ＲＳの構成として、セル毎にＣＳＩ−ＲＳが送信される周期が設定される。
【０１６４】
ステップＳＴ１５１０において、サービングセルは、ＵＥ１に、ＣｏＭＰメジャメント構成を通知する。ＣｏＭＰメジャメント構成の通知には、個別シグナリングが用いられる。個別シグナリングとしては、ＲＲＣシグナリングが用いられる。
【０１６５】
ステップＳＴ１５１０においてＣｏＭＰメジャメント構成を受信したＵＥ１は、ステップＳＴ１５１１において、ＣｏＭＰメジャメント構成内で設定されているＣｏＭＰメジャメントセット内セルのＣＳＩ−ＲＳ構成およびＤＭ−ＲＳ構成の少なくともいずれか一方を設定する。
【０１６６】
ステップＳＴ１５１３において、サービングセルは、ＣｏＭＰメジャメントセットからＣＳＩ−ＲＳを送信する。
【０１６７】
ステップＳＴ１５１２において、ＵＥ１は、ＣｏＭＰメジャメントセット内セルのＣＳＩ−ＲＳを測定する。例えば、ＵＥ１は、ＣＳＩ−ＲＳのＲＳＲＰ／ＲＳＲＱを測定する。本実施の形態では、ＵＥ１は、ステップＳＴ１５１４において、ＣＳＩ−ＲＳの測定値からＣＳＩを導出する。ステップＳＴ１５１４のＣＳＩの導出処理は、行わなくてもよい。
【０１６８】
ＣＳＩ−ＲＳの測定は、セル毎またはポイント毎に行ってもよい。これらのＣＳＩ−ＲＳの測定方法は、予め規格で決められてもよいし、ＣｏＭＰメジャメント構成に含めてサービングセルからＵＥ１に通知するようにしてもよい。ＣｏＭＰメジャメント構成に含めて通知することによって、動的あるいは準静的に測定方法を変更することが可能となる。したがって、ＣｏＭＰに適したＣｏＭＰトランスミッションポイントの選択を行うことができる。
【０１６９】
ＣｏＭＰメジャメントセットのＣＳＩ−ＲＳの測定は、ＵＥ１がＣｏＭＰメジャメント構成を受信した後、ＣｏＭＰメジャメント構成の解除（リリース）を受信するまで行われるようにするとよい。ＣＳＩ−ＲＳの測定は、定期的に行われてもよいし、周期的に行われてもよい。
【０１７０】
ステップＳＴ１５１５において、ＵＥ１は、ＣｏＭＰメジャメントセット内セルのＣＳＩ−ＲＳの測定結果（CSI-RS measurement report）、例えばＲＳＲＰ／ＲＳＲＱの測定結果をサービングセルに報告する。本実施の形態のようにステップＳＴ１５１４でＣＳＩを導出した場合は、ステップＳＴ１５１５において、ＵＥ１は、ＣＳＩ−ＲＳの測定結果とともに、ＣＳＩの導出結果（CSI feedback）をサービングセルに報告する。ＣＳＩ−ＲＳの測定結果の報告は、定期的に行われてもよいし、周期的に行われてもよいし、所定の条件を満たした場合に行われるようにしてもよい。ＣｏＭＰメジャメント構成およびＣＳＩ−ＲＳメジャメントリポートに、サービングセルを含ませるようにしてもよい。また、サービングセルのＣＳＩ−ＲＳメジャメント結果は、必ずＣＳＩ−ＲＳメジャメントリポートで報告するようにしてもよい。
【０１７１】
ステップＳＴ１５１６において、サービングセルは、ＵＥ１から報告されたＣＳＩ−ＲＳの測定結果（CSI-RS measurement report）、例えばＲＳＲＰ／ＲＳＲＱの測定結果、およびＣＳＩの導出結果（CSI feedback）から、ＣｏＭＰトランスミッションポイントを決定する。ステップＳＴ１５１５でＣＳＩの導出結果が報告されない場合は、サービングセルは、ＣＳＩ−ＲＳの測定結果から、ＣｏＭＰトランスミッションポイントを決定する。このとき、他の指標、例えば、各セルの負荷（ロード）などを用いてもよい。各セル内のロードが高い場合は、ＣｏＭＰトランスミッションポイントとせず、ロードが低い場合は、ＣｏＭＰトランスミッションポイントとする。このように、各セルの負荷（ロード）を併せて用いることによって、各セルのロード状況に応じて、ＣｏＭＰを実行することを可能とするかどうかを決めることができ、移動体通信システムとしてのスループットの向上を図ることができる。ステップＳＴ１５１６の処理の終了後は、ステップＳＴ１５１８に移行する。
【０１７２】
ステップＳＴ１５１８において、サービングセルは、ＵＥ１用の物理下り制御チャネル（ＰＤＣＣＨ）に、ＣｏＭＰトランスミッションポイントを示す情報を含めて、スケジューリング（CoMP scheduling）を行う。ＣｏＭＰトランスミッションポイントを示す情報は、ＰＤＣＣＨの下り制御情報（Downlink Control Information：ＤＣＩ）に含めるとよい。
【０１７３】
ＣｏＭＰトランスミッションポイントを示す情報としては、ＰＣＩなどのセルアイデンティティでもよい。しかし、ＰＣＩなどのセルアイデンティティでは、必要とするビット数が多くなるので、ＰＤＣＣＨに含めると、ＰＤＣＣＨの容量が不足するという問題が生じる。
【０１７４】
このＰＤＣＣＨの容量が不足するという問題を解消するために、ＣｏＭＰメジャメントセット内のセルにナンバリングを行い、ナンバリングしたナンバによってＣｏＭＰトランスミッションポイントを示すとよい。ナンバはＣｏＭＰメジャメントセット内のセル数に限定されるので、前記ナンバを用いることによって、情報量を低減させることが可能となる。前記ナンバを用いる場合、ＣｏＭＰメジャメントセット内セルのセルアイデンティティと、ナンバリングしたナンバとの関係を、ステップＳＴ１５０９で設定されるＣｏＭＰメジャメント構成に含めておき、ステップＳＴ１５１０において、サービングセルからＵＥ１に通知しておくとよい。
【０１７５】
ステップＳＴ１５１７において、ＵＥ１は、サービングセルからのＰＤＣＣＨを受信して、ＰＤＣＣＨのＤＣＩに含まれるＣｏＭＰトランスミッションポイント情報を得て、ＣｏＭＰトランスミッションポイントの受信を行う。ＣｏＭＰトランスミッションポイントの受信には、ステップＳＴ１５１０において受信したＣｏＭＰメジャメント構成を用いるとよい。
【０１７６】
ステップＳＴ１５１９において、ＵＥ１とサービングセルとは、ＣｏＭＰによる送受信を行う。また、ＵＥ１は、ＣＳＩ−ＲＳからＣＳＩを導出して、サービングセルにフィードバックする。
【０１７７】
ステップＳＴ１５２０において、サービングセルは、ＣｏＭＰトランスミッションポイントを変更するか否かを判断する。具体的には、サービングセルは、ＣＳＩフィードバック情報を用いて、ＣｏＭＰトランスミッションポイントを変更するか否かを判断する。
【０１７８】
サービングセルは、ＣｏＭＰトランスミッションポイントを変更すると判断した場合、ＣｏＭＰメジャメントセットのＣＳＩ−ＲＳの測定結果および前述の他の指標を用いて、ＣｏＭＰメジャメントセットに追加するセル、またはＣｏＭＰメジャメントセットから削除もしくは変更するセルの選択を行う。このとき、ＣｏＭＰトランスミッションポイントのＣＳＩフィードバック情報と、ＣｏＭＰメジャメントセットのＣＳＩ−ＲＳの測定結果とを併せて用いてもよい。
【０１７９】
ステップＳＴ１５２０において、ＣｏＭＰトランスミッションポイントを変更すると判断された場合は、前記セルの選択が行われた後、ステップＳＴ１５１６に戻り、ＣｏＭＰトランスミッションポイントを変更しないと判断された場合は、ステップＳＴ１５２１に移行する。
【０１８０】
前記セルの選択を行ったサービングセルは、ステップＳＴ１５１６において、ＣｏＭＰトランスミッションポイントの追加、削除、または変更を行い、ステップＳＴ１５１８に移行する。ステップＳＴ１５１８において、サービングセルは、ＵＥ１用のＰＤＣＣＨのＤＣＩに、変更後のＣｏＭＰトランスミッションポイントを示す情報を含めて、スケジューリング（CoMP scheduling）を行う。
【０１８１】
ステップＳＴ１５２１において、ＵＥ１とサービングセルとは、ＣｏＭＰによる送受信を行う。また、ＵＥ１は、ＣＳＩ−ＲＳからＣＳＩを導出して、サービングセルにフィードバックする。
【０１８２】
ステップＳＴ１５２２において、ＣＲＳメジャメントを行っているＵＥ１は、ステップＳＴ１５２３において、ＣＲＳの測定結果を、メジャメントリポート（measurement report）メッセージを用いて、サービングセルに報告する。
【０１８３】
ステップＳＴ１５２４において、メジャメントリポートメッセージを受信したサービングセルは、必要に応じてＲＲＭメジャメントセットの変更、具体的にはＲＲＭメジャメントセット内セルの変更を行う。サービングセルは、メジャメントリポートメッセージによって受信したセルのアイデンティティおよびＣＲＳの測定結果情報などを用いて、ＲＲＭメジャメントセットの変更を行うことを決定した場合、追加、削除、または変更するセルの選択を行い、ＲＲＭメジャメントセットの追加、削除、または変更を行う。
【０１８４】
ステップＳＴ１５２４においてＲＲＭメジャメントセットの変更が行われた場合、ＲＲＭメジャメントセットから選択されるＣｏＭＰメジャメントセットの変更、具体的にはＣｏＭＰメジャメントセット内セルの追加、削除、または変更も必要となることがある。したがって、サービングセルは、ステップＳＴ１５２５において、ＣｏＭＰメジャメントセットの変更を行うか否かを判断する。具体的には、サービングセルは、ＣｏＭＰメジャメントセット内セルの変更を行うか否かを判断する。
【０１８５】
ステップＳＴ１５２５において、ＣｏＭＰメジャメントセットの変更、具体的にはＣｏＭＰメジャメントセット内セルの変更を行うと判断された場合、サービングセルは、ステップＳＴ１５３０に戻り、ステップＳＴ１５３０の処理を実行する。サービングセルは、ステップＳＴ１５３０で変更したＣｏＭＰメジャメント構成を、ステップＳＴ１５１０において、ＵＥ１に通知する。
【０１８６】
このとき、ＣｏＭＰメジャメント構成の全てを通知してもよいし、または、最近に通知したＣｏＭＰメジャメント構成との差分を通知するようにしてもよい。ＣｏＭＰメジャメント構成の全てを通知することによって、ＵＥとネットワーク側とで確実に同じＣｏＭＰメジャメント構成を用いることができ、誤動作を防ぐことができる。他方、最近に通知したＣｏＭＰメジャメント構成との差分を通知することによって、サービングセルからＵＥに通知するシグナリング量の削減を図ることができる。
【０１８７】
ステップＳＴ１５２５において、ＣｏＭＰメジャメントセットの変更、具体的にはＣｏＭＰメジャメントセット内セルの変更を行わないと判断された場合は、ステップＳＴ１５２６に移行する。
【０１８８】
ステップＳＴ１５２６において、ＵＥ１とサービングセルとは、引続きＣｏＭＰによる送受信を行う。また、ＵＥ１は、ＣＳＩ−ＲＳからＣＳＩを導出して、サービングセルにフィードバックする。
【０１８９】
ステップＳＴ１５２６においてＵＥ１に対してＣｏＭＰによる送受信を行っているサービングセルは、ＣｏＭＰを実行するか否かを決定する。ＣｏＭＰを実行するか否かは、ＣＳＩ−ＲＳの測定結果を用いて決定してもよい。ステップＳＴ１５０７の処理におけるＣＱＩの代わりに、ＣＳＩ−ＲＳを用いて同様の処理方法で行うとよい。また、ＣＲＳの測定結果を用いて、ＣｏＭＰを実行するか否かを決定してもよい。また、ＣＳＩ−ＲＳの測定結果とＣＲＳの測定結果とを併せて用いてもよい。
【０１９０】
ここで、ステップＳＴ１５２７において、サービングセルが、ＣｏＭＰを解除（リリース）する、すなわちＣｏＭＰの実行を止めると決定した場合を考える。この場合、サービングセルは、ステップＳＴ１５２８において、ＵＥ１に、ＣｏＭＰメジャメント構成の解除（リリース）を通知する。ＣｏＭＰメジャメント構成の解除の通知には、個別シグナリングが用いられる。個別シグナリングとしては、ＲＲＣシグナリングが用いられる。
【０１９１】
ステップＳＴ１５２８において、ＵＥ１にＣｏＭＰメジャメント構成の解除（リリース）を通知したサービングセルは、ＵＥ１に対するＣｏＭＰの実行を止める。これによって、ＣｏＭＰメジャメントセットからのＣＳＩ−ＲＳの送信、サービングセルからのＣｏＭＰトランスミッションポイントスケジューリングの送信、およびＣｏＭＰトランスミッションポイントからのデータの送信が止められる。
【０１９２】
ＣｏＭＰメジャメント構成の解除を受信したＵＥ１は、ステップＳＴ１５２９において、ＣｏＭＰメジャメントセットなどのＣｏＭＰメジャメント構成の設定を解除（リリース）する。これによって、ＣｏＭＰメジャメントセットのメジャメントも停止する。ＵＥ１は、サービングセルから、ＣｏＭＰトランスミッションポイントのスケジューリングが通知されないので、ＣｏＭＰによる送受信の実行を行わなくなる。
【０１９３】
本実施の形態では、ＣｏＭＰを実行する場合の、各セルの集合の使用方法、ＵＥとサービングセルとの間の通知方法、およびその手順を開示した。以上に開示した方法を用いることによって、ＣｏＭＰを実行することが可能となる。
【０１９４】
実施の形態２．
実施の形態１で述べたように、ＵＥは、ＣｏＭＰメジャメントセット内の各セルのＣＳＩ−ＲＳの測定を行う。したがって、ＣｏＭＰメジャメントセット内のセル数が多い場合、ＵＥの消費電力が増大する。ＣｏＭＰメジャメントセット内のセル数を少なくすることで、ＵＥの消費電力が増大することを防ぐことはできる。しかし、ＣｏＭＰメジャメントセット内のセル数を少なくした場合、ＣｏＭＰトランスミッションポイントの候補となるセル数が少なくなるので、最適なＣｏＭＰトランスミッションポイントが選択されないという問題が生じる。
【０１９５】
また、ＣｏＭＰメジャメントセットの変更を迅速に高頻度で行うことによって、最適なＣｏＭＰトランスミッションポイントが選択されないという問題は解消するが、ＣｏＭＰメジャメントセット内セルの変更は、ＲＲＣシグナリングで行われるので、迅速に変更を行うことができず、遅延が生じる。また、変更されたＣｏＭＰメジャメントセットを高頻度でＵＥに通知しなければならないので、そのためのＲＲＣシグナリング量が増大するという問題が生じる。
【０１９６】
以上のような問題を解消するために、本実施の形態では、ＣｏＭＰメジャメントセット内セルのサブセットを設けることを開示する。本実施の形態では、ＣｏＭＰメジャメントセット内セルの一部あるいは全部からなるサブセットを設ける。このようなサブセットを、ＣｏＭＰアクティブセット（CoMP active set）と称する。
【０１９７】
図１７は、ＣｏＭＰアクティブセットと他のセットとの包含関係について説明するための図である。図１７に示すように、ＲＲＭメジャメントセット１４０１の一部あるいは全部がＣｏＭＰメジャメントセット１４０２となり、ＣｏＭＰメジャメントセット１４０２の一部あるいは全部がＣｏＭＰアクティブセット１６０１となり、ＣｏＭＰアクティブセット１６０１の一部あるいは全部がＣｏＭＰトランスミッションポイント１４０３となるように、ＣｏＭＰアクティブセットが構成される。
【０１９８】
ＣｏＭＰアクティブセット内のセル（以下「ＣｏＭＰアクティブセット内セル」という場合がある）の選択方法について開示する。ＣｏＭＰアクティブセット内セルは、ＣｏＭＰメジャメントセット内セルから選択される。どのセルを選択するかの判断指標として、以下の（１），（２）の２つを開示する。
【０１９９】
（１）ＵＥによるＣＳＩ−ＲＳの測定結果を判断指標として用いる。
（２）ＵＥから送信される上りリンクの通信品質を判断指標として用いる。
【０２００】
前記（１）の判断指標としてのＣＳＩ−ＲＳの測定結果としては、ＣＳＩ−ＲＳのＲＳＲＰまたはＲＳＲＱを用いてもよく、あるいはＣＳＩ−ＲＳの測定値から導出したＣＳＩを用いてもよい。また、ＣＳＩ−ＲＳのＲＳＲＰまたはＲＳＲＱと、ＣＳＩ−ＲＳの測定値から導出したＣＳＩとを併用してもよい。ＣＳＩ−ＲＳの測定結果をセル選択の判断指標として用いることによって、ＣｏＭＰを行うデータをマッピングするＰＤＳＣＨ領域の通信品質が判るので、ＣｏＭＰの実行に適したセルを選択することが可能となる。
【０２０１】
前記（２）の判断指標としての上りリンクの通信品質としては、ＳＲＳ（Sounding Reference Signal）の測定結果を用いてもよく、あるいはＰＵＣＣＨまたはＰＵＳＣＨの復調用ＲＳの測定結果を用いてもよい。上りリンクの通信品質をセル選択の判断指標として用いることによって、ＵＥがＣＳＩ測定および報告を行わなくて済む。したがって、ＵＥの消費電力の低減を図ることができる。また、時分割複信（Time Division Duplex：ＴＤＤ）においては、下りリンクは上りリンクと同じ周波数帯域を用いるので、下りのリンクのＣｏＭＰにおいても、ＣｏＭＰの実行に適したセルを選択することが可能となる。
【０２０２】
前記（１）および（２）の判断指標をそれぞれ単独で用いるのではなく、前記（１）および（２）の両者を併用してもよい。両者を用いてＣｏＭＰアクティブセットのセルが選択されるようにしてもよい。また、これらの判断指標と、ＵＥによるＣＲＳの測定結果とを併用してもよい。
【０２０３】
ＣｏＭＰアクティブセットをＵＥへ通知する方法について開示する。サービングセルは、ＣｏＭＰアクティブセット内のセルをＵＥに通知する。ＣｏＭＰアクティブセットの通知は、必要に応じて行うようにしてもよい。例えば、ＣｏＭＰアクティブセットが構成されない場合は、ＣｏＭＰアクティブセットの通知を行わないようにしてもよい。この場合、ＵＥは、ＣｏＭＰアクティブセットが通知されないとき、ＣｏＭＰアクティブセットが構成されないと判断するようにすればよい。
【０２０４】
ＣｏＭＰアクティブセットの通知は、ＭＡＣシグナリングで行われるとよい。ＭＡＣシグナリングを用いることによって、ＲＲＣシグナリングを用いる場合よりも低遅延でＣｏＭＰアクティブセットを通知することができる。また、ＲＲＣシグナリングが不要となるので、ＣｏＭＰアクティブセットの通知を行うことで、ＲＲＣシグナリング量が増大することは無い。
【０２０５】
ＣｏＭＰアクティブセット内のセルを示す情報としては、ＰＣＩなどのセルアイデンティティでもよい。しかし、ＰＣＩなどのセルアイデンティティでは、必要とするビット数が多くなるので、ＭＡＣシグナリングに含めると、ＭＡＣにおけるオーバヘッドが増大するという問題が生じる。
【０２０６】
この問題を解消するために、ＣｏＭＰメジャメントセット内セルにナンバリングを行い、ナンバリングしたナンバによってＣｏＭＰアクティブセット内セルを示すとよい。ナンバは、ＣｏＭＰメジャメントセット内のセル数に限定されるので、前記ナンバを用いることによって、情報量を低減させることが可能となる。前記ナンバは、実施の形態１で開示したＣｏＭＰトランスミッションポイントのために設けたＣｏＭＰメジャメントセット内セルのナンバと同一としてもよい。
【０２０７】
前記ナンバを用いる場合、ＣｏＭＰメジャメントセット内セルのセルアイデンティティと、ナンバリングしたナンバとの関係を、ステップＳＴ１５０９で設定されるＣｏＭＰメジャメント構成に含めておき、ステップＳＴ１５１０において、サービングセルからＵＥ１に通知しておくとよい。
【０２０８】
ＣｏＭＰアクティブセットの通知をＭＡＣシグナリングで行う場合、例えば、ＣｏＭＰアクティブセット情報を、ＭＡＣ  ＣＥ（MAC control element）に含めて通知するようにすればよい。ＣｏＭＰメジャメントセット内の各セルについて、ＣｏＭＰアクティブセットに含めるか否かを１ビットで示したビットマップとしてもよい。ＣｏＭＰメジャメントセット内の各セルのナンバの昇順あるいは降順に、ビットマップとしてもよい。これによって、情報量が、ＣｏＭＰメジャメントセット内のセル数のビット数で済む。
【０２０９】
ＣｏＭＰメジャメントセットに含める場合をアクティベート（activate：act）とし、ＣｏＭＰメジャメントセットに含めない場合をデアクティベート（deactivate：deact）としてもよい。すなわち、ＣｏＭＰメジャメントセットのうち、アクティベート（activate）するセルの集合をＣｏＭＰアクティブセットとするとよい。
【０２１０】
ＣｏＭＰアクティブセットを通知された場合のＵＥの動作について開示する。ＵＥは、ＭＡＣシグナリングによって通知されたＣｏＭＰアクティブセット内のセルのＣＳＩ−ＲＳを測定し、サービングセルに測定結果を報告する。
【０２１１】
ＣｏＭＰアクティブセットが設定された場合、ＵＥは、ＣｏＭＰアクティブセット外のセルのＣＳＩ−ＲＳを測定および報告しないようにしてもよい。これによって、ＵＥは、ＣｏＭＰメジャメントセット内の全てのセルのＣＳＩ−ＲＳを測定する必要が無くなるので、低消費電力化を図ることができる。この場合、ＣｏＭＰアクティブセットに含めるセルの選択の判断指標として、ＵＥによるＣＲＳの測定および報告結果、あるいは、ＵＥからの上りリンクの通信品質を用いるようにすればよい。
【０２１２】
また、他の方法として、ＣｏＭＰアクティブセットが設定された場合、ＵＥは、ＣｏＭＰアクティブセット内のセルとＣｏＭＰアクティブセット外のセルとで、ＣＳＩ−ＲＳの測定周期および報告周期の少なくともいずれか一方を異ならせるとよい。具体的には、ＣｏＭＰアクティブセット外のセルのＣＳＩ−ＲＳの測定周期および報告周期を、ＣｏＭＰアクティブセット内のセルのＣＳＩ−ＲＳの測定周期および報告周期よりも長くするとよい。
【０２１３】
これによって、ＣｏＭＰトランスミッションポイントを選択するときには、短い周期のＣＳＩ−ＲＳの測定結果を用いることが可能となり、ＣｏＭＰに適したＣｏＭＰトランスミッションポイントの選択が可能となる。他方、ＣｏＭＰアクティブセットを選択するときには、長い周期のＣＳＩ−ＲＳの測定結果を用いることによって、ＵＥの消費電力を低減することが可能となる。したがって、ＣｏＭＰに適したＣｏＭＰトランスミッションポイントの選択を可能としつつ、ＵＥの消費電力を低減することが可能となる。
【０２１４】
ＣｏＭＰアクティブセットが設定された場合に、ＵＥがＣｏＭＰアクティブセット外のセルのＣＳＩ−ＲＳを測定および報告しないようにする設定、あるいは、ＵＥがＣｏＭＰアクティブセット内のセルとＣｏＭＰアクティブセット外のセルとで、ＣＳＩ−ＲＳの測定周期および報告周期の少なくともいずれか一方を異ならせる設定は、サービングセルからＵＥに個別シグナリングで通知するとよい。個別シグナリングとして、ＲＲＣシグナリングを用いるとよい。例えば、ＣｏＭＰメジャメント構成をＵＥに通知するときに、併せて通知するようにしてもよい。また、動的あるいは準静的に設定するようにしてもよい。
【０２１５】
また、前述の設定を予め静的に規格で決めておいてもよい。これによって、ＵＥは、ＭＡＣシグナリングでＣｏＭＰアクティブセットを通知された場合に、ＣｏＭＰアクティブセット外のセルのＣＳＩ−ＲＳの測定をどのようにするかの判断をすることが可能となる。
【０２１６】
ＣｏＭＰアクティブセットが設定された場合、ＣｏＭＰアクティブセット外のセルからＣＳＩ−ＲＳを送信しないようにしてもよい。これによって、該セルから不要な送信を行わなくて済む。
【０２１７】
また、ＣｏＭＰアクティブセットが設定された場合、ＣｏＭＰ対象のＵＥに対して、ＣｏＭＰアクティブセット外のセルからはＣｏＭＰが実行されないようにしてもよい。
【０２１８】
ＣｏＭＰメジャメントセットにおいては、ＣｏＭＰ対象のＵＥに対してＣｏＭＰの実行を可能とするので、該ＵＥのデータ、それに関する情報およびスケジューリング情報を、ＣｏＭＰメジャメントセット内のセル間で送受信する必要がある。したがって、ＣｏＭＰメジャメントセット内のセル数が多いと、ネットワーク側における制御負荷およびシグナリング負荷が増大する。
【０２１９】
前述のようにＣｏＭＰアクティブセット外のセルからはＣｏＭＰが実行されないようにすることによって、このようなネットワーク側における制御負荷およびシグナリング負荷の増大を抑制することが可能となる。
【０２２０】
この場合、ＣｏＭＰアクティブセット外のセルからＣＳＩ−ＲＳを送信するようにしてもよいし、ＵＥはＣｏＭＰアクティブセット外のセルからのＣＳＩ−ＲＳを測定するようにしてもよい。たとえこのようにしても、ＣｏＭＰアクティブセット外のセルからはＣｏＭＰが実行されないようにすることによって、ＣｏＭＰ対象のＵＥのデータ、それに関する情報およびスケジューリング情報を、ネットワーク側においてやりとりする必要が無くなる。したがって、ネットワーク側における制御負荷およびシグナリング負荷の増大を抑制することが可能となる。
【０２２１】
ＣｏＭＰアクティブセット内のセルから、ＣｏＭＰトランスミッションポイントを選択する方法を開示する。サービングセルは、ＵＥから報告されたＣＳＩ−ＲＳの測定結果を用いて、ＣｏＭＰトランスミッションポイントを選択する。ＣｏＭＰアクティブセットが設定されなかった場合は、ＣｏＭＰメジャメントセット内のセルから、ＣｏＭＰトランスミッションポイントが選択される。ＣｏＭＰアクティブセットが設定されなかった場合、サービングセルは、ＵＥから報告されたＣｏＭＰメジャメントセット内のセルのＣＳＩ−ＲＳの測定結果を用いて、ＣｏＭＰトランスミッションポイントを選択するとよい。
【０２２２】
ＣｏＭＰアクティブセットを設けた場合のＣｏＭＰを実行するときのシーケンス例を開示する。ＣｏＭＰアクティブセットの決定は、ＣｏＭＰメジャメントセットの決定と、ＣｏＭＰトランスミッションポイントの決定との間に行われる。図１８は、実施の形態２における移動体通信システムのシーケンスの一例を示す図である。図１８に示すシーケンスは、図１５および図１６に示すシーケンスと類似しているので、同一のステップについては同一のステップ番号を付して、共通する説明を省略する。図１８では、ＣｏＭＰアクティブセットを設けた場合のＣｏＭＰを実行するシーケンスを示している。
【０２２３】
ＵＥ１およびサービングセルは、第１の処理として、図１５および図１６に示すステップＳＴ１５０１〜ステップＳＴ１５１４の処理およびステップＳＴ１５３０の処理を行う。
【０２２４】
ステップＳＴ１５１５において、ＵＥ１は、ＣＳＩ−ＲＳの測定結果をサービングセルに報告する。ＵＥ１からのＣＳＩ−ＲＳの測定結果の報告を受信したサービングセルは、ステップＳＴ１７０１において、ＣｏＭＰアクティブセットを設定することを決定する。具体的には、ＣｏＭＰメジャメントセット内のセルのうち、アクティブ（active）とするセルを決定する。アクティブとするセルの決定の判断には、ＵＥから報告されたＣＳＩ−ＲＳの測定結果を用いる。
【０２２５】
ステップＳＴ１７０２において、サービングセルは、ＵＥ１に、ＣｏＭＰアクティブセットを通知する。ＣｏＭＰアクティブセットの通知には、ＭＡＣシグナリングを用いる。
【０２２６】
ＣｏＭＰアクティブセットを受信したＵＥ１は、ステップＳＴ１７０３において、ＣｏＭＰアクティブセット内のセルのＣＳＩ−ＲＳの測定を行う。例えば、ＣＳＩ−ＲＳのＲＳＲＰ／ＲＳＲＱの測定を行う。
【０２２７】
ステップＳＴ１７０３におけるＣＳＩ−ＲＳの測定は、セル毎またはポイント毎に行ってもよい。ＣＳＩ−ＲＳの測定方法は、予め規格で決められてもよいし、ＣｏＭＰメジャメント構成に含めて、サービングセルからＵＥに通知するようにしてもよい。ＣｏＭＰメジャメント構成に含めて通知することによって、動的あるいは準静的に測定方法を変更することが可能となる。これによって、ＣｏＭＰに適したＣｏＭＰトランスミッションポイントの選択を行うことができる。
【０２２８】
ＣｏＭＰアクティブセットのＣＳＩ−ＲＳの測定は、ＵＥ１がＣｏＭＰアクティブセットの構成を受信した後、ＣｏＭＰアクティブセットの構成の解除（リリース）を受信するまで行われるようにするとよい。あるいは、ＣｏＭＰアクティブセット内セルが全てデアクティブ（deactive）状態になるまで行われるようにするとよい。ＣＳＩ−ＲＳの測定は、定期的に行われてもよいし、周期的に行われてもよい。
【０２２９】
ステップＳＴ１７０４において、ＵＥ１は、ＣＳＩ−ＲＳの測定値からＣＳＩを導出する。ステップＳＴ１７０４のＣＳＩの導出処理は、行われなくてもよい。
【０２３０】
ステップＳＴ１７０５において、ＵＥ１は、ＣｏＭＰアクティブセット内セルのＣＳＩ−ＲＳの測定結果（CSI-RS measurement report）、例えばＲＳＲＰ／ＲＳＲＱの測定結果、およびＣＳＩの導出結果（CSI feedback）をサービングセルに報告する。前述のステップＳＴ１７０４のＣＳＩの導出処理が行われない場合は、ＣＳＩの導出結果の報告は行われない。ＣＳＩ−ＲＳの測定結果の報告は、定期的に行われてもよいし、周期的に行われてもよいし、所定の条件を満たした場合に行われるようにしてもよい。ＣｏＭＰアクティブセットおよびＣＳＩ−ＲＳメジャメントリポートにサービングセルを含ませるようにしてもよい。また、サービングセルのＣＳＩ−ＲＳメジャメント結果は、必ずＣＳＩ−ＲＳメジャメントリポートで報告するようにしてもよい。
【０２３１】
ステップＳＴ１５１６において、サービングセルは、報告されたＣＳＩ−ＲＳの測定結果、例えばＲＳＲＰ／ＲＳＲＱの測定結果と、ＣＳＩの導出結果とから、ＣｏＭＰトランスミッションポイントを決定する。あるいは、セルの負荷（ロード）などの指標を併せて用いてもよい。前述のステップＳＴ１７０５のＣＳＩの導出結果の報告が行われない場合は、サービングセルは、ＣＳＩ−ＲＳの測定結果から、ＣｏＭＰトランスミッションポイントを決定する。
【０２３２】
ステップＳＴ１７０５の処理が終了したＵＥ１、およびステップＳＴ１５１６の処理が終了したサービングセルは、第２の処理として、図１５および図１６に示すステップＳＴ１５１７〜ステップＳＴ１５２９の処理を行う。
【０２３３】
本実施の形態で開示した方法によって、ＵＥは、少なくともＣｏＭＰアクティブセット内セルのＣＳＩ−ＲＳの測定を行えばよくなるので、低消費電力化を図ることが可能となる。
【０２３４】
また、ＭＡＣシグナリングでＵＥに通知することによって、低遅延でＣｏＭＰアクティブセットを設定することができる。これによって、ＲＲＣシグナリング量の増大を抑えることができ、ＣｏＭＰに適したＣｏＭＰトランスミッションポイントの選択を行うことが可能となる。
【０２３５】
したがって、ＵＥの移動および電波環境の早い変動に適したＣｏＭＰの実行が可能となる。これによって、高いデータレートのカバレッジの拡大、セルエッジでのスループットの向上、および通信システムにおけるスループットの増大を図ることが可能となる。
【０２３６】
実施の形態３．
３ＧＰＰ  Ｒ１−１１３２９５（以下「参考文献１」という）には、リリース８，９，１０では、ＲＲＭメジャメントセットが一つのＵＥからのＣＲＳの測定結果に基づいて管理されることが開示されている。
【０２３７】
また、付加的なＲＲＭメジャメントのメカニズムが、ＣｏＭＰメジャメントセットを選択するために必要とされることが開示されている。
【０２３８】
また、付加的なＲＲＭメジャメントのメカニズムとして、ＣＲＳによるＲＳＲＰ／ＲＳＲＱの測定、すなわち通常のＲＲＭメジャメントとＣＳＩ−ＲＳとによるＣＱＩの併用、ＳＲＳの使用、および、ＣＳＩ−ＲＳによるＲＳＲＰ／ＲＳＲＱの測定の使用が開示されている。
【０２３９】
３ＧＰＰ  Ｒ１−１１３０６４（以下「参考文献２」という）には、ＣｏＭＰトランスミッションポイントを選択する方法として、ＵＥによるＣｏＭＰメジャメントセット内の各セルのＣＳＩ−ＲＳの測定結果に基づいてネットワーク側が判断することが開示されている。
【０２４０】
以上のようにＣｏＭＰでは、ＣｏＭＰメジャメントセットおよびＣｏＭＰトランスミッションポイントを選択する方法として、ＵＥによるＣＲＳあるいはＣＳＩ−ＲＳの測定結果を使用することが検討されている。
【０２４１】
しかし、ＵＥによるＣＲＳあるいはＣＳＩ−ＲＳの測定結果を使用した場合、場所によっては、たとえ、複数のアンテナポートによるＭＩＭＯ（Multiple Input Multiple Output）技術を用いてＣｏＭＰを実行したとしても、良好な受信品質を得られないことがあるという問題がある。これは、複雑な電波環境による、他の多数のセルからの干渉、各パスの遅延、位相および電力、あるいはそれらパス間の相互関係、ならびにマルチパスなどの影響を正確に評価できないために、ＣｏＭＰに適したセルを選択できないからである。
【０２４２】
前述のＣｏＭＰに適したセルを選択できないという問題を解消するために、本実施の形態では、ＣｏＭＰセットにおいて、セット内のセル（以下「セット内セル」という場合がある）の選択に、ＵＥの位置に関する情報である位置情報を用いる。
【０２４３】
ＣｏＭＰメジャメントセットにおけるセット内のセルの選択に、ＵＥの位置情報を用いる場合を示す。ＣｏＭＰメジャメントセット、具体的にはＣｏＭＰメジャメントセット内セルの選択を行うエンティティあるいは装置が、ＣｏＭＰを行わせるＵＥの位置情報を取得する。
【０２４４】
取得した位置情報を用いてＣｏＭＰメジャメントセットの選択を行う。例えば、図１５および図１６に示すシーケンスにおいて、サービングセルは、ステップＳＴ１５３０の処理を実行する前に、ＵＥ１の位置情報を取得する。サービングセルは、ステップＳＴ１５３０において、取得した位置情報を用いて、ＣｏＭＰメジャメントセットの選択を行う。ＵＥの位置情報を取得することによって、セルとＵＥとの位置関係を認識できるようになる。したがって、電波環境のように変動するような指標ではなく、位置関係という地理的に決定される指標を用いて、ＣｏＭＰメジャメントセットの選択を行うことができる。これによって、よりＣｏＭＰに適したＣｏＭＰメジャメントセットを選択することができる。
【０２４５】
また、ＣｏＭＰメジャメントセットの選択に、ＵＥの位置情報だけでなく、ＵＥから報告されたＣＲＳの測定結果を併せて用いてもよい。あるいは、ＣＳＩ−ＲＳの測定結果を併せて用いてもよい。あるいは、セルの負荷（ロード）などの指標を併せて用いてもよい。このように変動性の指標と地理的な指標とを組合せることによって、ダイナミックな時間変化への対応も可能となり、さらにＣｏＭＰに適したＣｏＭＰメジャメントセットを選択することができる。
【０２４６】
移動体通信システムには、３ＧＰＰ  ＴＳ２３．２７１  Ｖ１０．２．０（以下「参考文献３」という）に開示されるように、ＬＣＳ（Location Service）と称される機能が搭載されている。ＬＣＳは、位置情報を用いた商用サービス、無線通信システムの管理、緊急時の位置確認、および犯罪捜査などの法的事由に基づく移動端末装置の位置確認などを目的として、移動端末装置の位置を推定するための機能である。
【０２４７】
また、移動端末装置の位置推定方法として、例えば３ＧＰＰ  ＴＳ３６．３０５  Ｖ１０．３．０（以下「参考文献４」という）に開示されているＬＰＰ（LTE Positioning Protocol）がある。
【０２４８】
ＣｏＭＰメジャメントセットを選択するエンティティがＵＥの位置情報を取得する方法として、参考文献３および参考文献４に開示された方法を用いるとよい。しかし、これらの方法では、ＬＰＰを含むＬＣＳを管理するエンティティであるＥ−ＳＭＬＣ（Evolved Serving Mobile Location Centre）がＵＥの位置情報を管理する。したがって、ＵＥの位置情報は、Ｅ−ＳＭＬＣに通知されるので、通常、ＣｏＭＰメジャメントセットの選択を行うエンティティがＵＥの位置情報を取得することはできない。
【０２４９】
本実施の形態では、ＣｏＭＰメジャメントセットの選択を行うエンティティがＵＥの位置情報を取得する方法を開示する。
【０２５０】
ＣｏＭＰメジャメントセットの選択を行うエンティティが、ＵＥが自ＵＥの位置情報をＥ−ＳＭＬＣに通知するメッセージを受信して、ＵＥの位置に関する情報のみを取出す。
【０２５１】
図１９は、実施の形態３における移動体通信システムのシーケンスの一例を示す図である。図１９では、ＣｏＭＰメジャメントセットの選択を行うエンティティが、ＵＥの位置情報を取得するシーケンスを示している。本シーケンスでは、ＣｏＭＰメジャメントセットの選択を行うエンティティを、サービングセルとしている。
【０２５２】
ステップＳＴ１８０１において、Ｅ−ＳＭＬＣは、位置情報要求（request location information）メッセージをＭＭＥに通知する。
【０２５３】
ステップＳＴ１８０２において、ＭＭＥは、ＮＡＳメッセージとして、受信した位置情報要求メッセージをサービングセルに通知する。
【０２５４】
ステップＳＴ１８０３において、サービングセルは、受信した位置情報要求メッセージをＵＥに転送する。
【０２５５】
ステップＳＴ１８０４において、ＵＥは、自ＵＥの位置情報を、位置情報提供（provide location information）メッセージに含めて、サービングセルに通知する。ＵＥの位置情報は、例えば全地球測位システム（Global Positioning System：ＧＰＳ）を用いて取得するとよい。
【０２５６】
位置情報提供メッセージを受信したサービングセルは、位置情報提供メッセージのうち、ＵＥの位置に関する情報のみを取出す。サービングセルは、このようにして取得したＵＥの位置情報を記憶しておくとよい。
【０２５７】
ステップＳＴ１８０５において、サービングセルは、受信した位置情報提供メッセージを、ＭＭＥに通知する。
【０２５８】
ステップＳＴ１８０６において、ＭＭＥは、受信した位置情報提供メッセージを、Ｅ−ＳＭＬＣに通知する。
【０２５９】
位置情報要求メッセージは、ＭＭＥおよびサービングセルを介して、ＵＥに通知される。位置情報提供メッセージは、サービングセルおよびＭＭＥを介して、Ｅ−ＳＭＬＣに通知される。ＭＭＥとサービングセルとの間、およびサービングセルとＵＥとの間では、ＮＡＳメッセージが用いられる。
【０２６０】
サービングセルは、ステップＳＴ１８０４でＵＥから受信したＮＡＳメッセージのうち、ＵＥの位置に関する情報のみを取出すために、ＮＡＳメッセージのメッセージタイプ情報を受信する。サービングセルは、ＮＡＳメッセージのメッセージタイプ情報が、ＬＰＰあるいはＬＣＳに関連する情報であることを示している場合、ＮＡＳメッセージを受信して、ＵＥの位置に関する情報を取出すとよい。これによって、ＵＥから通知される全てのＮＡＳメッセージを受信して取出す必要が無くなり、サービングセルでの低消費電力化および低遅延化を図ることができる。ＮＡＳメッセージのメッセージタイプ情報としては、「Generic message container type」の情報を用いてもよい。
【０２６１】
ステップＳＴ１８０４〜ステップＳＴ１８０６におけるＵＥからＥ−ＳＭＬＣへの位置情報の提供は、ステップＳＴ１８０７〜ステップＳＴ１８０９に示すように、定期的にあるいは周期的に行われてもよい。
【０２６２】
この場合、サービングセルは、逐次、ＵＥからの位置提供メッセージから、ＵＥの位置に関する情報を受信し、デコードして得たＵＥの位置情報をアップデートする。これによって、サービングセルは、常に最新のＵＥの位置情報を取得することが可能となる。したがって、サービングセルは、ＣｏＭＰメジャメントセットの選択を行うときに、常に最新のＵＥの位置情報を用いることが可能となる。
【０２６３】
ＣｏＭＰメジャメントセットの選択を行うエンティティがＵＥの位置情報を取得する他の方法を開示する。
【０２６４】
ＣｏＭＰメジャメントセットの選択を行うエンティティが、ＬＣＳのクライアント機能を有するようにする。例えば、サービングセルのＲＲＣが、ＬＣＳのクライアント機能を有するようにすればよい。
【０２６５】
これによって、ＣｏＭＰメジャメントセットの選択を行うエンティティが、必要に応じて、所望のＵＥの位置情報をＥ−ＳＭＬＣから取得することが可能となる。
【０２６６】
図２０は、実施の形態３における移動体通信システムのシーケンスの他の例を示す図である。図２０では、ＬＣＳのクライアント機能を有するＣｏＭＰメジャメントセットの選択を行うエンティティが、ＵＥの位置情報を取得するシーケンスを示している。本シーケンスでは、ＣｏＭＰメジャメントセットの選択を行うエンティティを、サービングセルが有するとしている。
【０２６７】
ステップＳＴ１９０１において、ＬＣＳのクライアント機能を有するサービングセルは、所望のＵＥの位置情報要求メッセージを、ＭＭＥを介してＥ−ＳＭＬＣに通知する。サービングセルからＭＭＥへの通知には、Ｓ１メッセージを用いるとよい。サービングセルは、ＬＣＳのクライアント機能を有するので、Ｅ−ＳＭＬＣに対して所望のＵＥの位置情報を要求することが可能となる。
【０２６８】
ステップＳＴ１９０２において、Ｅ−ＳＭＬＣは、受信した位置情報要求メッセージをＵＥに通知する。この通知方法は、図１９に示した方法を用いればよい。
【０２６９】
ステップＳＴ１９０３において、ＵＥは、自ＵＥの位置情報を、位置情報提供メッセージに含めて、サービングセルおよびＭＭＥを介して、Ｅ−ＳＭＬＣに通知する。ＵＥからＭＭＥへの通知には、ＮＡＳメッセージを用いるとよい。
【０２７０】
ステップＳＴ１９０４において、Ｅ−ＳＭＬＣは、受信した所望のＵＥからの位置情報提供メッセージを、位置情報要求元のサービングセルに通知する。これによって、サービングセルは、所望のＵＥの位置情報を取得することが可能となる。
【０２７１】
ステップＳＴ１９０３におけるＵＥからＥ−ＳＭＬＣへの位置情報の提供、およびステップＳＴ１９０４におけるＥ−ＳＭＬＣからサービングセルへの位置情報の提供は、ステップＳＴ１９０５およびステップＳＴ１９０６に示すように、定期的にあるいは周期的に行われてもよい。
【０２７２】
この場合、サービングセルは、逐次、ＵＥからの位置提供メッセージから、ＵＥの位置に関する情報を受信して、得られたＵＥの位置情報をアップデートするとよい。これによって、サービングセルは、常に最新のＵＥの位置情報を取得することが可能となる。したがって、サービングセルは、ＣｏＭＰメジャメントセットの選択を行うときに、常に最新のＵＥの位置情報を用いることが可能となる。
【０２７３】
ＣｏＭＰメジャメントセットの選択を行うエンティティがＵＥの位置情報を取得する、さらに他の方法を開示する。
【０２７４】
ＭＭＥが、ＬＣＳのクライアント機能を有するようにし、ＣｏＭＰメジャメントセットの選択を行うエンティティが、ＭＭＥにＵＥの位置に関する情報を要求するようにする。これによって、ＣｏＭＰメジャメントセットの選択を行うエンティティが、必要に応じて、所望のＵＥの位置情報をＥ−ＳＭＬＣから取得することが可能となる。
【０２７５】
図２１は、実施の形態３における移動体通信システムのシーケンスのさらに他の例を示す図である。図２１では、ＭＭＥがＬＣＳのクライアント機能を有し、ＣｏＭＰメジャメントセットの選択を行うエンティティが、ＭＭＥにＵＥの位置に関する情報を要求してＵＥの位置情報を取得するシーケンスを示している。本シーケンスでは、ＣｏＭＰメジャメントセットの選択を行うエンティティを、サービングセルとしている。
【０２７６】
ステップＳＴ２００１において、サービングセルは、所望のＵＥの位置情報提供を要求するメッセージを、ＭＭＥに通知する。すなわち、所望のＵＥの位置情報の提供を必要とするサービングセルは、所望のＵＥの位置情報提供を、ＭＭＥに要求する。サービングセルからＭＭＥへの通知には、Ｓ１メッセージを用いるとよい。所望のＵＥの位置情報提供を要求するメッセージを、Ｓ１メッセージとして新たに設けてもよい。
【０２７７】
ステップＳＴ２００２において、ＭＭＥは、位置情報要求メッセージをＥ−ＳＭＬＣに通知する。ＭＭＥは、ＬＣＳのクライアント機能を有するので、Ｅ−ＳＭＬＣに対して所望のＵＥの位置情報を要求することが可能となる。ＭＭＥは、任意のセルからの所望のＵＥの位置情報提供を要求するメッセージを受信することによって、Ｅ−ＳＭＬＣに対して所望のＵＥの位置情報要求メッセージを起動するとよい。
【０２７８】
ステップＳＴ２００３において、Ｅ−ＳＭＬＣは、位置情報要求メッセージをＵＥに通知する。この通知方法は、図１９に示した方法を用いればよい。
【０２７９】
ステップＳＴ２００４において、ＵＥは、自ＵＥの位置情報を、位置情報提供メッセージに含めて、サービングセルおよびＭＭＥを介して、Ｅ−ＳＭＬＣに通知する。ＵＥからＭＭＥへの通知には、ＮＡＳメッセージを用いるとよい。
【０２８０】
ステップＳＴ２００５において、Ｅ−ＳＭＬＣは、受信した所望のＵＥからの位置情報提供メッセージを、位置情報要求元のＭＭＥに通知する。
【０２８１】
ステップＳＴ２００６において、ＭＭＥは、受信した位置情報提供メッセージに含まれる所望のＵＥの位置に関する情報を、位置情報提供の要求を行ったセル、ここではサービングセルに、位置情報提供の要求に対する応答（以下「位置情報応答」という場合がある）として通知する。これによって、サービングセルは、所望のＵＥの位置情報を取得することが可能となる。
【０２８２】
ステップＳＴ２００４およびステップＳＴ２００５におけるＵＥからＭＭＥへの位置情報の提供は、ステップＳＴ２００７およびステップＳＴ２００８に示すように、定期的にあるいは周期的に行われてもよい。
【０２８３】
また、ステップＳＴ２００５の処理を契機に、ステップＳＴ２００６におけるＭＭＥからサービングセルへの位置情報応答が、ステップＳＴ２００９に示すように、定期的にあるいは周期的に行われてもよい。
【０２８４】
この場合、サービングセルは、逐次ＵＥからの位置提供メッセージから、ＵＥの位置に関する情報を受信し、デコードして得たＵＥの位置情報をアップデートするとよい。これによって、サービングセルは、常に最新のＵＥの位置情報を取得することが可能となる。したがって、サービングセルは、ＣｏＭＰメジャメントセットの選択を行うときに、常に最新のＵＥの位置情報を用いることが可能となる。
【０２８５】
ＣｏＭＰメジャメントセットの選択を行うエンティティが取得したＵＥの位置情報を用いて、ＣｏＭＰメジャメントセットの選択を行う方法として、以下の（１）〜（４）の４つを開示する。
【０２８６】
（１）少なくとも、最新のＵＥの位置から最も近いセルを選択する。
（２）最新のＵＥの位置との距離が最も近いセルから上位ｋ個のセルを選択する。ｋは、自然数であり、予め決められていてもよい。
（３）最新のＵＥの位置との距離が所定の閾値よりも小さいセルを選択する。所定の閾値は、予め決められていてもよい。
（４）前記（１）〜（３）の組合せ。
【０２８７】
前記（１）〜（４）の方法では、最新のＵＥの位置情報に基づいて最新の位置を導出しているが、過去および最新のＵＥの位置情報から現時点の位置を導出してもよい。このようにして導出した結果をＵＥの位置とすればよい。
【０２８８】
前述の方法においてセルの位置情報を用いるとよい。ＣｏＭＰメジャメントセットの選択を行うエンティティが、予め周辺セルの位置情報を取得しておくとよい。周辺セルとして、周辺のＣｏＭＰ可能なセル、あるいはＣｏＭＰコオペレーティングセット内のセルなどである。あるいは、ＣｏＭＰ可能なセルに限らなくてもよい。各セルは、例えばＧＰＳなどによって認識した自セルの位置を、ＯＡＭ（Operation Administration and Maintenance）に通知しておく。ＣｏＭＰメジャメントセットの選択を行うエンティティは、ＯＡＭから周辺セルの位置情報を取得する。したがって、ＣｏＭＰメジャメントセットの選択を行うエンティティが、ＯＡＭに周辺セルの位置情報を要求するメッセージを通知するようにしてもよい。また、Ｅ−ＳＭＬＣがセルの位置情報を管理しているような場合は、ＣｏＭＰメジャメントセットの選択を行うエンティティが、Ｅ−ＳＭＬＣから周辺セルの位置情報を取得するとよい。この方法として、本実施の形態で開示した、ＣｏＭＰメジャメントセットの選択を行うエンティティがＵＥの位置情報を取得する方法を適用することができる。これによって、ＵＥの位置情報とセルの位置情報とを用いて、ＣｏＭＰメジャメントセットの選択を行うことができる。
【０２８９】
また、ＣｏＭＰメジャメントセットの選択を行うときに、ＵＥの位置情報だけでなく、ＵＥから報告されたＣＲＳの測定結果、あるいは、ＣＳＩ−ＲＳの測定結果を併せて用いてもよい。あるいは、セルの負荷（ロード）などの指標を併せて用いてもよい。このように変動性の指標と地理的な指標とを組合せることによって、ダイナミックな時間変化への対応も可能となり、さらにＣｏＭＰに適したＣｏＭＰメジャメントセットを選択することができる。
【０２９０】
本実施の形態で開示した方法は、ＲＲＭメジャメントセット、具体的にはＲＲＭメジャメントセットに含まれるセルの選択に適用することができる。
【０２９１】
また本実施の形態で開示した方法は、ＣｏＭＰアクティブセット、具体的にはＣｏＭＰアクティブセットに含まれるセルの選択に適用することができる。
【０２９２】
また本実施の形態で開示した方法は、ＣｏＭＰトランスミッションポイントの選択に適用することができる。
【０２９３】
実施の形態４．
参考文献１には、どのＲＳ（Reference Signal）に基づいてＣｏＭＰメジャメントセットを選択するのかについて、以下の（ａ）〜（ｄ）の４つの方法が開示されている。（ａ）ＲＲＭメジャメントリポート、すなわちＣＲＳのＲＳＲＰ／ＲＳＲＱに基づいて判断する。（ｂ）ＣＳＩフィードバック情報とＣＲＳのＲＳＲＰ／ＲＳＲＱとに基づいて判断する。（ｃ）ＳＲＳ／ＰＵＣＣＨ／ＰＵＳＣＨに基づいて判断する。（ｄ）ＣＳＩ−ＲＳのＲＳＲＰ／ＲＳＲＱに基づいて判断する。
【０２９４】
また、参考文献２には、ＣｏＭＰメジャメントセット内セルの選択について、所定の閾値（ＲＳＲＰ／ＲＳＲＱ）に基づいて選択する、あるいは、固定のメジャメントセットサイズ（Ｎ）に基づいて選択することが開示されている。
【０２９５】
しかし、参考文献２には、固定のメジャメントセットサイズ（Ｎ）の値の決定方法については、何ら開示されていない。メジャメントセットサイズ（Ｎ）が大きくなると、ＣＳＩ−ＲＳの測定が必要となるセル数が増大する。したがって、ＵＥでは、回路規模の増大、消費電力の増大およびコストの増大という問題が生じる。
【０２９６】
このような問題を解消するために、メジャメントセットサイズ（Ｎ）は、ＵＥ毎の個別の値とするとよい。これによって、ＵＥ毎に最適なメジャメントセットサイズを設定することが可能となる。
【０２９７】
この場合、ＵＥのケーパビリティに、ＣｏＭＰ可能なセル数（Ｎｕ）を含め、ＵＥは、ＣｏＭＰ可能なセル数（Ｎｕ）をケーパビリティ情報として、ネットワーク側に通知する。具体的には、ＣｏＭＰ可能なセル数（Ｎｕ）をアタッチ、またはＴＡＵメッセージに含めて通知するとよい。ＣｏＭＰ可能なセル数（Ｎｕ）としては、ＣＳＩ−ＲＳの測定が可能なセル数としてもよい。ネットワーク側は、ＣｏＭＰ可能なセル数（Ｎｕ）を記憶する。
【０２９８】
ネットワーク側は、ＣｏＭＰ可能なセル数（Ｎｕ）をセントラルエンティティに通知する。あるいは、セントラルエンティティが、ネットワーク側に、ＣｏＭＰ可能なセル数（Ｎｕ）の通知を要求してもよい。これによって、セントラルエンティティが、所望のＵＥのＣｏＭＰ可能なセル数（Ｎｕ）を認識することが可能となる。
【０２９９】
セントラルエンティティは、所望のＵＥのＣｏＭＰメジャメントセットの選択に、ＵＥのＣｏＭＰ可能なセル数（Ｎｕ）を使用する。例えば、メジャメントセットサイズ（Ｎ）をＵＥのＣｏＭＰ可能なセル数（Ｎｕ）とすればよい。または、メジャメントセットサイズ（Ｎ）を、ＵＥのＣｏＭＰ可能なセル数（Ｎｕ）よりも小さくすればよい。
【０３００】
これによって、低価格帯のＵＥなどでは、ＣｏＭＰできるセルを限定することができるようになり、回路規模の増大、消費電力の増大およびコストの増大を防ぐことができる。ＵＥのケーパビリティに応じてメジャメントセットサイズを最適化でき、回路規模、消費電力およびコストを増大させることなく、ＣｏＭＰを実行することができる。
【０３０１】
参考文献２に開示された方法では、メジャメントセットサイズ（Ｎ）は固定である。例えばセルが密に設置されているような場合、カバレッジの端部に存在するＵＥは、少数のセルによってＣｏＭＰが実行されることで所望の受信品質を得られる。
【０３０２】
このように、少ないセルで所望の受信品質を得られるような状況においては、それよりも大きいメジャメントセットサイズ（Ｎ）が設定されている場合、ＵＥにおいても、サービングセルあるいはＣｏＭＰメジャメントセット内セルにおいても、消費電力の無駄が生じるという問題がある。ＵＥは、不要なセルのＣＳＩ−ＲＳの測定を行わなければならないために、消費電力の無駄が生じる。また、ＣｏＭＰメジャメントセット内のセルでは、不要なセルもＣＳＩ−ＲＳを送信しなければならないので、消費電力の無駄が生じる。
【０３０３】
このように消費電力の無駄が生じるという問題を解消するために、本実施の形態では、受信品質に基づいて、メジャメントセットサイズ（Ｎ）の値（以下「Ｎ値」という場合がある）を変更する。ＵＥからの受信品質が良い場合は、Ｎ値を減らし、受信品質が悪い場合は、Ｎ値を増やすとよい。
【０３０４】
Ｎ値を変更するために、受信品質の閾値を設定するとよい。例えば、受信品質の閾値Ａ，Ｂを設定して、ＣｏＭＰ実行時のＵＥからの受信品質が閾値Ａ以下である場合、Ｎ値は、メジャメントセットサイズ（Ｎ）の最大値Ｎｍａｘ（Ｎ＝Ｎｍａｘ）とする。また、前記受信品質が閾値Ａよりも大きくかつ閾値Ｂ以下である場合、Ｎ値は、Ｎｍａｘを２で割った値を整数化した値（Ｎ＝ｉｎｔ（Ｎｍａｘ／２））とする。また、前記受信品質が閾値Ｂよりも大きい場合、Ｎ値は、「１」（Ｎ＝１）とする。
【０３０５】
以上のようにすることによって、ＵＥからの受信品質に基づいて、ＣｏＭＰメジャメントセット内のセル数を変更することができ、消費電力の増大を抑制することができる。
【０３０６】
本実施の形態では、前記受信品質が閾値Ｂよりも大きい場合、Ｎ値は、「１」（Ｎ＝１）としたが、良好な受信品質の無線リンクが１つあれば、ＣｏＭＰを停止することができる。例えば、ＣｏＭＰメジャメントセット内セルがサービングセルだけの場合は、ＣｏＭＰの実行を停止するようにしてもよい。サービングセルでない場合は、後述の実施の形態９で開示した方法によってＣｏＭＰを停止して、良好な受信品質のセルへ、対象となるＵＥをＨＯ、すなわちセル変更させるようにするとよい。
【０３０７】
Ｎ値は、所定の期間のＵＥからの受信品質の平均値に基づいて、変更するようにしてもよい。これによって、一時的な受信品質の変動に左右されること無く、Ｎ値を変更することが可能となる。したがって、安定したＣｏＭＰ動作を行うことが可能となる。
【０３０８】
本実施の形態で開示した方法は、ＣｏＭＰアクティブセット、具体的にはＣｏＭＰアクティブセットに含まれるセルの選択に適用することができる。
【０３０９】
また本実施の形態で開示した方法は、ＣｏＭＰトランスミッションポイントの選択に適用することができる。
【０３１０】
また本実施の形態で開示した方法は、ＲＲＭメジャメントセットの選択に適用することができる。ＵＥは、ＲＲＭメジャメントセット内のＣＲＳの測定を行う。
【０３１１】
参考文献２あるいは３ＧＰＰでは、ＣｏＭＰメジャメントセット内にサービングセルを含めるか否かの議論はなされていない。したがって、サービングセルの取扱いをどうしたらよいかが不明であるので、ＣｏＭＰを実行することができない。
【０３１２】
本実施の形態では、サービングセルの取扱いについて、以下の（１）〜（３）の３つの方法を開示する。
【０３１３】
（１）サービングセルもＣｏＭＰメジャメントセットの取扱いに含める。すなわち、ＣｏＭＰメジャメントセットの選択方法を適用する。例えば、サービングセルがＣｏＭＰメジャメントセット内に含まれている場合、ＵＥによるサービングセルのＣＳＩ−ＲＳ測定値が劣化すると、サービングセルがＣｏＭＰメジャメントセットから削除されてしまうことが生じる。しかし、サービングセルがＣｏＭＰメジャメントセットから削除されたとしても、傘下のＵＥに対するＣｏＭＰは、ＣｏＭＰメジャメントセット内の他のセルによって実行することが可能である。したがって、サービングセルもＣｏＭＰメジャメントセットの取扱いに含めても問題は無い。また、サービングセルもＣｏＭＰメジャメントセットの取扱いに含めることによって、ＣｏＭＰメジャメントセットの制御が簡易化される。
【０３１４】
（２）ＣｏＭＰメジャメントセットにサービングセルを含めない。これによって、ＣｏＭＰメジャメントセットとサービングセルとの扱いを異ならせることが可能となり、柔軟な制御が可能となる。この場合、ＵＥは、ＣｏＭＰメジャメントセットと関係なく、サービングセルのＣＳＩ−ＲＳの測定を行うようにしてもよい。サービングセルは、ＣｏＭＰメジャメントセットと関係なく、自セルのＣｏＭＰメジャメント構成をＵＥに通知するとよい。この通知には、個別シグナリングを用いるとよい。個別シグナリングは、ＲＲＣシグナリングとしてもよい。ＵＥによるサービングセルのＣＳＩ−ＲＳの測定結果は、サービングセルに報告されるようにしておくとよい。報告方法の設定は、自セルのＣｏＭＰメジャメント構成とともに、ＵＥに通知しておくとよい。本方法によれば、前記（１）の方法において、サービングセルがＣｏＭＰメジャメントセットから削除された場合に、サービングセルのＣＳＩ−ＲＳを用いた測定が行われなくなるという問題を解消することができる。本方法では、サービングセルは、ＣｏＭＰメジャメントセットに含まれないが、ＣｏＭＰをすることのできるセルとしてもよい。ＣｏＭＰトランスミッションセルが、ＣｏＭＰメジャメントセット内セルとサービングセルとから選択されるようにしてもよい。これは、サービングセルのＣＳＩ−ＲＳを用いた測定が行われるようになるので可能である。
【０３１５】
（３）ＣｏＭＰメジャメントセットに必ずサービングセルを含める。前記（１）の方法とは異なり、必ずＣｏＭＰメジャメントセットに含めるので、ＣｏＭＰメジャメントセットの扱いに従って、サービングセルのＣＳＩ−ＲＳの測定が行われることになる。したがって制御が容易となる。この場合、サービングセルをＣｏＭＰメジャメントセットのＮの数にカウントせず、必ずＣｏＭＰメジャメントセットに入れるようにすればよい。あるいは、ＣｏＭＰメジャメントセットに入れるための所定の閾値によらず、必ずＣｏＭＰメジャメントセットに入れるようにすればよい。これによって、ＵＥにより、サービングセルのＣＳＩ−ＲＳを用いた測定が行われるようになる。前記（１）の方法において、サービングセルがＣｏＭＰメジャメントセットから削除された場合に、サービングセルのＣＳＩ−ＲＳを用いた測定が行われなくなるという問題を解消することができる。
【０３１６】
本実施の形態で開示した方法は、ＣｏＭＰアクティブセット、具体的にはＣｏＭＰアクティブセットに含まれるセルの選択に適用することができる。
【０３１７】
また本実施の形態で開示した方法は、ＲＲＭメジャメントセットの選択に適用することができる。ＵＥは、ＲＲＭメジャメントセット内のＣＲＳの測定を行う。
【０３１８】
実施の形態５．
ＣｏＭＰ実行中のＵＥが移動したとき、サービングセルの受信品質が低下して、サービングセルを切替えた方が良い場合が生じる。３ＧＰＰ  Ｒ１−１１３０９２（以下「参考文献５」という）には、モビリティ制御用にＲＲＭメジャメントリポートを用いることが開示されている。ＣｏＭＰ実行中のＵＥが移動した場合に、モビリティ制御用にＲＲＭメジャメントリポートを用いると、以下のような問題が生じる。
【０３１９】
図２２は、ＣｏＭＰに関するセットとＵＥによって測定されるＲＳとを説明するための図である。通常、ＲＲＭメジャメントセット内のセルは、ＵＥによるＲＲＭメジャメントによって構成されるので、ＣＲＳのＲＳＲＰ／ＲＳＲＱ測定が行われる。ＣｏＭＰメジャメントセットは、前述のように、ＵＥによってＣＳＩ−ＲＳが測定されて報告されるセルの集合である。したがって、ＣｏＭＰメジャメントセット内のセルは、ＵＥによってＣＳＩ−ＲＳのＲＳＲＰ／ＲＳＲＱ測定が行われる。図示していないが、ＣｏＭＰアクティブセット内のセルも、ＣｏＭＰメジャメントセット内のセルと同様である。ＣｏＭＰトランスミッションポイントは、実際にＵＥへのデータ送信が行われるセルであるので、ＵＥによってＣＳＩ−ＲＳの測定が行われる。ＵＥによるＣＳＩ−ＲＳの測定結果から導出したＣＳＩが、サービングセルにフィードバックされる。
【０３２０】
図２３は、ＣｏＭＰに関するセット内セルの通信品質について説明するための図である。図２３では、各ＣｏＭＰに関するセット内のセルの番号と通信品質とを示している。図２３では、上側に向かうに従って通信品質が高く、下側に向かうに従って通信品質が低い。
【０３２１】
ＲＲＭメジャメントセットでは、ＵＥによるＣＲＳのＲＳＲＰ／ＲＳＲＱを通信品質として、セルが順位付けられる。図２３に示す例では、セル＃１１（Ｃｅｌｌ＃１１）が最も通信品質が高く、セル＃１０（Ｃｅｌｌ＃１０）が最も通信品質が低い。図２３に斜線のハッチングで示したセルは、サービングセルとＣｏＭＰの実行が不可能なセルである。
【０３２２】
ＣｏＭＰメジャメントセットでは、ＵＥによるＣＳＩ−ＲＳのＲＳＲＰ／ＲＳＲＱを通信品質として、セルが順位付けられる。ＣｏＭＰメジャメントセットは、ＲＲＭメジャメントセットから選択される。このとき、実施の形態１で開示したように、ＣｏＭＰコオペレーティングセット内のセルに限定して選択されるようにしておく。これによって、ＣｏＭＰメジャメントセットは、ＣｏＭＰ実行可能なセルに限定される。図２３に示す例では、セル＃５（Ｃｅｌｌ＃５）が最も通信品質が高く、セル＃６（Ｃｅｌｌ＃６）が最も通信品質が低い。
【０３２３】
ＲＲＭメジャメントセットとＣｏＭＰメジャメントセットとで、通信品質の順位が異なるのは、通信品質に用いる指標が異なるためである。ＲＲＭメジャメントセットでは、通信品質の指標として、ＣＲＳのＲＳＲＰ／ＲＳＲＱが用いられるのに対し、ＣｏＭＰメジャメントセットでは、通信品質の指標として、ＣＳＩ−ＲＳが用いられるためである。
【０３２４】
ＣｏＭＰトランスミッションポイントでは、ＵＥによるＣＳＩ−ＲＳの測定値から導出したＣＳＩを通信品質として、セルが順位付けられる。ＣｏＭＰトランスミッションポイントは、ＣｏＭＰメジャメントセットから選択される。図２３に示す例では、セル＃５（Ｃｅｌｌ＃５）が最も通信品質が高く、セル＃１（Ｃｅｌｌ＃１）が最も通信品質が低い。
【０３２５】
図２３に示す例において、ＣｏＭＰ実行中のＵＥが移動した場合に、ＲＲＭメジャメントリポートに基づいてサービングセルの切替えが行われると、ＣｏＭＰの実行が不可能なセルに切替わるおそれがある。例えば、セル＃１１（Ｃｅｌｌ＃１１）が、ＲＲＭメジャメントリポートによる通信品質が最良なセルとなる。したがって、セル＃１１（Ｃｅｌｌ＃１１）を新たなサービングセルとしてサービングセルを切替えた場合、新たなサービングセルにおいて、ＣｏＭＰの実行が不可能となり、良好な通信品質が得られなくなるという問題が発生する。
【０３２６】
本実施の形態では、前述のように良好な通信品質が得られなくなるという問題を解消するための方法を開示する。
【０３２７】
ＣｏＭＰ実行中のサービングセルの切替えにおいて、新たなサービングセルの選択に、ＣｏＭＰ実行可能なセルを優先する。
【０３２８】
ＣｏＭＰ実行中のサービングセルの切替えを、ＨＯ（セルチェンジを含む）処理で行う。ＨＯ決定（HO decision）処理におけるターゲットセルの選択において、ＣｏＭＰ実行可能なセルを優先する。
【０３２９】
ＣｏＭＰコオペレーティングセット内のセルを優先してもよい。言い換えると、ＣｏＭＰコオペレーティングセット外のセルを除くとよい。
【０３３０】
また、ＨＯ決定処理におけるターゲットセルの選択において、ＣｏＭＰメジャメントセット内のセルを優先してもよい。
【０３３１】
これによって、ＣｏＭＰ実行中のＵＥが移動した場合、新たなサービングセルは、ＣｏＭＰ実行可能なセルになるので、ＵＥは、新たなサービングセルでＣｏＭＰを実行することが可能となり、良好な通信品質を得ることができる。
【０３３２】
例えば、図２３においてサービングセルの受信品質が低下してＨＯ（セルチェンジを含む）処理が起動された場合、ＨＯ決定処理におけるターゲットセルの選択において、ＣｏＭＰの実行が不可能なセル＃１１（Ｃｅｌｌ＃１１）ではなく、ＣｏＭＰの実行が可能なセル＃８（Ｃｅｌｌ＃８）を選択する。これによって、ＵＥは、新たなサービングセルでＣｏＭＰを実行することが可能となり、良好な通信品質を得ることができる。
【０３３３】
他の例として、図２３において、サービングセルの受信品質が低下してＨＯ（セルチェンジを含む）処理が起動された場合、ＨＯ決定処理におけるターゲットセルの選択において、ＲＲＭメジャメントセット内のセル＃１１（Ｃｅｌｌ＃１１）ではなく、ＣｏＭＰメジャメントセット内のセル＃５（Ｃｅｌｌ＃５）を選択する。これによって、さらに新たなサービングセルにおいてＣｏＭＰを実行した場合の受信品質を向上することができる。
【０３３４】
図２４は、実施の形態５における移動体通信システムのシーケンスの一例を示す図である。図２４に示すシーケンスは、図１５および図１６に示すシーケンスと類似しているので、同一のステップについては同一のステップ番号を付して、共通する説明を省略する。図２４では、ＨＯ決定処理におけるターゲットセルの選択において、ＣｏＭＰ実行可能なセルを優先する場合のシーケンスを示している。
【０３３５】
セントラルエンティティの機能を有するサービングセルは、ＵＥ１に対して、図１５および図１６のステップＳＴ１５０１〜ステップＳＴ１５２６、ならびにステップＳＴ１５３０に示したように、ＣｏＭＰ処理を実行している。
【０３３６】
ステップＳＴ１５２６において、サービングセルおよびＵＥ１は、ＣｏＭＰ送受信およびＣＳＩのフィードバックを行う。
【０３３７】
ステップＳＴ２３０１において、ＵＥ１は、ＣＲＳ測定によるＲＲＭメジャメントを行う。ステップＳＴ２３０２において、ＵＥ１は、報告条件に従って、ステップＳＴ２３０１におけるＲＲＭメジャメントの測定結果をメジャメントリポート（measurement report）メッセージとして、サービングセルに報告する。ステップＳＴ２３０１における測定には、サービングセル自身のＣＲＳの測定も含まれる。ステップＳＴ２３０２におけるメジャメントリポートには、サービングセル自身のＣＲＳの測定結果も含まれる。
【０３３８】
ステップＳＴ２３０３において、サービングセルは、ＨＯ決定処理を行う。ステップＳＴ２３０３のＨＯ決定処理は、ステップＳＴ２３０４およびステップＳＴ２３０５の処理を含む。
【０３３９】
ステップＳＴ２３０４において、サービングセルは、ＵＥ１からのメジャメントリポートを用いて、ＵＥ１に対してＨＯ処理を実行することを決定する。例えば、サービングセルのＣＲＳの測定結果が、所定の閾値よりも小さくなった場合に、ＵＥ１に対してＨＯ処理を実行することを決定する。
【０３４０】
ステップＳＴ２３０５において、サービングセルは、ターゲットセルを決定する。サービングセルは、ＣｏＭＰメジャメントセット内のセルのうち、通信品質が最良なセルをターゲットセルとする。ＣｏＭＰメジャメントセット内で、ＨＯ対象のＵＥによるＣＳＩ−ＲＳの測定結果から、通信品質の最も良いセルを選択する。
【０３４１】
ステップＳＴ２３０３においてＨＯ決定処理を行ったサービングセルは、ステップＳＴ２３０５で選択したセルをターゲットセルとして、ステップＳＴ２３０６において、ＨＯ処理を行う。
【０３４２】
図２４に示す例では、新たなサービングセルとして、ＣｏＭＰメジャメントセット内のＣＳＩ−ＲＳの受信品質の最も良いセルをターゲットセルとしたが、ＣＳＩ−ＲＳの測定結果の最も良いセルを選択しなくてもよい。すなわち、他の指標、例えば、各セルの負荷（ロード）なども考慮して、ターゲットセルを選択してもよい。ＣｏＭＰメジャメントセット内のセルであればよい。
【０３４３】
優先すべきセルが無い場合は、ＨＯ決定処理におけるターゲットセルの選択において、従来の選択方法を用いるとよい。例えば、ＵＥのＲＲＭメジャメントリポートによって、セル＃１１（Ｃｅｌｌ＃１１）、セル＃１２（Ｃｅｌｌ＃１２）、セル＃１３（Ｃｅｌｌ＃１３）の測定結果のみが報告された場合は、それらのセルの中からターゲットセルを選択すればよい。
【０３４４】
これによって、ＣｏＭＰ実行中のＵＥが移動して、サービングセルの受信品質が低下し、サービングセルを切替えた方が良い場合に、新たなサービングセルでＵＥに対してＣｏＭＰを可能な限り継続して良好な受信品質が得られるように、サービングセルの切替えを行うことが可能となる。
【０３４５】
ＣｏＭＰの実行が可能なセルとして、ＣｏＭＰメジャメントセット内のセルを開示したが、ＣｏＭＰアクティブセット内セルを優先してもよい。または、ＣｏＭＰトランスミッションポイント内セルを優先してもよい。
【０３４６】
これらＣｏＭＰセット内での優先順位を決めてもよい。例えば、ＣｏＭＰトランスミッションポイント内のセルの優先順位を「１」とし、ＣｏＭＰアクティブセット内のセルの優先順位を「２」とし、ＣｏＭＰメジャメントセット内のセルの優先順位を「３」とし、ＣｏＭＰコオペレーションセット内のセルの優先順位を「４」とし、それ以外のセルの優先順位を「５」とするとよい。
【０３４７】
このようにして新たなサービングセル（ターゲットセル）を選択することによって、新たなサービングセルにおいて、対象となるＵＥに対してＣｏＭＰを継続して、可及的に良好な受信品質を得ることが可能となる。
【０３４８】
実施の形態５  変形例１．
参考文献５には、モビリティ制御用にＲＲＭメジャメントリポートを用いることが開示されている。これは、モビリティ制御用として、ＵＥによるＣＲＳのＲＳＲＰ／ＲＳＲＱの測定結果を用いることを意味する。ＣｏＭＰ実行中のＵＥが移動した場合に、モビリティ制御用にＵＥによるＣＲＳのＲＳＲＰ／ＲＳＲＱの測定結果を用いると、以下のような問題が生じる。
【０３４９】
図２３に示す例を用いて、モビリティ制御用にＵＥによるＣＲＳのＲＳＲＰ／ＲＳＲＱの測定結果を用いた場合の問題について説明する。ＣｏＭＰ実行中のＵＥが移動し、従来のＲＲＭメジャメントリポートに基づいて、サービングセルの切替えが行われる場合について説明する。
【０３５０】
実施の形態５で開示したＣｏＭＰの実行が可能なセルからターゲットセルを選択する方法が適用される場合、セル＃８（Ｃｅｌｌ＃８）がＲＲＭメジャメントリポートによる通信品質が最良なセルとなる。したがって、セル＃８（Ｃｅｌｌ＃８）を新たなサービングセルとしてサービングセルを切替える。
【０３５１】
しかし、ＣｏＭＰメジャメントセット内のうち、セル＃８（Ｃｅｌｌ＃８）は通信品質が最良のセルとならず、さらにＣｏＭＰトランスミッションポイントには選択されない場合が生じる。すなわち、セル＃８（Ｃｅｌｌ＃８）は、ＵＥに対してＣｏＭＰによるデータ送信が行われないセルとなる。新たなサービングセルになったにも拘わらず、セル＃８（Ｃｅｌｌ＃８）からはＣｏＭＰによるデータの送受信が行われないことになる。これは、ＣｏＭＰに関連するサービングセル以外のセルの数を増大させるなど、ＣｏＭＰに適したサービングセルの切替えができなくなる。
【０３５２】
このように、ＲＲＭメジャメントによる通信品質が最良なセルと、ＣｏＭＰメジャメントセット内あるいはＣｏＭＰトランスミッションポイントのセルの通信品質が最良なセルとが異なる。これは、ＲＲＭメジャメントによる受信品質には、ＰＤＣＣＨがマッピングされる領域に存在するＣＲＳの測定結果が用いられるのに対して、ＣｏＭＰメジャメントセットあるいはＣｏＭＰトランスミッションポイントの受信品質には、ＰＤＳＣＨがマッピングされる領域に存在するＣＳＩ−ＲＳの測定結果が用いられるためである。ＣｏＭＰが実行されるデータは、ＰＤＳＣＨ領域のシンボルにマッピングされるので、従来のＲＲＭメジャメントにおけるＣＲＳの測定は、ＣｏＭＰ実行時のＰＤＳＣＨの品質を正確に表せていないことになる。
【０３５３】
本変形例では、このような問題を解消するための方法を開示する。ＣｏＭＰ実行中のサービングセルの切替えにおいて、新たなサービングセルを選択するときに、ＵＥによるＣＳＩ−ＲＳの測定結果を用いる。ＣｏＭＰ実行中のサービングセルを切替える処理を、ＨＯ（セルチェンジを含む）処理で行い、ＨＯ決定処理におけるターゲットセルを選択するときに、ＣＳＩ−ＲＳの測定結果を用いる。ＣＳＩ−ＲＳの測定結果は、ＣＳＩ−ＲＳのＲＳＲＰ／ＲＳＲＱとしてもよいし、ＣＳＩ−ＲＳの測定結果から導出したＣＳＩ（CSI feedback）であってもよい。
【０３５４】
例えば、図２３においてサービングセルの受信品質が低下して、ＨＯ（セルチェンジを含む）処理が起動された場合、ＨＯ決定処理におけるターゲットセルの選択において、ＣＲＳの測定結果による最良な受信品質のセル＃８（Ｃｅｌｌ＃８）ではなく、ＣＳＩ−ＲＳの測定結果による最良な受信品質のセル＃５（Ｃｅｌｌ＃５）を選択する。これによって、ＵＥは、新たなサービングセルで良好な通信品質が得られるようになる。
【０３５５】
本変形例におけるシーケンスは、図２４に示すシーケンスの一部を変更すればよい。すなわち、本変形例では、図２４のステップＳＴ２３０５において、ＨＯ対象のＵＥによるＣＳＩ−ＲＳの測定結果から、測定結果の通信品質が最良のセルをターゲットセルに選択する処理を行うようにすればよい。
【０３５６】
ＣＳＩ−ＲＳの測定結果による最良な受信品質のセルとして、ＣｏＭＰメジャメントセット内のセルとしてもよいし、あるいは、ＣｏＭＰトランスミッションポイント内のセルとしてもよい。ＣｏＭＰ実行中のＵＥが移動した場合、新たなサービングセルは、ＣｏＭＰメジャメントセット内あるいはＣｏＭＰトランスミッションポイント内のセルになるので、ＵＥは、新たなサービングセルを含めたＣｏＭＰの実行が可能となり、良好な通信品質が得られるようになる。
【０３５７】
実施の形態５  変形例２．
ＣｏＭＰ実行中のＵＥが移動すると、サービングセルの受信品質が低下して、サービングセルを切替えた方が良い場合が生じる。従来の、ＣｏＭＰを実行していないＵＥに対するサービングセルの切替え処理、例えばＨＯ処理において、サービングセルの受信品質の評価には、ＵＥによるサービングセルのＣＲＳの測定結果が用いられる。
【０３５８】
しかし、実施の形態５および実施の形態５の変形例１で開示したように、ＣｏＭＰ実行中のＵＥにとって、ＣＲＳの測定結果は、ＣｏＭＰ実行時の通信品質を正確に表せていない。したがって、ＣｏＭＰを実行しているＵＥに対して、従来のようにサービングセルのＣＲＳの測定結果を用いて受信品質が低下したと判断してサービングセルを切替えると、実際には、ＣｏＭＰ実行中の通信品質が良好で、サービングセルを切替える必要が無かったというような場合が生じる。このような場合、サービングセルの切替えを行っても、新たなサービングセルで良好な通信品質を得られなくなることがある。
【０３５９】
本変形例では、このような問題を解消するための方法を開示する。ＣｏＭＰ実行中のサービングセルの切替えの判断において、ＵＥによるサービングセルのＣＳＩ−ＲＳの測定結果を用いる。サービングセルの受信品質として、ＵＥによるＣＳＩ−ＲＳの測定結果を用いる。ＣｏＭＰ実行中のＵＥが移動したとき、サービングセルの受信品質が低下した場合、サービングセルの切替えを決定する。例えば、サービングセルの受信品質が所定の閾値以下になった場合、サービングセルの切替えを行うと判断するとよい。ＣＳＩ−ＲＳの測定結果としては、ＣＳＩ−ＲＳのＲＳＲＰ／ＲＳＲＱであってもよいし、ＣＳＩ−ＲＳの測定結果から導出したＣＳＩ（CSI feedback）であってもよい。
【０３６０】
これによって、ＣｏＭＰ実行中のＵＥが、サービングセルでの通信品質が良好であるにもかかわらず、サービングセルの切替えが行われてしまうという問題を解消することができる。したがって、ＣｏＭＰ実行中のＵＥが、サービングセルとの良好な通信品質が得られるようになる。
【０３６１】
ＣｏＭＰ実行中のＵＥがサービングセルのＣＳＩ−ＲＳの測定を行うようにする方法として、実施の形態４で開示したサービングセルの取扱い方法のうち、（２）あるいは（３）の方法を用いるとよい。ＵＥが、サービングセルのＣＳＩ−ＲＳを測定することになる。サービングセルのＣＳＩ−ＲＳの測定は、定期的に行ってもよいし、周期的に行ってもよい。
【０３６２】
サービングセルの切替えを、ＨＯ（セルチェンジを含む）処理で行い、ＨＯ決定処理におけるＨＯ実行の判断に、サービングセルのＣＳＩ−ＲＳの測定結果を用いてもよい。
【０３６３】
図２５は、実施の形態５の変形例２における移動体通信システムのシーケンスの一例を示す図である。図２５に示すシーケンスは、図１５、図１６および図２４に示すシーケンスと類似しているので、同一のステップについては同一のステップ番号を付して、共通する説明を省略する。図２５では、ＨＯ決定処理におけるＨＯ実行の判断に、サービングセルのＣＳＩ−ＲＳの測定結果を用いた場合のシーケンスを示している。本シーケンスでは、図２４のステップＳＴ２３０４の処理に代えて、ステップＳＴ２４０１の処理を行う。
【０３６４】
セントラルエンティティの機能を有するサービングセルは、ＵＥ１に対して、図１５および図１６のステップＳＴ１５０１〜ステップＳＴ１５２６ならびにステップＳＴ１５３０の処理と同様に、ＣｏＭＰを実行する。ステップＳＴ１５１５において、ＵＥからサービングセルに通知するＣＳＩ−ＲＳのメジャメントリポートあるいはＣＳＩフィードバックに、サービングセルのＣＳＩ−ＲＳの測定結果を含めてもよい。あるいは、ステップＳＴ１５２６において、ＵＥからサービングセルに通知するＣＳＩフィードバックに、サービングセルのＣＳＩ−ＲＳの測定結果を含めてもよい。あるいは、ステップＳＴ１５２６と併せて、サービングセルのＣＳＩ−ＲＳのＲＳＲＰ／ＲＳＲＱの測定結果を通知してもよい。これによって、サービングセルは、ＵＥ１による自セルのＣＳＩ−ＲＳの測定結果を取得することができる。
【０３６５】
ステップＳＴ２３０３において、サービングセルは、ＨＯ決定処理を行う。ステップＳＴ２３０３のＨＯ決定処理は、ステップＳＴ２４０１およびステップＳＴ２３０５の処理を含む。
【０３６６】
ステップＳＴ２４０１において、サービングセルは、ＵＥ１からのＣＳＩ−ＲＳの測定結果を用いて、ＵＥ１に対してＨＯ処理を実行することを決定する。例えば、サービングセルのＣＳＩ−ＲＳの測定結果が、所定の閾値よりも小さくなった場合に、ＵＥ１に対してＨＯ処理を実行することを決定する。
【０３６７】
ステップＳＴ２３０５において、サービングセルは、ターゲットセルを決定する。ステップＳＴ２３０３においてＨＯ決定処理を行ったサービングセルは、ステップＳＴ２３０５で選択したセルをターゲットセルとして、ステップＳＴ２３０６において、ＨＯ処理を行う。
【０３６８】
本変形例で開示した方法によって、ＣｏＭＰ実行中のＵＥが、サービングセルとの良好な通信品質が得られるようになる。
【０３６９】
本実施の形態および変形例では、ＣｏＭＰ実行中のサービングセルの切替えにおいて、新たなサービングセルの選択およびＨＯ実行の決定に、ＵＥによるＣＳＩ−ＲＳの測定結果を用いることを開示した。
【０３７０】
ＵＥによるＣＳＩ−ＲＳの測定結果を用いるようにするために、ＣＳＩ−ＲＳの測定用の報告条件を新たに設けてもよい。従来のＣＲＳの測定結果用の報告条件であるＣＲＳ測定結果の代わりに、ＣＳＩ−ＲＳの測定結果を用いるようにしてもよい。
【０３７１】
サービングセルは、ＣＳＩ−ＲＳの測定用の報告条件をＵＥに通知する。また、サービングセルは、ＣｏＭＰ実行中に用いるためのメジャメントである旨を示すインジケータを設けて通知してもよい。サービングセルは、報告条件およびインジケータの少なくともいずれか一方を、メジャメント構成（measurement configuration）に含めてＵＥに通知してもよい。
【０３７２】
また、ＣｏＭＰ実行中のメジャメントは、ＣＳＩ−ＲＳの測定であることを静的に決めておいてもよい。例えば、予め規格などで決めておいて、ＵＥとネットワーク側とで認識を共有できるようにしておけばよい。これによって、前記インジケータが不要となり、シグナリングが必要な情報量を削減することができる。
【０３７３】
ＵＥによるＣＳＩ−ＲＳの測定は、ＣＳＩ−ＲＳの構成（configuration）が通知されたセルに限定してもよい。サービングセルは、自セルのＣＳＩ−ＲＳの構成もＵＥに通知しておくとよい。
【０３７４】
サービングセルがＣｏＭＰを行うにあたり、ＣＳＩ−ＲＳを測定させるセルのＣＳＩ−ＲＳの構成（configuration）がＵＥに通知されるが、ＣＳＩ−ＲＳを測定させるセルに限定するとよい。これに自セルのＣＳＩ−ＲＳの構成を含めておくとよい。
【０３７５】
これによって、ＵＥは、セルのＣＳＩ−ＲＳの構成を認識することができるので、ＣＳＩ−ＲＳの測定を行うことが可能となる。
【０３７６】
限定するセルとして、自セルのほか、付加的なＲＲＭメジャメントを行うセルであってもよいし、ＣｏＭＰメジャメントセット内のセルであってもよいし、ＣｏＭＰアクティブセット内のセルであってもよい。
【０３７７】
ＵＥは、サービングセルから通知されたＣＳＩ−ＲＳの報告条件に従って、ＣＳＩ−ＲＳの測定結果をサービングセルに通知する。これによって、サービングセルは、ＣｏＭＰ実行中のＵＥのサービングセルの切替えにおいて、新たなサービングセルの選択およびＨＯ実行の決定に、ＵＥによるＣＳＩ−ＲＳの測定結果を用いることが可能となる。
【０３７８】
本実施の形態では、ＣｏＭＰ実行中のサービングセルの切替えにおいて、新たなサービングセルの選択およびＨＯ実行の決定に、ＵＥによるＣＳＩ−ＲＳの測定結果を用いることを開示したが、これに限らず、以下の（１）〜（４）の４つの指標を用いてもよい。
【０３７９】
（１）ＵＥからの上りリンクの通信品質。上りリンクの通信品質として、ＳＲＳ、ＰＵＣＣＨ、ＰＵＳＣＨの通信品質とするとよい。
（２）ＵＥの位置情報。
（３）ＵＥによる下りリンクの復調用参照信号（ＤＭ−ＲＳ）の測定結果。
（４）ＵＥの移動速度情報。
【０３８０】
前記（１）〜（４）の指標を用いることによって、ＣｏＭＰ実行中のＵＥに対して、さらにＣｏＭＰに適したサービングセルの切替えを実行することが可能となり、良好な通信品質を得ることが可能となる。
【０３８１】
実施の形態６．
ＣｏＭＰ、ＣＡなどのために、新たな物理制御チャネルとして、ｅＰＤＣＣＨが３ＧＰＰリリース１１で検討されている（３ＧＰＰ  Ｒ１−１１３１５７（以下「参考文献６」という）参照）。
【０３８２】
３ＧＰＰ  Ｒ１−１１４２１４（以下「参考文献７」という）には、ｅＰＤＣＣＨが、ＰＤＳＣＨがマッピング可能なシンボル上にＰＤＳＣＨと多重されること、ＰＤＣＣＨが存在しないサブフレームでも、ｅＰＤＣＣＨはマッピング可能であることが開示されている。
【０３８３】
図２６は、ｅＰＤＣＣＨについて説明するための図である。図２６では、１サブフレームの周波数−時間リソースを示している。図２６の縦軸は周波数（Frequency）を表し、横軸は時間（Time）を表している。図２６において、参照符号「２５０１」で示す領域は、ＰＣＦＩＣＨ、ＰＨＩＣＨおよびＰＤＣＣＨがマッピングされるシンボルを表し、参照符号「２５０２」で示す領域は、ＰＤＳＣＨがマッピングされるシンボルを表す。参照符号「２５０３」で示す領域は、ｅＰＤＣＣＨで、ＰＤＳＣＨがマッピング可能なシンボル上にＰＤＳＣＨと多重される。
【０３８４】
このように、ｅＰＤＣＣＨは、ＰＤＳＣＨがマッピング可能なシンボル上にマッピングされるので、何らかの工夫をしなければ、ＵＥは、ｅＰＤＣＣＨがマッピングされたかどうかを認識することができない。したがって、ＵＥは、ｅＰＤＣＣＨをモニタすることが不可能となる。
【０３８５】
本実施の形態では、この問題を解消する方法を開示する。ｅＰＤＣＣＨを使用する場合、サービングセルは、ＵＥに個別シグナリングでｅＰＤＣＣＨの構成を通知する。個別シグナリングとしては、ＲＲＣシグナリングを用いるとよい。
【０３８６】
ｅＰＤＣＣＨを使用する場合、ＭＡＣシグナリングでｅＰＤＣＣＨの使用開始（activation）または使用停止（deactivation）を通知する。例えば、ｅＰＤＣＣＨの使用開始または使用停止の通知として、ＵＥがｅＰＤＣＣＨのモニタを開始または停止するタイミングを示す。ＵＥは、ｅＰＤＣＣＨの使用開始または使用停止の通知の受信を、ｅＰＤＣＣＨのモニタを開始または停止する契機としてもよい。これによって、ＲＲＣシグナリングで使用開始あるいは使用停止を通知するよりも、ｅＰＤＣＣＨをモニタ開始あるいは停止するまでの遅延時間を削減することができ、周辺電波環境の変化に対応することができる。
【０３８７】
別の方法として、ｅＰＤＣＣＨの使用開始または使用停止の情報を、ＰＤＣＣＨにマッピングされるＤＣＩに含めてＵＥに通知してもよい。あるいは、使用開始の情報をＰＤＣＣＨにマッピングされるＤＣＩに含めて、使用停止の情報をｅＰＤＣＣＨにマッピングされるＤＣＩに含めてＵＥに通知してもよい。これによって、サブフレーム単位でｅＰＤＣＣＨのモニタ開始あるいは停止を設定できるようになる。したがって、さらに短時間の周辺電波環境の変化に対応することができる。
【０３８８】
サービングセルからＵＥに、ＭＡＣシグナリングでｅＰＤＣＣＨの使用開始が通知された場合、ＵＥは、ｅＰＤＣＣＨのモニタを開始する。サービングセルからＵＥに、ＭＡＣシグナリングでｅＰＤＣＣＨの使用停止が通知された場合、ＵＥは、ｅＰＤＣＣＨのモニタを停止する。
【０３８９】
ＣｏＭＰにｅＰＤＣＣＨを使用する場合、対象とするＵＥへのｅＰＤＣＣＨのＤＣＩに、ＣｏＭＰトランスミッションポイント情報を含めるとよい。ＰＤＣＣＨの場合と同様の情報とするとよい。ＵＥは、ｅＰＤＣＣＨをモニタすることによって、ＣｏＭＰトランスミッションポイントを認識することが可能となる。
【０３９０】
ｅＰＤＣＣＨがＵＥ個別に設けられる場合、ｅＰＤＣＣＨをＣｏＭＰ対象としてもよい。サービングセルは、ＣｏＭＰ対象のＵＥのｅＰＤＣＣＨを、ＣｏＭＰメジャメントセット内セルあるいはＣｏＭＰアクティブセット内セルに通知しておくことによって可能となる。後述の実施の形態で開示するように、ＣｏＭＰ対象のＵＥのスケジューリング情報は、ＣｏＭＰメジャメントセット内セルあるいはＣｏＭＰアクティブセット内セルに通知される。したがって、該ＵＥのｅＰＤＣＣＨの構成情報とスケジューリング情報とを併せて用いることによって、該セット内の各セルは、該ＵＥのｅＰＤＣＣＨをＣｏＭＰ対象とすることが可能となる。ｅＰＤＣＣＨもＣｏＭＰすることによって、ｅＰＤＣＣＨの受信品質を良好にすることが可能となる。
【０３９１】
ｅＰＤＣＣＨを使用する場合、ｅＰＤＣＣＨでスケジューリングするサブフレームでは、ＰＤＣＣＨでスケジューリングしないようにしてもよい。ＵＥは、ｅＰＤＣＣＨをモニタするサブフレームではＰＤＣＣＨをモニタしないようにしてもよい。
【０３９２】
ｅＰＤＣＣＨを使用する場合、ページングの通知（Paging Indication：ＰＩ）には、ＰＤＣＣＨを用いてもよい。ＵＥは、ページング受信のための間欠受信周期で、ＰＤＣＣＨをモニタする。ページングの通知が行われるサブフレームでｅＰＤＣＣＨがマッピングされる場合は、ＵＥは、ＰＤＣＣＨとｅＰＤＣＣＨとの両方をモニタする。ページングの用途としては、ネットワーク側からの着信の通知、システム情報（ＳＩ）の変更の通知、ＥＴＷＳおよびＣＭＡＳなどのＰＷＳ（Public Warning System）の通知などがある。したがって、ＵＥは、ＰＤＣＣＨとｅＰＤＣＣＨとの両方をモニタすることによって、ＣｏＭＰを行いつつ、ネットワーク側からの着信の通知、システム情報の変更の通知、ＰＷＳの通知などを受信することが可能となる。
【０３９３】
ｅＰＤＣＣＨを使用する場合、システム情報のスケジューリングには、ＰＤＣＣＨを用いてもよい。ＵＥは、システム情報のための受信タイミングで、ＰＤＣＣＨをモニタする。システム情報のスケジューリングが行われるサブフレームでｅＰＤＣＣＨがマッピングされる場合は、ＵＥは、ＰＤＣＣＨとｅＰＤＣＣＨとの両方をモニタする。ＵＥは、ＰＤＣＣＨとｅＰＤＣＣＨとの両方をモニタすることによって、ＣｏＭＰを行いつつ、システム情報を受信することが可能となる。
【０３９４】
図２７および図２８は、実施の形態６における移動体通信システムのシーケンスの一例を示す図である。図２７と図２８とは、境界線ＢＬ２の位置で、つながっている。図２７および図２８では、ｅＰＤＣＣＨを使用する場合のシーケンスを示している。
【０３９５】
ステップＳＴ２６０１において、サービングセルは、対象とするＵＥ（ＵＥ１）にｅＰＤＣＣＨの使用を決定する。例えば、ＵＥ１に対してＣｏＭＰを実行することを決定した場合、あるいは、ＵＥ１に対してＣＡを実行することを決定した場合などである。
【０３９６】
ステップＳＴ２６０２において、サービングセルは、ＵＥ１用のｅＰＤＣＣＨの構成を決定する。構成するパラメータとしては、ｅＰＤＣＣＨがマッピングされる物理リソースを示す情報、ｅＰＤＣＣＨがマッピングされる周期、ｅＰＤＣＣＨに用いられるＵＥ固有のシーケンス、およびモニタモードなどがある。ｅＰＤＣＣＨがマッピングされる物理リソースを示す情報は、例えばＰＲＢナンバである。ｅＰＤＣＣＨがマッピングされる周期は、例えばサブフレーム数、無線フレーム数、およびサブフレームのオフセットである。モニタモードとしては、ＰＤＣＣＨとｅＰＤＣＣＨとの両方をモニタするモード、ページング用通知のＰＤＣＣＨおよびシステム情報スケジューリング用ＰＤＣＣＨの少なくともいずれか一方とｅＰＤＣＣＨとをモニタするモード、ならびにｅＰＤＣＣＨのみをモニタするモードなどがあり、これらのモード種別を設定可能としておく。
【０３９７】
ステップＳＴ２６０３において、サービングセルは、ｅＰＤＣＣＨの構成（ePDCCH configuration）を、ＲＲＣシグナリングを用いてＵＥ１に通知する。
【０３９８】
ステップＳＴ２６０４において、ＵＥ１は、受信したｅＰＤＣＣＨの構成を設定する。
【０３９９】
ステップＳＴ２６０５において、サービングセルは、ｅＰＤＣＣＨを用いてＵＥ１へのスケジューリングを決定する。
【０４００】
ステップＳＴ２６０６において、サービングセルは、ｅＰＤＣＣＨの使用開始（ePDCCH activation）を、ＭＡＣシグナリングを用いてＵＥ１に通知する。
【０４０１】
ステップＳＴ２６０７において、サービングセルは、ｅＰＤＣＣＨでＵＥ１へのスケジューリングを行う。
【０４０２】
ステップＳＴ２６０８において、サービングセルは、ｅＰＤＣＣＨを、ステップＳＴ２６０２で構成したリソース、周期、およびシーケンスなどを用いて、ＰＤＳＣＨがマッピングされるシンボルでＵＥ１に送信する。
【０４０３】
ステップＳＴ２６０６でｅＰＤＣＣＨの使用開始信号を通知されたＵＥ１は、ｅＰＤＣＣＨのモニタを開始する。
【０４０４】
ステップＳＴ２６０９において、ＵＥ１は、サービングセルから送信されたｅＰＤＣＣＨをモニタし、自ＵＥ宛のスケジューリング情報を取得する。
【０４０５】
ステップＳＴ２６１０において、ＵＥ１は、受信したスケジューリング情報に基づいて、サービングセルと通信を行う。
【０４０６】
次に、ｅＰＤＣＣＨの使用を停止する場合について示す。ステップＳＴ２６１１において、サービングセルは、ＵＥ１にｅＰＤＣＣＨを使用しないことを決定する。ステップＳＴ２６１２において、サービングセルは、ｅＰＤＣＣＨの使用停止（ePDCCH deactivation）を、ＭＡＣシグナリングを用いてＵＥ１に通知する。この通知は、ｅＰＤＣＣＨを用いて行われる。
【０４０７】
ステップＳＴ２６１３において、サービングセルは、ｅＰＤＣＣＨでＵＥ１へのスケジューリングを停止し、ＰＤＣＣＨでＵＥ１へのスケジューリングを行う。
【０４０８】
ステップＳＴ２６１６において、サービングセルは、ＰＤＣＣＨを用いてＵＥ１へのスケジューリングを行う。
【０４０９】
ステップＳＴ２６１２でｅＰＤＣＣＨの使用停止信号を通知されたＵＥは、ステップＳＴ２６１４において、ｅＰＤＣＣＨのモニタを停止する。
【０４１０】
ステップＳＴ２６１５において、ＵＥ１は、サービングセルから送信されるＰＤＣＣＨのモニタを開始し、自ＵＥ宛のスケジューリング情報を取得する。
【０４１１】
ステップＳＴ２６１７において、ＵＥ１は、受信したスケジューリング情報に基づいて、サービングセルと通信を行う。
【０４１２】
次に、ＵＥ１に対して、ｅＰＤＣＣＨの使用をしないことを決定した場合について示す。ステップＳＴ２６１８において、サービングセルは、ＵＥ１に対してｅＰＤＣＣＨを使用しないことを決定する。ｅＰＤＣＣＨを使用しないことを決定するのは、例えば、ＵＥ１に対してＣｏＭＰの実行を終了するまたは終了した）場合、あるいは、ＵＥ１に対してＣＡの実行を終了するまたは終了した場合などである。
【０４１３】
ステップＳＴ２６１９において、サービングセルは、ＵＥ１に、ｅＰＤＣＣＨ構成のリリース（ePDCCH configuration release）を通知する。ＵＥ１は、ｅＰＤＣＣＨ構成のリリースを受信することによって、ｅＰＤＣＣＨの使用の終了を認識することができる。
【０４１４】
ステップＳＴ２６１９でｅＰＤＣＣＨ構成のリリースを通知したサービングセルは、ステップＳＴ２６２０において、ＵＥ１用のｅＰＤＣＣＨ構成をリリースする。または、サービングセルは、ステップＳＴ２６１９の処理に対する受信応答をＵＥ１から通知された場合、ステップＳＴ２６２０において、ＵＥ１用のｅＰＤＣＣＨ構成をリリースするようにしてもよい。これによって、ＵＥ１用にリザーブしていた物理リソースおよびシーケンスなどを開放することができ、リソースの効率的な使用が可能となる。
【０４１５】
ステップＳＴ２６２１において、ＵＥ１は、設定していたｅＰＤＣＣＨ構成のリリース（リセット）を行う。
【０４１６】
本実施の形態で開示した方法とすることによって、ＵＥは、ｅＰＤＣＣＨがマッピングされたかどうかを認識することが可能となり、ｅＰＤＣＣＨをモニタすることが可能となる。したがって、ｅＰＤＣＣＨを用いた通信が可能となる。ＣｏＭＰおよびＣＡなどでｅＰＤＣＣＨが使用される場合に有効となる。
【０４１７】
実施の形態７．
実施の形態７では、実施の形態１においてサービングセルと、サービングセルとは異なる他のセルとのシグナリング方法、データ転送方法などについて開示する。図２９、図３０および図３１は、実施の形態７における移動体通信システムのシーケンスの一例を示す図である。図２９と図３０とは、境界線ＢＬ３の位置で、つながっている。図３０と図３１とは、境界線ＢＬ４の位置で、つながっている。図２９〜図３１に示すシーケンスは、図１５および図１６に示すシーケンスと類似しているので、同一のステップについては同一のステップ番号を付して、共通する説明を省略する。図２９〜図３１では、セントラルエンティティがサービングセル内に構成された場合について示しているので、特にセントラルエンティティとサービングセルとを区別せずに、サービングセルと記載する。
【０４１８】
ステップＳＴ７１０１において、サービングセルは、ステップＳＴ１５３０で決定したＣｏＭＰメジャメントセットに含まれるセルのうち、サービングセル以外のセルへ、ＵＥ１に対するＣｏＭＰメジャメントセットへの加入を要求する。以下の説明では、ＣｏＭＰメジャメントセットに含まれるセルのうち、サービングセル以外のセルを、単に、「ＣｏＭＰメジャメントセットセル」と称することもある。
【０４１９】
具体例としては、サービングセルは、ＣｏＭＰメジャメントセットセルへ、ＣｏＭＰメジャメントセットリクエスト（CoMP Measurement set Request）メッセージを通知する。ＣｏＭＰメジャメントセットリクエストメッセージが示す情報の具体例として、以下の（１）〜（３）の３つを開示する。
【０４２０】
（１）ＵＥ１に対するＣｏＭＰメジャメントセットへの加入を要求する。
（２）ＣＳＩ−ＲＳの送信開始を要求する。
（３）前記（１）および（２）の組合せ。
【０４２１】
ステップＳＴ７１０１でサービングセルからＵＥ１に対するＣｏＭＰメジャメントセットへの加入要求を受信したＣｏＭＰメジャメントセットセルは、ステップＳＴ７１０２において、サービングセルへ前記ＣｏＭＰメジャメントセットへの加入要求の応答を行う。該応答は、省略してもよい。これによって、応答処理に対する処理の負荷を軽減することができる。ＣｏＭＰメジャメントセットセルは、ＵＥ１に対するＣｏＭＰメジャメントセットへの加入が可能である場合、あるいはＵＥ１に対するＣＳＩ−ＲＳの送信開始が可能である場合は、その旨をサービングセルに通知する。具体的には、ＣｏＭＰメジャメントセットセルは、ＣｏＭＰメジャメントセットリクエスト肯定応答（CoMP Measurement set Request Ack）メッセージをサービングセルに通知する。
【０４２２】
ＣｏＭＰメジャメントセットセルは、サービングセルへ、ＵＥ１に対するＣｏＭＰメジャメントセットへの加入が不可能である場合、あるいはＵＥ１に対するＣＳＩ−ＲＳの送信開始が不可能である場合は、その旨をサービングセルに通知する。具体的には、ＣｏＭＰメジャメントセットセルは、ＣｏＭＰメジャメントセットリクエスト否定応答（CoMP Measurement set Request Nack）メッセージをサービングセルに通知する。
【０４２３】
ＣｏＭＰメジャメントセットセルが、ＵＥ１に対するＣｏＭＰメジャメントセットへの加入が不可能、あるいはＵＥ１に対するＣＳＩ−ＲＳの送信開始が不可能であると判断する指標の具体例としては、ＣｏＭＰメジャメントセットセルの高負荷がある。本シーケンスでは、ＣｏＭＰメジャメントセットセルが、ＵＥ１に対するＣｏＭＰメジャメントセットへの加入が可能である場合について説明する。
【０４２４】
ステップＳＴ７１０３において、サービングセルは、ＣＳＩ−ＲＳをＵＥ１に送信する。
【０４２５】
ステップＳＴ７１０２においてサービングセルへＣｏＭＰメジャメントセットへの加入が可能である旨を通知したＣｏＭＰメジャメントセットセルは、ステップＳＴ７１０４において、ＵＥ１へのＣＳＩ−ＲＳの送信を開始する。
【０４２６】
ステップＳＴ７１０５において、サービングセルは、ＵＥ１宛のデータを通知する。具体的には、サービングセルは、ＵＥ１宛のＣｏＭＰ用データを通知する。
【０４２７】
サービングセルがデータを通知する先の具体例として、以下の（１）〜（３）の３つを開示する。
【０４２８】
（１）ＣｏＭＰメジャメントセットセル。データ通知を受けたＣｏＭＰメジャメントセットセルが、ＣｏＭＰトランスミッションポイントに選択されない場合は、ＣｏＭＰメジャメントセットセルは、通知されたデータを破棄する。本具体例（１）では、後述の具体例（３）と比較して、ステップＳＴ１５１６においてＣｏＭＰトランスミッションポイントが決定するか否かに関わらず、データの通知を開始することができ、データの通知に使用可能な時間を増やすことができる。データの通知のタイミングは、ステップＳＴ１５０８においてサービングセルがＣｏＭＰの実行を決定する以降であって、ステップＳＴ１５１９においてＣｏＭＰの送受信が行われるより前であれば、任意である。データの通知のタイミングに余裕があるので、瞬時的な高負荷を軽減することができる。
【０４２９】
（２）ＣｏＭＰアクティブセットに含まれるセルのうち、サービングセル以外のセル。以下の説明では、ＣｏＭＰアクティブセットに含まれるセルのうち、サービングセル以外のセルを、単に、「ＣｏＭＰアクティブセットセル」と称することもある。データの通知を受けたＣｏＭＰアクティブセットセルが、ＣｏＭＰトランスミッションポイントに選択されない場合は、ＣｏＭＰアクティブセットセルは、通知されたデータを破棄する。本具体例（２）では、後述の具体例（３）と比較して、ステップＳＴ１５１６においてＣｏＭＰトランスミッションポイントが決定するか否かに関わらず、データの通知を開始することができ、データの通知に使用可能な時間を増やすことができる。データの通知のタイミングは、ステップＳＴ１５０８においてサービングセルがＣｏＭＰの実行を決定する以降であって、ステップＳＴ１５１９においてＣｏＭＰの送受信が行われるより前であれば、任意である。データの通知のタイミングに余裕があるので、瞬時的な高負荷を軽減することができる。
【０４３０】
（３）ＣｏＭＰトランスミッションポイントに含まれるセルのうち、サービングセル以外のセル。以下の説明では、ＣｏＭＰトランスミッションポイントに含まれるセルのうち、サービングセル以外のセルを、単に、「ＣｏＭＰトランスミッションポイント」と称することもある。本具体例（３）では、前述の具体例（１），（２）と比較して、ＣｏＭＰトランスミッションポイントに選択されないセルがデータの通知を受けることはないので、データを破棄する処理が発生しない。したがって、無駄な処理が発生しないという効果を得ることができる。データ通知のタイミングは、ステップＳＴ１５１６においてサービングセルがＣｏＭＰトランスミッションポイントを決定する以降であって、ステップＳＴ１５１９においてＣｏＭＰの送受信が行われるより前であれば、任意である。
【０４３１】
通知するデータの種類の具体例として、以下の（１）〜（３）の３つを開示する。
（１）ＰＤＣＰデータユニット。ＰＤＣＰ  ＰＤＵデータ、あるいはＰＤＣＰ  ＳＤＵデータとしてもよい。
（２）ＲＬＣデータユニット。ＲＬＣ  ＰＤＵデータ、あるいはＲＬＣ  ＳＤＵデータとしてもよい。
（３）ＭＡＣデータユニット。ＭＡＣ  ＰＤＵデータ、あるいはＭＡＣ  ＳＤＵデータとしてもよい。通知するデータの種類に応じて、データに必要なパラメータを共に通知するとよい。
【０４３２】
ステップＳＴ７１０６において、サービングセルは、ステップＳＴ１５１６で決定したＣｏＭＰトランスミッションポイントを示す情報を含めたスケジューリング情報を、ＣｏＭＰトランスミッションポイントに通知する。ステップＳＴ７１０６では、ステップＳＴ７１０５で通知するデータの種類に応じて、必要なスケジューリング情報を通知するとよい。ＣｏＭＰトランスミッションポイントを示す情報を含めてスケジューリングを行うこと、あるいは該スケジューリングの結果であるスケジューリング情報を「ＣｏＭＰスケジューリング」と称する。
【０４３３】
ステップＳＴ７１０６の処理の終了後は、前述の実施の形態１と同様にして、ステップＳＴ１５１８〜ステップＳＴ１５２９の処理が行われる。図３１では、ステップＳＴ１５１９およびステップＳＴ１５２６の処理を、より具体的に示している。
【０４３４】
ステップＳＴ１５１９は、ステップＳＴ２９０１〜ステップＳＴ２９０３を含む。ステップＳＴ２９０１において、ＵＥ１とサービングセルとは、ＣｏＭＰによる送受信を行う。ステップＳＴ２９０２において、ＵＥ１と、ＣｏＭＰメジャメントセットに含まれるサービングセル以外のセルとは、ＣｏＭＰによる送受信を行う。ステップＳＴ２９０３において、ＵＥ１は、ＣＳＩ−ＲＳからＣＳＩを導出して、サービングセルにフィードバックする。
【０４３５】
ステップＳＴ１５２６は、ステップＳＴ２９０４〜ステップＳＴ２９０６を含む。ステップＳＴ２９０４〜ステップＳＴ２９０６の処理は、ステップＳＴ２９０１〜ステップＳＴ２０９３の処理と同様に行われる。
【０４３６】
図３２は、実施の形態７における移動体通信システムのシーケンスの一例を示す図である。図３２に示すシーケンスにおいて、図１５および図１６に示すシーケンスと同一のステップについては同一のステップ番号を付して、共通する説明を省略する。図３２では、セントラルエンティティとサービングセルとを区別し、セントラルエンティティがＣｏＭＰトランスミッションポイントの決定を行う場合のシーケンスを示している。図３２では、図２９〜図３１のステップＳＴ１５１５〜ステップＳＴ１５１８の処理の他の具体例を示している。
【０４３７】
ステップＳＴ７２０１において、サービングセルは、ステップＳＴ１５１５で受信したＣＳＩ−ＲＳの測定結果を、セントラルエンティティに通知する。ＣＳＩ−ＲＳの測定結果の具体例としては、ＣＳＩ−ＲＳメジャメントリポート（CSI-RS Measurement Report）およびＣＳＩフィードバック（CSI feedback）情報などがある。
【０４３８】
ステップＳＴ７２０２において、サービングセルは、ＣｏＭＰ実行の対象となるデータに関する情報（以下「データパラメータ」ともいう）を、セントラルエンティティに通知する。データパラメータの具体例としては、データ量、サービスのサービス品質（Quality of Service：ＱｏＳ）情報などがある。あるいは、データパラメータとして、ＣｏＭＰ実行の対象となるデータを通知してもよい。
【０４３９】
ステップＳＴ７２０４において、セントラルエンティティは、ＣｏＭＰメジャメントセット間において、ステップＳＴ７２０２において受信したＣｏＭＰ実行の対象となるデータのＣｏＭＰを実現するための調整を行う。具体的には、セントラルエンティティは、該データの送信がサービングセルで受け入れ可能であるかの調整を行う。サービングセルの傘下のＣｏＭＰ対象外のＵＥに対するスケジューリングは、サービングセルによって行われるので、前記の調整を行うことによって、最適なスケジューリングとすることができる。
【０４４０】
ステップＳＴ７２０５において、セントラルエンティティは、ＣｏＭＰメジャメントセット間において、ステップＳＴ７２０２において受信したＣｏＭＰ実行の対象となるデータのＣｏＭＰを実現するための調整を行う。具体的には、セントラルエンティティは、該データの送信がＣｏＭＰメジャメントセットセルで受け入れ可能であるかの調整を行う。ＣｏＭＰメジャメントセットセルの傘下のＣｏＭＰ対象外のＵＥに対するスケジューリングは、ＣｏＭＰメジャメントセットセルによって行われるので、前記の調整を行うことによって、最適なスケジューリングとすることができる。ＣｏＭＰアクティブセット間において調整を行ってもよい。
【０４４１】
ステップＳＴ７２０３において、セントラルエンティティは、ステップＳＴ７２０２で受信したＣｏＭＰ実行の対象となるデータに関する情報、ステップＳＴ７２０４で行ったサービングセルとの調整結果、およびステップＳＴ７２０５で行ったＣｏＭＰメジャメントセットセルとの調整結果に基づいて、ＵＥ１用のスケジューリングを行う。具体的には、ＣｏＭＰトランスミッションポイントの決定を行う。ステップＳＴ７２０３の処理の詳細は、図１５および図１６のステップＳＴ１５１６の処理と同様である。
【０４４２】
その後、セントラルエンティティは、ＣｏＭＰトランスミッションポイント間において、再度調整を行って最終的なＣｏＭＰスケジューリングを決定してもよい。
【０４４３】
ステップＳＴ７２０７において、セントラルエンティティは、ステップＳＴ７２０３で決定したＣｏＭＰスケジューリングをサービングセルに通知する。
【０４４４】
ステップＳＴ７２０８において、サービングセルは、ステップＳＴ７２０７で受信したスケジューリングをＣｏＭＰメジャメントセットセルに通知する。セントラルエンティティが、ステップＳＴ７２０３で決定したスケジューリングをＣｏＭＰメジャメントセットセルに通知してもよい。
【０４４５】
図３３は、実施の形態７における移動体通信システムのシーケンスの一例を示す図である。図３３に示すシーケンスにおいて、図１５、図１６および図３２に示すシーケンスと同一のステップについては同一のステップ番号を付して、共通する説明を省略する。図３３では、セントラルエンティティとサービングセルを区別し、サービングセルとセントラルエンティティとが共同でＣｏＭＰトランスミッションポイントの決定を行う場合のシーケンスを示している。図３３では、図２９〜図３１のステップＳＴ１５１５〜ステップＳＴ１５１８の処理の他の具体例を示している。
【０４４６】
ステップＳＴ７３０４において、サービングセルは、ＵＥ１用のＣｏＭＰ実行の対象となるデータに対する自セル単独でのスケジューリングを決定する。一旦決定するようにしてもよい。
【０４４７】
ステップＳＴ７３０１において、サービングセルは、セントラルエンティティに、ＣｏＭＰメジャメントセット間の調整依頼を通知する。サービングセルは、調整依頼を通知するとき、ステップＳＴ７３０４で決定したスケジューリングを通知すればよい。スケジューリングの具体例としては、時間−周波数リソースなどがある。ＣｏＭＰアクティブセット間の調整依頼を通知してもよい。
【０４４８】
ステップＳＴ７３０２において、セントラルエンティティは、ＣｏＭＰメジャメントセット間において、ステップＳＴ７３０１で受信したスケジューリングを実現するための調整を行う。具体的には、セントラルエンティティは、ステップＳＴ７３０１で受信したスケジューリングが、サービングセルで受け入れ可能であるかの調整を行う。サービングセルの傘下のＣｏＭＰ対象外のＵＥに対するスケジューリングは、サービングセルによって行われるので、前記の調整を行うことによって、最適なスケジューリングとすることができる。サービングセルが、ステップＳＴ７３０４において、スケジューリングを行っているので、サービングセルは、受け入れ可能であるとして、本ステップを省略してもよい。
【０４４９】
ステップＳＴ７３０３において、セントラルエンティティは、ＣｏＭＰメジャメントセット間において、ステップＳＴ７３０１で受信したスケジューリングを実現するための調整を行う。具体的には、セントラルエンティティは、ステップＳＴ７３０１で受信したスケジューリングが、ＣｏＭＰメジャメントセットセルで受け入れ可能であるかの調整を行う。ＣｏＭＰメジャメントセットセルの傘下のＣｏＭＰ対象外のＵＥに対するスケジューリングは、ＣｏＭＰメジャメントセットセルによって行われるので、前記の調整を行うことによって、最適なスケジューリングとすることができる。ＣｏＭＰアクティブセット間において調整を行ってもよい。
【０４５０】
ステップＳＴ１５１６において、セントラルエンティティは、ステップＳＴ７３０１で受信したスケジューリング、ステップＳＴ７３０２で行ったサービングセルとの調整結果、およびステップＳＴ７３０３で行ったＣｏＭＰメジャメントセットセルとの調整結果に基づいて、ＵＥ１用のＣｏＭＰスケジューリングを行う。具体的には、ＣｏＭＰトランスミッションポイントの決定を行う。処理の詳細は、図１５および図１６のステップＳＴ１５１６の処理と同様である。
【０４５１】
次に、セルユニファイドエンティティ（Cell Unified Entity）を新たに設けた場合について開示する。セルユニファイドエンティティとは、複数の無線エリアにおけるＲＲＣ（Radio Resource Control）、ＰＤＣＰ（Packet Data Convergence Protocol）、ＲＬＣ（Radio Link Control）、およびＭＡＣ（Medium Access Control）の任意の機能を共通して有するエンティティと定義する。以降、実施の形態７、実施の形態８、実施の形態９および実施の形態１０では、セル（Cell）とは、一つの無線エリアを構成するＲＲＣ、ＰＤＣＰ、ＲＬＣ、ＭＡＣ、およびＰＨＹ（Physical layer）の全ての機能から構成されるエンティティとする。また、サブセル（Sub Cell）とは、一つの無線エリアを構成するＲＲＣ、ＰＤＣＰ、ＲＬＣ、ＭＡＣ、ＰＨＹの一部の機能から構成されるエンティティとする。
【０４５２】
ＰＨＹの機能を有するセルおよびサブセルは、報知情報を報知する機能を有する。ＵＥによって識別可能な識別子を報知する機能を有してもよい。
【０４５３】
図３４は、セルユニファイドエンティティの具体例を説明するためのブロック図である。セルユニファイドエンティティ７４１６は、第１サブセル７４０１、第２サブセル７４０６および第３サブセル７４１１と接続されている。
【０４５４】
第１サブセル７４０１は、一つの無線エリアを構成し、ＭＡＣ７４０２と、ＰＨＹ７４０３とを備える。ＰＨＹ７４０３は、ベースバンド部（ＢＢ）７４０４と、無線部（ＲＦ）７４０５とを備える。
【０４５５】
第２サブセル７４０６は、一つの無線エリアを構成し、ＭＡＣ７４０７と、ＰＨＹ７４０８とを備える。ＰＨＹ７４０８は、ＢＢ７４０９と、ＲＦ７４１０とを備える。
【０４５６】
第３サブセル７４１１は、一つの無線エリアを構成し、ＭＡＣ７４１２と、ＰＨＹ７４１３とを備える。ＰＨＹ７４１３は、ＢＢ７４１４と、ＲＦ７４１５とを備える。
【０４５７】
セルユニファイドエンティティ７４１６は、第１サブセル７４０１が構成する無線エリア、第２サブセル７４０６が構成する無線エリア、および第３サブセル７４１２が構成する無線エリアにおけるＲＲＣ７４１７、ＰＤＣＰ７４１８、およびＲＬＣ７４１９の機能を共通して有する。以下の説明では、セルユニファイドエンティティ７４１６のように、複数の無線エリアにおけるＲＲＣ、ＰＤＣＰおよびＲＬＣの機能を共通して有するセルユニファイドエンティティを、「第１セルユニファイドエンティティ」と称することもある。
【０４５８】
図３５は、他のセルユニファイドエンティティの具体例を説明するためのブロック図である。セルユニファイドエンティティ７５１３は、第４サブセル７５０１、第５サブセル７５０５および第６サブセル７５０９と接続されている。
【０４５９】
第４サブセル７５０１は、一つの無線エリアを構成し、ＰＨＹ７５０２を備える。ＰＨＹ７５０２は、ＢＢ７５０３と、ＲＦ７５０４とを備える。
【０４６０】
第５サブセル７５０５は、一つの無線エリアを構成し、ＰＨＹ７５０６を備える。ＰＨＹ７５０６は、ＢＢ７５０７と、ＲＦ７５０８とを備える。
【０４６１】
第６サブセル７５０９は、一つの無線エリアを構成し、ＰＨＹ７５１０を備える。ＰＨＹ７２１０は、ＢＢ７５１１と、ＲＦ７５１２とを備える。
【０４６２】
セルユニファイドエンティティ７５１３は、第４サブセル７５０１が構成する無線エリア、第５サブセル７５０５が構成する無線エリア、および第６サブセル７５０９が構成する無線エリアにおけるＲＲＣ７５１４、ＰＤＣＰ７５１５、ＲＬＣ７５１６、およびＭＡＣ７５１７の機能を共通して有する。以下の説明では、セルユニファイドエンティティ７５１３のように、複数の無線エリアにおけるＲＲＣ、ＰＤＣＰ、ＲＬＣおよびＭＡＣの機能を共通して有するセルユニファイドエンティティを、「第２セルユニファイドエンティティ」と称することもある。
【０４６３】
また別の具体例として、複数の無線エリアにおけるＲＲＣの機能と、ＰＤＣＰの機能と、ＲＬＣの機能と、ＭＡＣの機能のうち少なくともスケジューリングの機能とを共通して有するセルユニファイドエンティティも考えられる。該セルユニファイドエンティティを「第３セルユニファイドエンティティ」と称することもある。
【０４６４】
図３６、図３７および図３８は、実施の形態７における移動体通信システムのシーケンスの一例を示す図である。図３６と図３７とは、境界線ＢＬ５の位置で、つながっている。図３７と図３８とは、境界線ＢＬ６の位置で、つながっている。図３６〜図３８に示すシーケンスは、図１５および図１６に示すシーケンスと類似しているので、同一のステップについては同一のステップ番号を付して、共通する説明を省略する。図３６〜図３８では、ＲＲＣ７４１７、ＰＤＣＰ７４１８およびＲＬＣ７４１９を有する第１セルユニファイドエンティティとサブセルとを区別した場合のＣｏＭＰを実行するときのシーケンスを示している。本シーケンスでは、セントラルエンティティがサービングサブセル内に構成された場合について示しているので、特にセントラルエンティティとサービングサブセルとを区別せずに、サービングセルと記載する。
【０４６５】
ステップＳＴ７６０１において、第１セルユニファイドエンティティは、ＲＲＭメジャメント構成を設定する。ステップＳＴ７６０１の処理の詳細は、図１５および図１６のステップＳＴ１５０１の処理と同様である。
【０４６６】
ステップＳＴ７６０２において、第１セルユニファイドエンティティは、ステップＳＴ７６０１で設定したＲＲＭメジャメント構成を、サービングサブセルに通知する。
【０４６７】
ステップＳＴ７６０３において、サービングサブセルは、ステップＳＴ７６０２で受信したＲＲＭメジャメント構成を、ＵＥ１に通知する。ステップＳＴ７６０３の処理の詳細は、図１５および図１６のステップＳＴ１５０２の処理と同様である。
【０４６８】
ステップＳＴ７６０４において、ＵＥ１は、サービングサブセルに、ＣＲＳの測定結果を報告する。ステップＳＴ７６０４の処理の詳細は、図１５および図１６のステップＳＴ１５０４の処理と同様である。
【０４６９】
ステップＳＴ７６０５において、サービングサブセルは、第１セルユニファイドエンティティに、ステップＳＴ７６０４で受信した測定結果の報告を通知する。
【０４７０】
ステップＳＴ７６０６において、第１セルユニファイドエンティティは、ＲＲＭメジャメントセットを作成する。ステップＳＴ７６０６の処理の詳細は、図１５および図１６のステップＳＴ１５０５の処理と同様である。
【０４７１】
ステップＳＴ７６０７において、第１セルユニファイドエンティティは、サービングサブセルにデータを通知する。具体的には、ＵＥ１宛のデータを通知する。通知するデータの種類の具体例としては、ＲＬＣデータユニットがある。通知するデータは、ＲＬＣ  ＰＤＵデータとしてもよい。データに必要なパラメータを共に通知するとよい。必要なパラメータの具体例としては、サービングサブセルのＭＡＣ処理に必要なパラメータがある。
【０４７２】
ステップＳＴ７６０８において、サービングサブセルは、ステップＳＴ７６０７で受信したデータのスケジューリングを行う。ＭＡＣスケジューリングを行うようにしてもよい。
【０４７３】
ステップＳＴ７６０９において、ＵＥ１とサービングサブセルとは、下り（ＤＬ）および上り（ＵＬ）の少なくともいずれか一方のデータ通信を行う。
【０４７４】
ステップＳＴ７６１０において、サービングサブセルは、ＵＥ１に送信するＤＬデータと、ＵＥ１から受信したＵＬデータとについて、第１セルユニファイドエンティティとデータ通信を行う。通知するデータについては、ステップＳＴ７６０７の処理と同様である。
【０４７５】
ステップＳＴ７６１１において、ＵＥ１は、ＣＲＳから導出したＣＱＩを、サービングサブセルにフィードバックする。
【０４７６】
ステップＳＴ７６１２において、サービングサブセルは、ステップＳＴ７６１１で受信したＣＱＩフィードバックデータを、第１セルユニファイドエンティティに通知する。
【０４７７】
ステップＳＴ７６１３において、第１セルユニファイドエンティティは、ＣｏＭＰを実行するか否かを決定する。ステップＳＴ７６１３の処理の詳細は、図１５および図１６のステップＳＴ１５０８の処理と同様である。
【０４７８】
ステップＳＴ７６３８において、第１セルユニファイドエンティティは、ＣｏＭＰメジャメントセットを選択し、決定する。ステップＳＴ７６３８の処理の詳細は、図１５および図１６のステップＳＴ１５３０の処理と同様である。
【０４７９】
第１セルユニファイドエンティティが、ＣｏＭＰメジャメントセットに含まれるサブセルの負荷状況などを把握し、ＣｏＭＰメジャメントセットサブセルが、ＵＥ１に対するＣｏＭＰメジャメントセットへの加入が可能であるか否かを判断できる場合は、図２９〜図３１のステップＳＴ７１０１およびステップＳＴ７１０２に相当する処理を省略することができる。このように、ＣｏＭＰをサポートする移動体通信システムにおいて、第１セルユニファイドエンティティを設けることによって、制御遅延を防止することが可能となる。
【０４８０】
ステップＳＴ７６１４において、第１セルユニファイドエンティティは、サービングサブセルに、ＣＳＩ−ＲＳの送信開始を要求する。
【０４８１】
ステップＳＴ７６１５において、第１セルユニファイドエンティティは、ＣｏＭＰメジャメントセットに含まれるセルのうち、サービングサブセル以外のセル、あるいはサブセルに、ＣＳＩ−ＲＳの送信開始を要求する。以下の説明では、ＣｏＭＰメジャメントセットに含まれるサブセルのうち、サービングサブセル以外のセル、あるいはサブセルを、「ＣｏＭＰメジャメントセットサブセル」と称することもある。
【０４８２】
ステップＳＴ７６１６において、第１セルユニファイドエンティティは、ＵＥ１に対するＣｏＭＰメジャメント構成を設定する。ステップＳＴ７６１６の処理の詳細は、図１５および図１６のステップＳＴ１５０９の処理と同様である。
【０４８３】
ステップＳＴ７６１７において、第１セルユニファイドエンティティは、ステップＳＴ７６１６で設定したＵＥ１に対するＣｏＭＰメジャメント構成を、サービングサブセルに通知する。
【０４８４】
ステップＳＴ７６１８において、サービングサブセルは、ステップＳＴ７６１７で受信したＣｏＭＰメジャメント構成を、ＵＥ１に通知する。ステップＳＴ７６１８の処理の詳細は、図１５および図１６のステップＳＴ１５１０の処理と同様である。
【０４８５】
ステップＳＴ７６１９において、サービングサブセルは、ＣＳＩ−ＲＳをＵＥ１に送信する。サービングサブセルは、ステップＳＴ７６１４における第１セルユニファイドエンティティからのＣＳＩ−ＲＳの送信開始の要求を受信することによって、ＣＳＩ−ＲＳの送信を開始するようにしてもよい。これによって、サービングサブセルの傘下の移動端末が、ＣＳＩ−ＲＳを用いて測定を行う場合のみ、サービングサブセルがＣＳＩ−ＲＳを送信することができ、サービングサブセルの消費電力を低減することが可能となる。
【０４８６】
ステップＳＴ７６２０において、ＣｏＭＰメジャメントセットサブセルは、ＣＳＩ−ＲＳをＵＥ１に送信する。ＣｏＭＰメジャメントセットサブセルは、ステップＳＴ７６１５における第１セルユニファイドエンティティからのＣＳＩ−ＲＳの送信開始の要求を受信することによって、ＣＳＩ−ＲＳの送信を開始するようにしてもよい。これによって、ＣｏＭＰメジャメントセットサブセルの傘下の移動端末が、ＣＳＩ−ＲＳを用いて測定を行う場合のみ、ＣｏＭＰメジャメントセットサブセルがＣＳＩ−ＲＳを送信することができ、ＣｏＭＰメジャメントセットサブセルの消費電力を低減することが可能となる。
【０４８７】
ステップＳＴ７６２１において、ＵＥ１は、サービングサブセルに、ＣＳＩ−ＲＳの測定結果の報告をする。ステップＳＴ７６２１の処理の詳細は、図１５および図１６のステップＳＴ１５１５の処理と同様である。
【０４８８】
ステップＳＴ７６２２において、第１セルユニファイドエンティティは、サービングサブセルにデータを通知する。ステップＳＴ７６２２の処理の詳細は、ステップＳＴ７６０７の処理と同様である。
【０４８９】
ステップＳＴ７６２３において、サービングサブセルは、ＣｏＭＰトランスミッションポイントを決定する。ＣｏＭＰトランスミッションポイントの決定処理の詳細は、図１６に示すステップＳＴ１５１６の処理と同様である。
【０４９０】
ステップＳＴ７６２５において、サービングサブセルは、ＣｏＭＰメジャメントセットサブセルに、ＵＥ１宛のデータを通知する。具体的には、サービングサブセルは、ＵＥ１宛のＣｏＭＰ用データを通知する。
【０４９１】
通知するデータの種類の具体例としては、ＭＡＣデータユニット、ＭＡＣ  ＰＤＵデータ、あるいはＭＡＣ  ＳＤＵデータがある。
また、第１セルユニファイドエンティティが、ＣｏＭＰメジャメントセットサブセルに、ＵＥ１宛のデータを通知するようにしてもよい。具体的には、第１セルユニファイドエンティティは、ＵＥ１宛のＣｏＭＰ用データを通知する。通知するデータの種類の具体例として、以下の（１）〜（３）の３つを開示する。
（１）ＰＤＣＰデータユニット。ＰＤＣＰ  ＰＤＵデータ、あるいはＰＤＣＰ  ＳＤＵデータとしてもよい。
（２）ＲＬＣデータユニット。ＲＬＣ  ＰＤＵデータ、あるいはＲＬＣ  ＳＤＵデータとしてもよい。
（３）ＭＡＣデータユニット。ＭＡＣ  ＰＤＵデータ、あるいはＭＡＣ  ＳＤＵデータとしてもよい。ＭＡＣデータユニットの場合、第１セルユニファイドエンティティは、サービングサブセルから必要なＭＡＣデータユニットを取得しておけばよい。
【０４９２】
また各レイヤでのデータに必要なパラメータも共に通知してもよい。パラメータの具体例としては、（１）ＰＤＣＰデータユニットを通知する場合は、ＲＬＣ処理に必要なパラメータ、およびＭＡＣ処理に必要なパラメータを通知する。また、（２）ＲＬＣデータユニットを通知する場合は、ＭＡＣ処理に必要なパラメータを通知する。
【０４９３】
サービングサブセルが、ＵＥ１宛のデータを通知するセルの具体例として、以下の（１），（２）の２つを開示する。
【０４９４】
（１）サービングサブセルは、ステップＳＴ７６２３で決定したＣｏＭＰトランスミッションサブセルに、ＵＥ１宛のデータを通知する。この場合、後述の具体例（２）と比較して、ＣｏＭＰメジャメントセットサブセルではあるが、ＣｏＭＰトランスミッションサブセルへの無駄なデータの通知を削減することができる。
【０４９５】
（２）サービングサブセルは、ＣｏＭＰメジャメントセットサブセルに、ＵＥ１宛のデータを通知する。この場合、データの通知を行うために、ステップＳＴ７６２３のＣｏＭＰトランスミッションサブセルの決定を待つ必要が無い。したがって、サービングサブセルからＣｏＭＰメジャメントセットサブセルにＵＥ１宛のデータを通知するタイミングとしては、ステップＳＴ７６３８のＣｏＭＰメジャメントセットの決定から、ステップＳＴ７６２６のスケジューリング通知前であれば任意となる。第１セルユニファイドエンティティは、決定したＣｏＭＰメジャメントセットをサービングサブセルに通知すればよい。ＣｏＭＰトランスミッションサブセルに選択されなかったＣｏＭＰメジャメントセットサブセルにおいては、ＵＥ１宛のデータは破棄すればよい。この場合、前記具体例（１）と比較して、データの通知のタイミングに余裕があるので、瞬時的な高負荷を軽減することができる。
【０４９６】
ステップＳＴ７６２６において、サービングサブセルは、ステップＳＴ７３２３で決定したＣｏＭＰトランスミッションポイントを示す情報を含めたＣｏＭＰスケジューリングを、ＣｏＭＰトランスミッションサブセルに通知するようにしてもよい。第１セルユニファイドエンティティ経由で、ＣｏＭＰメジャメントセットサブセルに通知してもよい。
【０４９７】
ステップＳＴ７６２７において、サービングサブセルは、ステップＳＴ７６２３で決定したＣｏＭＰトランスミッションポイントの情報を含めてＣｏＭＰスケジューリングを行い、ＵＥ１に通知する。ステップＳＴ７６２７の処理の詳細は、図１５および図１６のステップＳＴ１５１８の処理と同様である。
【０４９８】
ステップＳＴ７６２８およびステップＳＴ７６２９において、ＵＥ１と、サービングサブセルと、ＣｏＭＰトランスミッションサブセルとが、ＣｏＭＰによる送受信を行う。
【０４９９】
ステップＳＴ７６３０において、ＵＥ１は、ＣＳＩ−ＲＳからＣＳＩを導出して、サービングサブセルにフィードバックする。
【０５００】
ステップＳＴ７６３１において、ＵＥ１は、サービングサブセルに、ＣＲＳの測定結果を報告する。ステップＳＴ７６３１の処理の詳細は、図１５および図１６のステップＳＴ１５０４の処理と同様である。
【０５０１】
ステップＳＴ７６３２において、サービングサブセルは、ステップＳＴ７６３１で受信したＣＲＳの測定結果の報告を、第１セルユニファイドエンティティに通知する。
【０５０２】
ステップＳＴ７６３２でメジャメントリポートを受信した第１セルユニファイドエンティティは、ステップＳＴ７６３３において、必要に応じてＲＲＭメジャメントセットの変更を行う。ステップＳＴ７６３３の処理の詳細は、図１５および図１６のステップＳＴ１５２４の処理と同様である。
【０５０３】
ステップＳＴ７６３４において、第１セルユニファイドエンティティは、ＣｏＭＰメジャメントセットの変更を行うか否かを判断する。ステップＳＴ７６３４の処理の詳細は、図１５および図１６のステップＳＴ１５２５の処理と同様である。ステップＳＴ７６３４において、ＣｏＭＰメジャメントセットの変更を行うと判断された場合、第１セルユニファイドエンティティは、ＣｏＭＰメジャメントセット内のセルの変更を行い、ステップＳＴ７６１４の処理に戻る。ステップＳＴ７６３４において、ＣｏＭＰメジャメントセットの変更を行わないと判断された場合、ステップＳＴ７６３５に移行する。
【０５０４】
ステップＳＴ７６３５において、第１セルユニファイドエンティティは、ＣｏＭＰを解除、すなわちＣｏＭＰの実行を止めると決定する。
【０５０５】
ステップＳＴ７６３６において、第１セルユニファイドエンティティは、サービングサブセルに、ＵＥ１のＣｏＭＰメジャメント構成の解除（リリース）を通知する。
【０５０６】
ステップＳＴ７６３７において、サービングサブセルは、ステップＳＴ７６３６で受信した、ＵＥ１のＣｏＭＰメジャメント構成の解除を、ＵＥ１に通知する。ステップＳＴ７６３７の処理の詳細は、図１５および図１６のステップＳＴ１５２８の処理と同様である。
【０５０７】
図３９は、実施の形態７における移動体通信システムのシーケンスの一例を示す図である。図３９に示すシーケンスにおいて、図３８に示すシーケンスと同一のステップについては同一のステップ番号を付して、共通する説明を省略する。図３９では、セントラルエンティティとサービングサブセルを区別し、セントラルエンティティがＣｏＭＰトランスミッションポイントの決定を行う場合のシーケンスを示している。図３９では、図３６〜図３８のステップＳＴ７６２１〜ステップＳＴ７６２７の処理の他の具体例を示している。
【０５０８】
ステップＳＴ７７０１において、サービングサブセルは、ステップＳＴ７６２１で受信したＣＳＩ−ＲＳの測定結果を、セントラルエンティティに通知する。ＣＳＩ−ＲＳの測定結果の具体例としては、ＣＳＩ−ＲＳメジャメントリポート（CSI-RS Measurement Report）、およびＣＳＩフィードバック（CSI feedback）情報などがある。
【０５０９】
ステップＳＴ７７０２において、第１セルユニファイドエンティティは、セントラルエンティティにデータを通知する。ステップＳＴ７７０２の処理の詳細は、図３６〜図３８のステップＳＴ７６０７の処理と同様である。
【０５１０】
ステップＳＴ７７０４において、セントラルエンティティは、ＣｏＭＰメジャメントセット間において、ステップＳＴ７７０２で受信したＣｏＭＰ実行の対象となるデータのＣｏＭＰを実現するための調整を行う。具体的には、セントラルエンティティは、該データの送信がサービングサブセルで受け入れ可能であるかの調整を行う。サービングサブセルの傘下のＣｏＭＰ対象外のＵＥに対するスケジューリングは、サービングサブセルによって行われるので、前記の調整を行うことによって、最適なスケジューリングとすることができる。
【０５１１】
ステップＳＴ７７０５において、セントラルエンティティは、ＣｏＭＰメジャメントセット間において、ステップＳＴ７２０２において受信したＣｏＭＰ実行の対象となるデータのＣｏＭＰを実現するための調整を行う。具体的には、セントラルエンティティは、該データの送信がＣｏＭＰメジャメントセットサブセルで受け入れ可能であるかの調整を行う。ＣｏＭＰメジャメントセットサブセルの傘下のＣｏＭＰ対象外のＵＥに対するスケジューリングは、ＣｏＭＰメジャメントセットサブセルによって行われるので、前記の調整を行うことによって、最適なスケジューリングとすることができる。ＣｏＭＰアクティブセット間において調整を行ってもよい。
【０５１２】
ステップＳＴ７７０３において、セントラルエンティティは、ステップＳＴ７７０２で受信したＣｏＭＰ実行の対象となるデータに関する情報、ステップＳＴ７７０４で行ったサービングサブセルとの調整結果、およびステップＳＴ７７０５で行ったＣｏＭＰメジャメントセットサブセルとの調整結果に基づいて、ＵＥ１用のスケジューリングを行う。具体的には、ＣｏＭＰトランスミッションポイントの決定を行う。ステップＳＴ７７０３の処理の詳細は、図１５および図１６のステップＳＴ１５１６の処理と同様である。
【０５１３】
その後、セントラルエンティティは、ＣｏＭＰトランスミッションポイント間において、再度調整を行って最終的なＣｏＭＰスケジューリングを決定してもよい。
【０５１４】
ステップＳＴ７７０７において、セントラルエンティティは、サービングサブセル、およびＣｏＭＰメジャメントセットサブセルに、ＵＥ１宛のデータを通知する。具体的には、セントラルエンティティは、ＵＥ１宛のＣｏＭＰ用データを通知する。
【０５１５】
ステップＳＴ７７０８において、セントラルエンティティは、ステップＳＴ７７０３で決定したＣｏＭＰトランスミッションポイントを示す情報を含めたＣｏＭＰスケジューリングを、サービングサブセルに通知する。第１セルユニファイドエンティティ経由で、ステップＳＴ７７０３で決定したＣｏＭＰトランスミッションポイントを示す情報を含めたＣｏＭＰスケジューリングを、サービングサブセルに通知してもよい。
【０５１６】
ステップＳＴ７７０９において、セントラルエンティティは、ステップＳＴ７７０３で決定したＣｏＭＰトランスミッションポイントを示す情報を含めたＣｏＭＰスケジューリングを、ＣｏＭＰメジャメントセットサブセルに通知する。第１セルユニファイドエンティティ経由で、ＣｏＭＰメジャメントセットサブセルに通知してもよい。
【０５１７】
図４０は、実施の形態７における移動体通信システムのシーケンスの一例を示す図である。図４０に示すシーケンスにおいて、図３６〜３９に示すシーケンスと同一のステップについては同一のステップ番号を付して、共通する説明を省略する。図４０では、セントラルエンティティとサービングサブセルを区別し、サービングサブセルとセントラルエンティティとが、共同でＣｏＭＰトランスミッションポイントの決定を行う場合のシーケンスを示している。図４０では、図３６〜図３８のステップＳＴ７６２１〜ステップＳＴ７６２７の処理の他の具体例を示している。
【０５１８】
ステップＳＴ７８０１において、サービングサブセルは、ＵＥ１用のＣｏＭＰ実行の対象となるデータに対する自セル単独でのスケジューリングを決定する。一旦決定するようにしてもよい。
【０５１９】
ステップＳＴ７８０２において、サービングサブセルは、セントラルエンティティに、ＣｏＭＰメジャメントセット間の調整依頼を通知する。サービングサブセルは、調整依頼を通知するとき、ステップＳＴ７８０１で決定したスケジューリングを通知すればよい。スケジューリングの具体例としては、時間−周波数リソースなどがある。ＣｏＭＰアクティブセット間の調整依頼を通知してもよい。
【０５２０】
ステップＳＴ７８０３において、セントラルエンティティは、ＣｏＭＰメジャメントセット間において、ステップＳＴ７３０２で受信したスケジューリングを実現するための調整を行う。具体的には、セントラルエンティティは、ステップＳＴ７８０２で受信したスケジューリングが、サービングサブセルで受け入れ可能であるかの調整を行う。サービングサブセルの傘下のＣｏＭＰ対象外のＵＥに対するスケジューリングは、サービングサブセルによって行われるので、前記の調整を行うことによって、最適なスケジューリングとすることができる。サービングサブセルが、ステップＳＴ７８０１において、スケジューリングを行っているので、サービングサブセルは、受け入れ可能であるとして、本ステップを省略してもよい。
【０５２１】
ステップＳＴ７８０４において、セントラルエンティティは、ＣｏＭＰメジャメントセット間において、ステップＳＴ７３０２で受信したスケジューリングを実現するための調整を行う。具体的には、セントラルエンティティは、ステップＳＴ７８０２で受信したスケジューリングが、ＣｏＭＰメジャメントセットサブセルで受け入れ可能であるかの調整を行う。ＣｏＭＰメジャメントセットサブセルの傘下のＣｏＭＰ対象外のＵＥに対するスケジューリングは、ＣｏＭＰメジャメントセットサブセルによって行われるので、前記の調整を行うことによって、最適なスケジューリングとすることができる。ＣｏＭＰアクティブセット間において調整を行ってもよい。
【０５２２】
ステップＳＴ７８０５において、セントラルエンティティは、ステップＳＴ７８０２で受信したスケジューリング、ステップＳＴ７８０３で行ったサービングサブセルとの調整結果、およびステップＳＴ７８０４で行ったＣｏＭＰメジャメントセットサブセルとの調整結果に基づいて、ＵＥ１用のＣｏＭＰスケジューリングを行う。具体的には、ＣｏＭＰトランスミッションポイントの決定を行う。処理の詳細は、図１５および図１６のステップＳＴ１５１６の処理と同様である。
【０５２３】
セントラルエンティティが有する機能を、第１セルユニファイドエンティティが有してもよい。あるいは、第１セルユニファイドエンティティが有する機能を、セントラルエンティティが有してもよい。あるいは、セントラルエンティティが有する機能と、第１セルユニファイドエンティティが有する機能とを、同じエンティティが有してもよい。これによって、第１セルユニファイドエンティティとセントラルエンティティとの間のシグナリング、通信が不要となり、制御遅延を防止することができる。具体的には、図３９のステップＳＴ７７０２の処理などを省略することが可能となる。
【０５２４】
図４１〜図４３は、実施の形態７における移動体通信システムのシーケンスの一例を示す図である。図４１と図４２とは、境界線ＢＬ７の位置で、つながっている。図４２と図４３とは、境界線ＢＬ８の位置で、つながっている。図４１〜図４３に示すシーケンスは、図１５、図１６および図３６〜図３８に示すシーケンスと類似しているので、同一のステップについては同一のステップ番号を付して、共通する説明を省略する。図４１〜図４３では、ＲＲＣ７５１４、ＰＤＣＰ７５１５、ＲＬＣ７５１６およびＭＡＣ７５１７を有する第２セルユニファイドエンティティとサブセルとを区別した場合にＣｏＭＰを実行するときのシーケンスを示している。本シーケンスでは、セントラルエンティティが第２セルユニファイドエンティティ内に構成された場合について示しているので、特にセントラルエンティティと第２セルユニファイドエンティティとを区別せずに、第２セルユニファイドエンティティと記載する。セントラルエンティティが第３セルユニファイドエンティティ内に構成された場合も同様である。
【０５２５】
ステップＳＴ７９０１において、第２セルユニファイドエンティティは、ＲＲＭメジャメント構成を設定する。ステップＳＴ７９０１の処理の詳細は、図１５および図１６のステップＳＴ１５０１の処理と同様である。
【０５２６】
ステップＳＴ７９０２において、第２セルユニファイドエンティティは、ステップＳＴ７９０１で設定したＲＲＭメジャメント構成を、サービングサブセルに通知する。
【０５２７】
ステップＳＴ７９０３において、サービングサブセルは、ステップＳＴ７６０４で受信した測定結果の報告を、第２セルユニファイドエンティティに通知する。
【０５２８】
ステップＳＴ７９０４において、第２セルユニファイドエンティティは、ＲＲＭメジャメントセットを作成する。ステップＳＴ７９０４の処理の詳細は、図１５および図１６のステップＳＴ１５０５の処理と同様である。
【０５２９】
ステップＳＴ７９０５において、第２セルユニファイドエンティティは、サービングサブセルにデータを通知する。具体的には、ＵＥ１宛のデータを通知する。通知するデータの種類の具体例としては、ＭＡＣデータユニットがある。通知するデータは、ＭＡＣ  ＰＤＵデータ、あるいはＭＡＣ  ＳＤＵデータとしてもよい。データに必要なパラメータを共に通知するとよい。
【０５３０】
ステップＳＴ７９０６において、第２セルユニファイドエンティティは、データのスケジューリングを行う。ＭＡＣスケジューリングを行うようにしてもよい。
【０５３１】
ステップＳＴ７９０７において、第２セルユニファイドエンティティは、ステップＳＴ７９０６で行ったスケジューリングを、サービングサブセルに通知する。
【０５３２】
ステップＳＴ７９０８において、サービングサブセルは、ステップＳＴ７６１１で受信したＣＱＩフィードバックデータを、第２セルユニファイドエンティティに通知する。
【０５３３】
ステップＳＴ７９０９において、第２セルユニファイドエンティティは、ＣｏＭＰを実行するか否かを決定する。ステップＳＴ７９０９の処理の詳細は、図１５および図１６のステップＳＴ１５０８の処理と同様である。
【０５３４】
ステップＳＴ７９２６において、第２セルユニファイドエンティティは、ＣｏＭＰメジャメントセットを選択し、決定する。ステップＳＴ７９２６の処理の詳細は、図１５および図１６のステップＳＴ１５３０の処理と同様である。
【０５３５】
第２セルユニファイドエンティティが、ＣｏＭＰメジャメントセットに含まれるサブセルの負荷状況などを把握し、ＣｏＭＰメジャメントセットサブセルが、ＵＥ１に対するＣｏＭＰメジャメントセットへの加入が可能であるか否かを判断できる場合は、図２９〜図３１のステップＳＴ７１０１およびステップＳＴ７１０２に相当する処理を省略することができる。このように、ＣｏＭＰをサポートする移動体通信システムにおいて、第２セルユニファイドエンティティを設けることによって、制御遅延を防止することが可能となる。
【０５３６】
ステップＳＴ７９１０において、第２セルユニファイドエンティティは、サービングサブセルに、ＣＳＩ−ＲＳの送信開始を要求する。
【０５３７】
ステップＳＴ７９１１において、第２セルユニファイドエンティティは、ＣｏＭＰメジャメントセットサブセルに、ＣＳＩ−ＲＳの送信開始を要求する。
【０５３８】
ステップＳＴ７９１２において、第２セルユニファイドエンティティは、ＵＥ１に対するＣｏＭＰメジャメント構成（CoMP measurement configuration）を設定する。ステップＳＴ７９１２の処理の詳細は、図１５および図１６のステップＳＴ１５０９の処理と同様である。
【０５３９】
ステップＳＴ７９１３において、第２セルユニファイドエンティティは、ステップＳＴ７９１２で設定したＵＥ１に対するＣｏＭＰメジャメント構成を、サービングサブセルに通知する。
【０５４０】
ステップＳＴ７９１４において、サービングサブセルは、ＣＳＩ−ＲＳをＵＥ１に送信する。サービングサブセルは、ステップＳＴ７９１０における第２セルユニファイドエンティティからのＣＳＩ−ＲＳの送信開始の要求を受信することによって、ＣＳＩ−ＲＳの送信を開始するようにしてもよい。これによって、サービングサブセルの傘下の移動端末が、ＣＳＩ−ＲＳを用いて測定を行う場合のみ、サービングサブセルがＣＳＩ−ＲＳを送信することができ、サービングサブセルの消費電力を低減することが可能となる。
【０５４１】
ステップＳＴ７９１５において、ＣｏＭＰメジャメントセットサブセルは、ＣＳＩ−ＲＳをＵＥ１に送信する。ＣｏＭＰメジャメントセットサブセルは、ステップＳＴ７９１１における第２セルユニファイドエンティティからのＣＳＩ−ＲＳの送信開始の要求を受信することによって、ＣＳＩ−ＲＳの送信を開始するようにしてもよい。これによって、ＣｏＭＰメジャメントセットサブセルの傘下の移動端末が、ＣＳＩ−ＲＳを用いて測定を行う場合のみ、ＣｏＭＰメジャメントセットサブセルがＣＳＩ−ＲＳを送信することができ、ＣｏＭＰメジャメントセットに含まれるサブセルの消費電力を低減することが可能となる。
【０５４２】
ステップＳＴ７９１６において、サービングサブセルは、ステップＳＴ７６２１で受信したＣＳＩ−ＲＳの測定結果を、第２セルユニファイドエンティティに通知する。
【０５４３】
ステップＳＴ７９１７において、第２セルユニファイドエンティティは、ＣｏＭＰトランスミッションポイントを決定する。ＣｏＭＰトランスミッションポイントの決定処理の詳細は、図１６に示すステップＳＴ１５１６の処理と同様である。
【０５４４】
ステップＳＴ７９１８において、第２セルユニファイドエンティティは、サービングサブセル、およびＣｏＭＰメジャメントセットサブセルに、ＵＥ１宛のデータを通知する。具体的には、第２セルユニファイドエンティティは、ＵＥ１宛のＣｏＭＰ用データを通知する。
【０５４５】
通知するデータの種類の具体例として、以下の（１）〜（３）の３つを開示する。
（１）ＰＤＣＰデータユニット。ＰＤＣＰ  ＰＤＵデータ、あるいはＰＤＣＰ  ＳＤＵデータとしてもよい。
（２）ＲＬＣデータユニット。ＲＬＣ  ＰＤＵデータ、あるいはＲＬＣ  ＳＤＵデータとしてもよい。
（３）ＭＡＣデータユニット。ＭＡＣ  ＰＤＵデータ、あるいはＭＡＣ  ＳＤＵデータとしてもよい。
【０５４６】
また各レイヤでのデータに必要なパラメータも共に通知してもよい。パラメータの具体例としては、（１）ＰＤＣＰデータユニットを通知する場合は、ＲＬＣ処理に必要なパラメータ、およびＭＡＣ処理に必要なパラメータを通知する。また、（２）ＲＬＣデータユニットを通知する場合は、ＭＡＣ処理に必要なパラメータを通知する。
【０５４７】
第２セルユニファイドエンティティが、ＵＥ１宛のデータを通知するセルの具体例は、図３６〜図３８の第１セルユニファイドエンティティの場合と同様であるので、説明を省略する。
【０５４８】
ステップＳＴ７９１９において、第２セルユニファイドエンティティは、ステップＳＴ７９１７で決定したＣｏＭＰトランスミッションポイントを示す情報を含めたＣｏＭＰスケジューリングを、サービングサブセル、およびＣｏＭＰメジャメントセットサブセルに通知する。あるいは、第２セルユニファイドエンティティは、ＣｏＭＰスケジューリングを、ＣｏＭＰトランスミッションサブセル、ＣｏＭＰアクティブセットサブセルに通知するようにしてもよい。
【０５４９】
ステップＳＴ７９２０において、サービングサブセルは、ステップＳＴ７６３０において受信したＣＳＩフィードバックデータを、第２セルユニファイドエンティティに通知する。
【０５５０】
ステップＳＴ７９２１において、サービングサブセルは、ステップＳＴ７６３１で受信した測定結果の報告を、第２セルユニファイドエンティティに通知する。
【０５５１】
ステップＳＴ７９２１でメジャメントリポートを受信した第２セルユニファイドエンティティは、ステップＳＴ７９２２において、必要に応じてＲＲＭメジャメントセットの変更を行う。ステップＳＴ７９２２の処理の詳細は、図１５および図１６のステップＳＴ１５２４の処理と同様である。
【０５５２】
ステップＳＴ７９２３において、第２セルユニファイドエンティティは、ＣｏＭＰメジャメントセットの変更を行うか否かを判断する。ステップＳＴ７９２３の処理の詳細は、図１５および図１６のステップＳＴ１５２５の処理と同様である。ステップＳＴ７９２３において、ＣｏＭＰメジャメントセットの変更を行うと判断された場合、第２セルユニファイドエンティティは、ＣｏＭＰメジャメントセット内のセルの変更を行い、ステップＳＴ７９１０の処理に戻る。ステップＳＴ７９２３において、ＣｏＭＰメジャメントセットの変更を行わないと判断された場合、ステップＳＴ７９２４に移行する。
【０５５３】
ステップＳＴ７９２４において、第２セルユニファイドエンティティは、ＣｏＭＰを解除、すなわちＣｏＭＰの実行を止めると決定する。
【０５５４】
ステップＳＴ７９２５において、第２セルユニファイドエンティティは、サービングサブセルに、ＵＥ１に対するＣｏＭＰメジャメント構成の解除（リリース）を通知する。
【０５５５】
図４４は、実施の形態７における移動体通信システムのシーケンスの一例を示す図である。図４４に示すシーケンスにおいて、図３６〜３９、図４１〜図４３に示すシーケンスと同一のステップについては同一のステップ番号を付して、共通する説明を省略する。図４４では、セントラルエンティティと第２セルユニファイドエンティティを区別し、セントラルエンティティがＣｏＭＰトランスミッションポイントの決定を行う場合のシーケンスを示している。図４４では、図４１〜図４３のステップＳＴ７６２１〜ステップＳＴ７６２７の処理の他の具体例を示している。セントラルエンティティと第３セルユニファイドエンティティを区別した場合も同様である。
【０５５６】
ステップＳＴ８００１において、第２セルユニファイドエンティティは、ＣｏＭＰ実行の対象となるデータに関する情報（以下「データパラメータ」という場合がある）を、セントラルエンティティに通知する。データパラメータの具体例としては、データ量、サービスのＱｏＳ情報などがある。第２セルユニファイドエンティティは、ＣｏＭＰ実行の対象となるデータを、セントラルエンティティに通知してもよい。
【０５５７】
ステップＳＴ８００２において、セントラルエンティティは、ＣｏＭＰメジャメントセット間において、ステップＳＴ８００１で受信したＣｏＭＰ実行の対象となるデータのＣｏＭＰを実現するための調整を行う。ＣｏＭＰアクティブセット間において調整を行ってもよい。具体的には、セントラルエンティティは、該データの送信が、サービングサブセル、およびＣｏＭＰメジャメントセットサブセルで受け入れ可能であるかの調整を、第２セルユニファイドエンティティと行う。サービングサブセルの傘下のＣｏＭＰ対象外のＵＥに対するスケジューリングと、ＣｏＭＰメジャメントセットサブセルの傘下のＣｏＭＰ対象外のＵＥに対するスケジューリングとは、第２セルユニファイドエンティティで行われるので、前記の調整を行うことによって、最適なスケジューリングとすることができる。また、各サブセルと調整を行わなくてよく、第２セルユニファイドエンティティと一括して調整を行えばよいので、ＣｏＭＰをサポートする移動体通信システムにおいて、第２セルユニファイドエンティティを設けることによって、制御遅延を防止することができる。
【０５５８】
ステップＳＴ７７０３において、セントラルエンティティは、ＣｏＭＰスケジューリングを決定する。セントラルエンティティは、ステップＳＴ８００１で受信したＣｏＭＰ実行の対象となるデータに関する情報、およびステップＳＴ８００２で行った第２セルユニファイドエンティティとの調整結果に基づいて、ＵＥ１用のＣｏＭＰスケジューリングを行う。具体的には、ＣｏＭＰトランスミッションポイントの決定を行う。ステップＳＴ７７０３の処理の詳細は、図１５および図１６に示すシーケンスのステップＳＴ１５１６の処理と同様である。
【０５５９】
その後、セントラルエンティティは、ＣｏＭＰトランスミッションポイント間において、再度調整を行って最終的なＣｏＭＰスケジューリングを決定してもよい。
【０５６０】
ステップＳＴ８００４において、セントラルエンティティは、ステップＳＴ７７０３で決定したＣｏＭＰスケジューリングを、第２セルユニファイドエンティティに通知する。
【０５６１】
ステップＳＴ８００５において、第２セルユニファイドエンティティは、ステップＳＴ８００４で受信したスケジューリングを、サービングサブセルに通知する。セントラルエンティティが、ステップＳＴ７７０３で決定したスケジューリングを、サービングサブセルに通知してもよい。
【０５６２】
ステップＳＴ８００６において、第２セルユニファイドエンティティは、ステップＳＴ８００４で受信したＣｏＭＰスケジューリングを、ＣｏＭＰメジャメントセットサブセルに通知する。セントラルエンティティが、ステップＳＴ７７０３で決定したＣｏＭＰスケジューリングを、ＣｏＭＰメジャメントセットサブセルに通知してもよい。
【０５６３】
図４５は、実施の形態７における移動体通信システムのシーケンスの一例を示す図である。図４５に示すシーケンスにおいて、図３６〜３９および図４１〜図４３に示すシーケンスと同一のステップについては同一のステップ番号を付して、共通する説明を省略する。図４５では、セントラルエンティティと第２セルユニファイドエンティティを区別し、第２セルユニファイドエンティティとセントラルエンティティとが、共同でＣｏＭＰトランスミッションポイントの決定を行う場合のシーケンスを示している。図４５では、図４１〜図４３のステップＳＴ７６２１〜ステップＳＴ７６２７の処理の他の具体例を示している。セントラルエンティティと第３セルユニファイドエンティティを区別した場合も同様である。
【０５６４】
ステップＳＴ８１０１において、サービングサブセルは、ステップＳＴ７６０１で受信したＣＳＩ−ＲＳの測定結果を、第２セルユニファイドエンティティに通知する。ＣＳＩ−ＲＳの測定結果の具体例としては、ＣＳＩ−ＲＳメジャメントリポート（CSI-RS Measurement Report）、およびＣＳＩフィードバック（CSI feedback）情報などがある。
【０５６５】
ステップＳＴ８１０２において、第２セルユニファイドエンティティは、ＵＥ１用の自セル単独でのスケジューリングを決定する。一旦決定するようにしてもよい。
【０５６６】
ステップＳＴ８１０３において、第２セルユニファイドエンティティは、セントラルエンティティに、ＣｏＭＰメジャメントセット間の調整依頼を通知する。第２セルユニファイドエンティティは、調整依頼を通知するとき、ステップＳＴ８１０２で決定したスケジューリングを通知すればよい。スケジューリングの具体例としては、時間−周波数リソースなどがある。ＣｏＭＰアクティブセット間の調整を依頼してもよい。
【０５６７】
セントラルエンティティが有する機能を、第２セルユニファイドエンティティが有してもよい。あるいは、第２セルユニファイドエンティティが有する機能を、セントラルエンティティが有してもよい。あるいは、セントラルエンティティが有する機能と、第２セルユニファイドエンティティが有する機能とを、同じエンティティが有してもよい。図４１〜図４３が、この例にあたる。
【０５６８】
あるいは、セントラルエンティティが有する機能を、第３セルユニファイドエンティティが有してもよい。あるいは、第３セルユニファイドエンティティが有する機能を、セントラルエンティティが有してもよい。あるいは、セントラルエンティティが有する機能と、第３セルユニファイドエンティティが有する機能とを、同じエンティティが有してもよい。図４１〜図４３が、この例にあたる。
【０５６９】
これによって、第２セルユニファイドエンティティとセントラルエンティティとの間のシグナリングおよび通信が不要となり、制御遅延を防止することができる。あるいは、第３セルユニファイドエンティティとセントラルエンティティとの間のシグナリングおよび通信が不要となり、制御遅延を防止することができる。
【０５７０】
具体的には、図４４のステップＳＴ８００１、ステップＳＴ８００２およびステップＳＴ８００４の処理、あるいは図４５のステップＳＴ８１０３、ステップＳＴ８００２およびステップＳＴ８００４の処理などを省略することが可能となる。
【０５７１】
セントラルエンティティが、第２セルユニファイドエンティティの有するＣｏＭＰメジャメントセット内に含まれるセル傘下の全ＵＥのスケジューリングを行う機能を有する場合、ＣｏＭＰメジャメントセット間の調整、あるいはＣｏＭＰアクティブセット間の調整、あるいはＣｏＭＰトランスミッション間の調整が不要となる。これによって、制御遅延の防止および処理負荷の軽減を図ることができる。
【０５７２】
セントラルエンティティが、第３セルユニファイドエンティティの有するＣｏＭＰメジャメントセット内に含まれるセル傘下の全ＵＥのスケジューリングを行う機能を有する場合、ＣｏＭＰメジャメントセット間の調整、あるいはＣｏＭＰアクティブセット間の調整、あるいはＣｏＭＰトランスミッション間の調整が不要となる。これによって、制御遅延の防止および処理負荷の軽減を図ることができる。
【０５７３】
ＭＡＣの機能に、複数の無線エリアにおいて共通とすることが難しい機能が存在する場合、第２セルユニファイドエンティティの実現は困難となる。その場合、共通とすることで、ＣｏＭＰを実行するときに制御遅延の防止および処理負荷の軽減を図ることができるというＭＡＣの機能のうち、少なくともスケジューリングの機能を複数の無線エリアにおいて共通とする第３セルユニファイドエンティティは有用である。
【０５７４】
以降、実施の形態７、実施の形態８、実施の形態９および実施の形態１０では、ｅＮＢとは、少なくとも一つのセルおよび関連するインタフェースを実装した装置とする。また、サブｅＮＢ（Sub eNB）とは、一つもしくは複数のサブセルおよび関連するインタフェースを実装した装置とする。サブｅＮＢには、ＲＲＨも含まれる。
【０５７５】
セントラルエンティティは、eＮＢ、サブｅＮＢ、ＭＭＥおよびＨｅＮＢＧＷに実装されてもよく、また新たな装置に実装されてもよい。ここでは、セントラルエンティティが実装される新たな装置を、ＣｏＭＰ調整装置と称する。
【０５７６】
セルユニファイドエンティティは、eＮＢ、サブｅＮＢ、ＭＭＥおよびＨｅＮＢＧＷに実装されてもよく、また新たな装置に実装されてもよい。ここでは、セルユニファイドエンティティが実装される新たな装置を、セル制御装置と称する。ＣｏＭＰ調整装置と、セル制御装置とは、同じ装置であってもよい。
【０５７７】
各エンティティが実装される装置によって、各エンティティ間のインタフェースが異なることがある。例えば、ＭＭＥとｅＮＢとの間は、Ｓ１インタフェースが用いられる。ＨｅＮＢＧＷとＨｅＮＢとの間は、Ｓ１インタフェースが用いられる。ＨｅＮＢＧＷとＭＭＥとの間は、Ｓ１インタフェースが用いられる。ｅＮＢ間は、Ｘ２インタフェースが用いられる。ｅＮＢとサブｅＮＢとの間は、専用線が用いられる。サブｅＮＢがＲＲＨである場合の専用線は、オプティカルファイバ（optical fiber）と称されることもある。
【０５７８】
以上の実施の形態７によって、実施の形態１と同様の効果を得ることができる。
【０５７９】
実施の形態８．
実施の形態８で解決する課題について、以下に説明する。３ＧＰＰでは、ＣｏＭＰ実行中の移動端末の移動性（UE Mobility）については、何ら開示されていない。したがって、移動体通信システムにおいて、ＣｏＭＰを実行することができないという問題がある。
【０５８０】
この問題に対する解決策を以下に示す。ハンドオーバ前のサービングセル（以下「ソースセル」という場合がある）で、ＣｏＭＰの実行を中止する。具体的には、ソースセルは、ハンドオーバを実行することを決定した場合、ＣｏＭＰの実行を中止する。ソースセルは、ハンドオーバ対象のＵＥにハンドオーバの指示を通知する前に、ＣｏＭＰの実行を中止する。つまり、ソースセルは、ハンドオーバ対象のＵＥに、ハンドオーバに必要なパラメータをマッピングしたモビリティ制御情報を含むＲＲＣ接続再設定メッセージ、およびハンドオーバコマンドを通知するときは、ＣｏＭＰを用いない。
【０５８１】
ＣｏＭＰの実行を中止する方法の具体例を、以下に開示する。移動体通信システムとして、ＣｏＭＰメジャメント構成を解除（リリース）する。
【０５８２】
移動体通信システムとして、ＣｏＭＰメジャメント構成を解除する方法の具体例として、以下の（１）〜（３）の３つを開示する。
【０５８３】
（１）ソースセルは、ハンドオーバを実行することを決定した場合、ハンドオーバ対象のＵＥに、ＣｏＭＰメジャメント構成の解除を要求する。ソースセルは、継続中のＨＡＲＱプロセスが存在しないことを確認した後に、ハンドオーバ対象のＵＥに、ＣｏＭＰメジャメント構成の解除を要求するようにしてもよい。ソースセルは、ハンドオーバ対象のＵＥにＣｏＭＰメジャメント構成の解除を要求するとき、ハンドオーバが理由である旨を併せて通知してもよい。
【０５８４】
ＣｏＭＰメジャメント構成の解除の要求を受信したＵＥは、ＣｏＭＰメジャメント構成の解除、およびＣｏＭＰメジャメントセット内のセルのＣＳＩ−ＲＳの測定を中止してもよい。
【０５８５】
ＵＥは、ＣｏＭＰメジャメント構成を解除するとき、ＣｏＭＰメジャメントセット内に含まれるセルの無線情報（ＲＡＮ情報）を記憶してもよい。ハンドオーバ後のサービングセル（以下「ターゲットセル」という場合がある）によって、ソースセルにおけるＣｏＭＰメジャメントセットが再設定される可能性がある。そのような場合には、ＵＥが無線情報を記憶しておくことによって、制御遅延を防止することができる。
【０５８６】
ＵＥは、ハンドオーバが理由でＣｏＭＰメジャメント構成を解除するとき、無線情報を記憶するようにしてもよい。この場合、ソースセルは、ハンドオーバ対象のＵＥにＣｏＭＰメジャメント構成の解除を要求するとき、ハンドオーバが理由である旨を併せて通知すればよい。
【０５８７】
ハンドオーバが理由であるＣｏＭＰメジャメント構成の解除要求を受信したＵＥは、ＣｏＭＰメジャメントセット内に含まれるセルの無線情報を記憶する。また、ハンドオーバが理由でないＣｏＭＰメジャメント構成の解除要求を受信したＵＥは、ＣｏＭＰメジャメントセット内に含まれるセルの無線情報を記憶しないようにすればよい。
【０５８８】
ＣｏＭＰメジャメントセットの無線情報の具体例として、以下の（ａ）〜（ｎ）の１４個を開示する。
【０５８９】
（ａ）ＰＣＩ。（ｂ）下りタイミング。（ｃ）ＭＩＢ情報。（ｄ）ＳＩＢ情報。（ｅ）ＣＳＩ−ＲＳ情報。（ｆ）ＴＡ。（ｇ）送信−受信タイミング差（ＴＸ−ＲＸタイミング差）。（ｈ）受信ＭＩＭＯ情報。（ｉ）他のセルとの位相差。（ｊ）測定時のＵＥの位置情報。（ｋ）測定時の時間情報。（ｌ）ＥＤＰＣＣＨの構成。（ｍ）受信品質情報。（ｎ）前記（ａ）〜（ｍ）の組合せ。
【０５９０】
（２）ソースセルは、ハンドオーバを実行することを決定した場合、ＣｏＭＰメジャメントセットに含まれるセルに、ＣｏＭＰメジャメント構成の解除を要求する。ソースセルは、継続中のＨＡＲＱプロセスが存在しないことを確認した後に、ＣｏＭＰメジャメントセットに含まれるセルに、ＣｏＭＰメジャメント構成の解除を要求するようにしてもよい。ＣｏＭＰメジャメント構成の解除の要求を受信したＣｏＭＰメジャメントセットに含まれるセルは、ＣＳＩ−ＲＳの送信を停止する。
【０５９１】
（３）ソースセルは、ハンドオーバを実行することを決定した場合、ＵＥ１宛のＣｏＭＰ用データの通知を停止する。具体的には、ＣｏＭＰメジャメントセットに含まれるセルへのＵＥ１宛のデータの通知を停止する。ソースセルは、継続中のＨＡＲＱプロセスが存在しないことを確認した後に、ＵＥ１宛のＣｏＭＰ用データの通知を停止するようにしてもよい。ＣｏＭＰアクティブセットに含まれるセルへのＵＥ１宛のデータ通知、あるいはＣｏＭＰトランスポートポイントへのＵＥ１宛のデータの通知を、停止するようにしてもよい。
【０５９２】
また、ソースセルは、ハンドオーバを実行することを決定した場合、ＵＥ１用のＣｏＭＰスケジューリングの通知を停止する。具体的には、ＣｏＭＰメジャメントセットに含まれるセルへのＵＥ１用のＣｏＭＰスケジューリングの通知を停止する。ソースセルは、継続中のＨＡＲＱプロセスが存在しないことを確認した後に、ＵＥ１用のＣｏＭＰスケジューリングの通知を停止するようにしてもよい。ＣｏＭＰアクティブセットに含まれるセルへのＵＥ１用のＣｏＭＰスケジューリングの通知、あるいはＣｏＭＰトランスポートポイントへのＵＥ１用のＣｏＭＰスケジューリングの通知を、停止するようにしてもよい。
【０５９３】
また、ＣｏＭＰメジャメントセットは、サービングセル、あるいはセントラルエンティティが管理してもよい。ＣｏＭＰメジャメントセットは、ＵＥ毎に管理してもよい。ＣｏＭＰメジャメントセットの管理主体であるサービングセル、あるいはセントラルエンティティは、ＣｏＭＰメジャメント構成を解除した後も、過去の情報として、ＣｏＭＰメジャメント構成を記憶しておいてもよい。
【０５９４】
図４６および図４７は、実施の形態８における移動体通信システムのシーケンスの一例を示す図である。図４６と図４７とは、境界線ＢＬ９の位置で、つながっている。図４６および図４７では、サービングセルであるセル１とセル２とを用いて、ＵＥ１に対してＣｏＭＰを実行しているときに、ＵＥ１が、セル１からセル２に移動する場合のシーケンスを示している。本シーケンスでは、セントラルエンティティがサービングセル内に構成された場合について示しているので、特にセントラルエンティティとサービングセルとを区別せずに、サービングセルと記載する。
【０５９５】
ステップＳＴ８２０１において、セル１は、ＵＥ１をハンドオーバさせるか否かを判断する。セル１は、ＵＥ１をハンドオーバさせると判断した場合、ＵＥ１に対するＣｏＭＰの実行を中止する。具体的には、セル１は、ＣｏＭＰメジャメント構成の解除を決定する。また、セル１は、ＵＥ１をハンドオーバさせると判断した場合、ハンドオーバ先であるターゲットセルを決定する。本動作例では、ターゲットセルとして、セル２を選択する。
【０５９６】
ステップＳＴ８２０２において、セル１は、ＵＥ１に、ＣｏＭＰメジャメント構成の解除（CoMP Measurement set Release）を要求する。ステップＳＴ８２０３において、セル２は、ＵＥ１に、ＣｏＭＰメジャメント構成の解除（CoMP Measurement set Release）を要求する。本動作例では、ＣｏＭＰメジャメント構成の解除を要求する場合に、セル１とセル２とを用いてＣｏＭＰを実行することを開示したが、ＣｏＭＰメジャメント構成の解除にＣｏＭＰを用いずに、セル１からのみＣｏＭＰメジャメント構成の解除要求を通知するようにしてもよい。
【０５９７】
ステップＳＴ８２０４において、ＣｏＭＰメジャメント構成の解除の要求を受信したＵＥ１は、ＣｏＭＰメジャメント構成を解除する。
【０５９８】
ステップＳＴ８２０５において、サービングセルであるセル１は、ＣｏＭＰメジャメントセットに含まれるセルであるセル２に、ＣｏＭＰメジャメント構成の解除を要求する。
【０５９９】
ステップＳＴ８２０６において、ＣｏＭＰメジャメントセットに含まれるセルであるセル２は、ＣｏＭＰメジャメント構成の解除の要求に対する応答を通知する。
【０６００】
ステップＳＴ８２０７において、ステップＳＴ８２０５でＣｏＭＰメジャメント構成の解除の要求を受信したＣｏＭＰメジャメントセットに含まれるセルであるセル２は、ＣＳＩ−ＲＳの送信を停止する。
【０６０１】
ステップＳＴ８２０８において、サービングセルであるセル１は、ＣｏＭＰメジャメントセットに含まれるセルであるセル２へのＵＥ１宛のデータの通知を停止する。具体的には、ＵＥ１宛のＣｏＭＰ用データの通知を停止する。
【０６０２】
ステップＳＴ８２０９において、セル１は、ＣＳＩ−ＲＳの送信を停止する。
【０６０３】
ステップＳＴ８２１０において、ソースセルであるセル１は、ターゲットセルであるセル２に。ハンドオーバ要求（Handover Request）を通知する。
【０６０４】
ステップＳＴ８２１１において、ターゲットセルであるセル２は、リソースに基づいて、ハンドオーバが受け入れ可能であるか否かを判断し、受け入れ可能であると判断した場合、ソースセルであるセル１に、ハンドオーバ要求受け入れ（Handover Request Ack）を通知する。
【０６０５】
ステップＳＴ８２１２において、セル１は、セル２に、ＵＥに関するデータの受け渡し（Data Forwarding）を開始する。具体的には、ＵＥ１宛のＨＯ用データの通知を行う。ＨＯ用データの通知は、ＰＤＣＰ  ＳＤＵデータによって行われる（非特許文献１参照）。
【０６０６】
ステップＳＴ８２１３において、セル１は、ＵＥ１に、ハンドオーバに必要なパラメータをマッピングしたモビリティ制御情報（Mobility Control Information）を含むＲＲＣ接続再設定メッセージ（RRC Connection Reconfiguration Message）を通知する。併せて、セル１は、ＵＥ１に、ハンドオーバの実行を指示する。ハンドオーバの実行の指示を、「ハンドオーバコマンド」と称することもある。
【０６０７】
ステップＳＴ８２１４において、ＵＥ１は、ステップＳＴ８２１３で受信したパラメータを用いて、セル２への接続を試みる。つまり、ＵＥ１は、セル２にＲＡＣＨを送信し、ＲＲＣコネクションリクエスト（RRC Connection Request）の送信を行う。
【０６０８】
ステップＳＴ８２１５において、セル２は、ステップＳＴ８２１４の処理に対する応答として、タイミングアドバンス（Timing Advance：ＴＡ）をＵＥ１に通知する。
【０６０９】
ステップＳＴ８２１６において、ＵＥ１は、ＲＲＣ接続再設定完了（RRC Connection Reconfiguration Complete）を、セル２に通知する。
【０６１０】
ＲＲＣ接続設定完了を受信したターゲットセルであるセル２は、ハンドオーバ処理が完了したと判断してもよい。あるいはサービングセルの変更手順が完了したと判断してもよい。ＲＲＣ接続設定完了を受信したターゲットセルは、多地点通信（ＣｏＭＰ通信）を再度構築してもよい。これによって、セル端における複数の無線リンクを用いた通信品質の改善を、ハンドオーバ後に実現することができる。
【０６１１】
ステップＳＴ８２１７において、ステップＳＴ８２１６でＵＥ１からのＲＲＣ接続再設定完了の通知を受信したセル２は、パススイッチ処理を実行する。
【０６１２】
ステップＳＴ８２１８において、パススイッチ処理を完了したセル２は、ＵＥコンテキストリリース（UE Context Release）を、セル１に通知する。
【０６１３】
ステップＳＴ８２１９において、ステップＳＴ８２１８でセル２からのＵＥコンテキストリリースの通知を受信したセル１は、ＵＥ１に対する無線リソースをリリースする。
【０６１４】
ＣｏＭＰを実行する場合の詳細な動作については、実施の形態７と同様である。また、実施の形態７で開示したように、セントラルエンティティがＣｏＭＰトランスミッションポイントの決定を行ってもよいし、サービングセルとセントラルエンティティとが、共同でＣｏＭＰトランスミッションポイントの決定を行ってもよい。その場合の詳細な動作については、実施の形態７と同様である。
【０６１５】
図４８は、実施の形態８における移動体通信システムのシーケンスの一例を示す図である。図４８に示すシーケンスは、図４６および図４７に示すシーケンスと類似しているので、同一のステップについては同一のステップ番号を付して、共通する説明を省略する。
【０６１６】
図４８では、セルユニファイドエンティティとサブセルとを区別した場合にＣｏＭＰを実行するときのシーケンスを示している。本シーケンスでは、セントラルエンティティがサービングサブセル内、あるいはセントラルエンティティ内に構成された場合について示しているので、特にセントラルエンティティとサービングサブセル、あるいはセントラルエンティティとを区別せずに、サービングサブセル、あるいはセントラルエンティティと記載する。
【０６１７】
図４８では、サービングサブセルであるサブセル１とサブセル２とを用いて、ＵＥ１に対してＣｏＭＰを実行しているときに、ＵＥ１が、サブセル１からサブセル２に移動する場合のシーケンスを示している。
【０６１８】
セルユニファイドエンティティは、第１セルユニファイドエンティティであっても、第２セルユニファイドエンティティであっても、第３セルユニファイドエンティティであっても、図４８に示すシーケンスを用いることができる。
【０６１９】
ステップＳＴ８３０１において、セルユニファイドエンティティは、ＵＥ１をハンドオーバさせるか否かを判断する。セルユニファイドエンティティは、ＵＥ１をハンドオーバさせると判断した場合、ＵＥ１に対するＣｏＭＰの実行を中止する。具体的には、セルユニファイドエンティティは、ＣｏＭＰメジャメント構成の解除を決定する。また、セルユニファイドエンティティは、ＵＥ１をハンドオーバさせると判断した場合、ハンドオーバ先であるターゲットセルを決定する。本動作例では、ターゲットセルとして、セル２を選択する。
【０６２０】
ステップＳＴ８３０２において、セルユニファイドエンティティは、ＣｏＭＰメジャメントセットに含まれるセルであるサブセル１に、ＣｏＭＰメジャメント構成の解除を要求する。ＣｏＭＰメジャメント構成の解除の要求に限らず、ＣＳＩ−ＲＳの送信停止の要求であってもよい。図４８では省略しているが、サブセル１は、ＣｏＭＰメジャメント構成の解除の要求に対する応答を、セルユニファイドエンティティに通知してもよい。
【０６２１】
ステップＳＴ８３０３において、セルユニファイドエンティティは、ＣｏＭＰメジャメントセットに含まれるセルであるサブセル２に、ＣｏＭＰメジャメント構成の解除を要求する。ＣｏＭＰメジャメント構成の解除の要求に限らず、ＣＳＩ−ＲＳの送信停止の要求であってもよい。図４８では省略しているが、サブセル２は、ＣｏＭＰメジャメント構成の解除の要求に対する応答を、セルユニファイドエンティティに通知してもよい。
【０６２２】
ステップＳＴ８３０４において、ＣｏＭＰメジャメント構成の解除の要求を受信したＣｏＭＰメジャメントセットに含まれるセルであるサブセル１は、ＣＳＩ−ＲＳの送信を停止する。
【０６２３】
ステップＳＴ８３０５において、ＣｏＭＰメジャメント構成の解除の要求を受信したＣｏＭＰメジャメントセットに含まれるセルであるサブセル２は、ＣＳＩ−ＲＳの送信を停止する。
【０６２４】
ステップＳＴ８３０６において、セルユニファイドエンティティは、ＣｏＭＰメジャメントセットに含まれるサブセル２へのＵＥ１宛のデータの通知を停止する。具体的には、ＵＥ１宛のＣｏＭＰ用データの通知を停止する。
【０６２５】
セルユニファイドエンティティが、サブセルの負荷状況などを把握し、ターゲットセルであるサブセル２が、ハンドオーバの受け入れが可能であるか否かを判断できる場合は、図４６および図４７のステップＳＴ８２１０およびステップＳＴ８２１１に相当する処理を省略することができる。このように、セルユニファイドエンティティを設けることによって、制御遅延を防止することができる。
【０６２６】
セルユニファイドエンティティが複数の無線エリアにおけるＰＤＣＰの機能を共通して有している場合を考える。具体的には、サービングサブセルの無線エリアと、ターゲットサブセルの無線エリアとにおけるＰＤＣＰの機能を共通して有している場合を考える。その場合、サービングサブセルとターゲットサブセルとの間のＨＯ用データ通知は不要となる。したがって、図４７のステップＳＴ８２１２に相当する処理を省略することができる。このようにセルユニファイドエンティティを設けることによって、制御遅延を防止することができる。
【０６２７】
ステップＳＴ８３０８において、セルユニファイドエンティティは、ＵＥ１に、ハンドオーバに必要なパラメータをマッピングしたモビリティ制御情報（Mobility Control Information）を含むＲＲＣ接続再設定メッセージ（RRC Connection Reconfiguration Message）を通知する。併せて、セルユニファイドエンティティは、ＵＥ１に、ハンドオーバの実行を指示する。ハンドオーバの実行の指示を、「ハンドオーバコマンド」と称することもある。
【０６２８】
ステップＳＴ８３０９において、サブセル２は、ステップＳＴ８２１６で受信したＲＲＣ接続再設定完了を、セルユニファイドエンティティに通知する。
【０６２９】
セルユニファイドエンティティが複数の無線エリアにおけるＰＤＣＰの機能を共通して有している場合を考える。具体的には、サービングサブセルの無線エリアと、ターゲットサブセルの無線エリアとにおけるＰＤＣＰの機能を共通して有している場合を考える。その場合、サービングサブセルからターゲットサブセルへのパススイッチ処理は不要となる。したがって、図４７のテップＳＴ８２１７に相当する処理を省略することができる。このようにセルユニファイドエンティティを設けることによって、制御遅延を防止することができる。
【０６３０】
ステップＳＴ８３１１において、パススイッチ処理を完了したセルユニファイドエンティティは、サブセル１に、ＵＥコンテキストリリース（UE Context Release）を通知する。
【０６３１】
ＣｏＭＰを実行する場合の詳細な動作については、実施の形態７と同様である。第１セルユニファイドエンティティを用いた場合のＣｏＭＰの実行の詳細な動作、および第２セルユニファイドエンティティを用いた場合のＣｏＭＰの実行の詳細な動作については、実施の形態７と同様である。また、実施の形態７で開示したように、セントラルエンティティがＣｏＭＰトランスミッションポイントの決定を行ってもよいし、サービングサブセルとセントラルエンティティとが共同でＣｏＭＰトランスミッションポイントの決定を行ってもよいし、セルユニファイドエンティティとセントラルエンティティとが共同でＣｏＭＰトランスミッションポイントの決定を行ってもよい。その場合の詳細な動作については、実施の形態７と同様である。
【０６３２】
以上の実施の形態８によって、以下の効果を得ることができる。本実施の形態では、ＣｏＭＰ実行中のハンドオーバの方法について開示した。開示した方法を用いることによって、ＣｏＭＰ実行中のハンドオーバが可能となる。
【０６３３】
また、後述する実施の形態１０と比較して、制御が容易である。また、実施の形態１０と比較して、移動体通信システムが複雑化することを回避しつつ、ＣｏＭＰ実行中のＵＥの移動について、基地局および移動端末で統一が取れた動作とすることができ、安定した移動体通信システムを得ることができる。
【０６３４】
実施の形態８  変形例１．
本変形例では、実施の形態８とは異なる他のＣｏＭＰの実行を中止する方法の具体例を開示する。
【０６３５】
移動体通信システムとして、ＣｏＭＰアクティブ構成を解除（リリース）する。移動体通信システムとして、ＣｏＭＰメジャメント構成は解除（リリース）しない、つまり維持する。
【０６３６】
移動体通信システムとして、ＣｏＭＰアクティブ構成を解除（リリース）する方法の具体例として、以下の（１）〜（６）の６つを開示する。
【０６３７】
（１）ソースセルは、ハンドオーバを実行することを決定した場合、ハンドオーバ対象のＵＥに、ＣｏＭＰアクティブ構成の解除を要求する。ソースセルは、継続中のＨＡＲＱプロセスが存在しないことを確認した後に、ハンドオーバ対象のＵＥに、ＣｏＭＰアクティブ構成の解除を要求するようにしてもよい。
【０６３８】
ＣｏＭＰアクティブ構成の解除の要求を受信したＵＥは、ＣｏＭＰアクティブ構成の解除を行う。ＣｏＭＰメジャメント構成は、解除しなくてもよい。ＣｏＭＰメジャメントセット内セルのＣＳＩ−ＲＳの測定は、継続してもよい。
【０６３９】
ＵＥは、ＣｏＭＰアクティブ構成を解除するとき、ＣｏＭＰアクティブセット内に含まれるセルの無線情報（ＲＡＮ情報）を記憶してもよい。ターゲットセルによって、ソースセルにおけるＣｏＭＰアクティブ構成が再設定される可能性がある。そのような場合には、ＵＥが無線情報を記憶しておくことによって、制御遅延を防止することができる。
【０６４０】
ＵＥは、ハンドオーバが理由でＣｏＭＰアクティブ構成を解除するとき、無線情報を記憶するようにしてもよい。この場合、ソースセルは、ハンドオーバ対象のＵＥにＣｏＭＰアクティブ構成の解除を要求するとき、ハンドオーバが理由である旨を併せて通知すればよい。
【０６４１】
ハンドオーバが理由であるＣｏＭＰアクティブ構成の解除要求を受信したＵＥは、ＣｏＭＰアクティブセット内に含まれるセルの無線情報を記憶する。また、ハンドオーバが理由でないＣｏＭＰアクティブ構成の解除要求を受信したＵＥは、ＣｏＭＰアクティブセット内に含まれるセルの無線情報を記憶しないようにすればよい。
【０６４２】
ＣｏＭＰアクティブセットの無線情報の具体例は、実施の形態８のＣｏＭＰメジャメントセットの無線情報と同様である。
【０６４３】
（２）ソースセルは、ハンドオーバを実行することを決定した場合、ＣｏＭＰメジャメントセットに含まれるセルに、ＣｏＭＰメジャメント構成の解除を要求しない。つまり、ＣｏＭＰメジャメントセットに含まれるセルは、ＣＳＩ−ＲＳの送信を継続する。
【０６４４】
（３）ソースセルは、ハンドオーバを実行することを決定した場合、ＵＥ１宛のＣｏＭＰ用データの通知を停止する。具体的には、ＣｏＭＰメジャメントセットに含まれるセルへのＵＥ１宛のデータの通知を停止する。ソースセルは、継続中のＨＡＲＱプロセスが存在しないことを確認した後に、ＵＥ１宛のＣｏＭＰ用データの通知を停止するようにしてもよい。ＣｏＭＰメジャメントセットに含まれるセルへのＵＥ１宛のデータの通知、あるいはＣｏＭＰアクティブセットに含まれるセルへのＵＥ１宛のデータの通知、あるいはＣｏＭＰトランスポートポイントへのＵＥ１宛のデータの通知を、停止するようにしてもよい。
【０６４５】
（４）ＣｏＭＰメジャメントセットの取り扱いについて説明する。
（４−１）ソースセルにおけるＣｏＭＰメジャメントセットを、ターゲットセルにおいても継続して用いる。具体的には、ソースセルは、ターゲットセルに、ハンドオーバ要求（Handover Request）とともに、ソースセルにおけるＣｏＭＰメジャメントセットを通知する。ターゲットセルは、ハンドオーバ対象のＵＥのＣｏＭＰメジャメントセットとして、ハンドオーバ要求とともに通知されたソースセルにおけるＣｏＭＰメジャメントセットを継続して用いる。そのとき、ターゲットセルにおいて、ソースセルにおけるＣｏＭＰメジャメントセットを継続して用いることができる場合は、その旨（Ａｃｋ）をソースセルに通知する。ターゲットセルにおいてソースセルにおけるＣｏＭＰメジャメントセットを継続して用いることができる旨は、ハンドオーバ要求受け入れ（Handover Request Ack）とともに通知してもよい。
【０６４６】
ターゲットセルにおいて、ソースセルにおけるＣｏＭＰメジャメントセットを継続して用いることができない場合は、その旨（Ｎａｃｋ）をソースセルに通知する。ターゲットセルにおいてソースセルにおけるＣｏＭＰメジャメントセットを継続して用いることができない旨は、ハンドオーバ要求受け入れ（Handover Request Ack）とともに通知してもよい。
【０６４７】
ターゲットセルにおいてソースセルにおけるＣｏＭＰメジャメントセットを継続して用いる場合、ハンドオーバに必要なパラメータをマッピングしたモビリティ制御情報（Mobility Control Information）を含むＲＲＣ接続再設定メッセージ（RRC Connection Reconfiguration Message）とともに、ＣｏＭＰメジャメント構成を改めて通知してもよい。これによって、ターゲットセルとＵＥとの状態不一致の発生を低減することができる。
【０６４８】
あるいは、改めて通知せずに、ハンドオーバに必要なパラメータをマッピングしたモビリティ制御情報（Mobility Control Information）を含むＲＲＣ接続再設定メッセージ（RRC Connection Reconfiguration Message）とともに、ソースセルにおけるＣｏＭＰメジャメントセットを、ターゲットセルにおいても継続して用いることを示す情報、例えばインジケータを通知してもよい。これによって、制御情報を削減することができる。
【０６４９】
あるいは、移動体通信システムとして、ハンドオーバ時は、ＣｏＭＰメジャメントセットを継続させることを、静的または準静的に決定してもよい。これによって、制御情報を削減することができる。また、ハンドオーバに必要なパラメータをマッピングしたモビリティ制御情報（Mobility Control Information）を含むＲＲＣ接続再設定メッセージ（RRC Connection Reconfiguration Message）に追加する情報は、不要となり、後方互換性のある移動体通信システムの構築が可能となる。
【０６５０】
ＣｏＭＰアクティブセットのＣｏＭＰメジャメントセットと同様に取り扱うことができる。
【０６５１】
（４−２）ターゲットセルにおいてＵＥ用に用いることが予定されるＣｏＭＰメジャメントセットを、予めソースセルからＵＥに通知する。ハンドオーバ前に通知するようにしてもよい。
【０６５２】
ターゲットセルにおいてソースセルにおけるＣｏＭＰメジャメントセットを継続して用いることができない場合は、ターゲットセルにおいて、ＵＥ用に用いることが予定されるＣｏＭＰメジャメントセットを通知する。ＵＥ用に用いることが予定されるＣｏＭＰメジャメントセットを、ハンドオーバ要求受け入れ（Handover Request Ack）とともに通知してもよい。
【０６５３】
ターゲットセルにおいてＵＥ用に用いることが予定されているＣｏＭＰメジャメントセットとしては、ターゲットセル固有に予め決められたセットとすればよい。例えば、ＵＥ毎ではなく、ターゲットセルのロケーションによって決定されるセットとすればよい。ＵＥが、ターゲットセルにおいてメジャメントを実行していないからである。
【０６５４】
ターゲットセルにおいてＵＥ用に用いることが予定されているＣｏＭＰメジャメントセットは、ハンドオーバに必要なパラメータをマッピングしたモビリティ制御情報（Mobility Control Information）を含むＲＲＣ接続再設定メッセージ（RRC Connection Reconfiguration Message）とともに通知すればよい。これによって、ＵＥは、予めターゲットセルにおいてＵＥ用に用いることが予定されているＣｏＭＰメジャメントセットを知ることができ、制御遅延を防止することができる。ＵＥは、ハンドオーバ後は、ターゲットセルにおいてＵＥ用に用いることが予定されているＣｏＭＰメジャメントセットを用いればよい。
【０６５５】
ＣｏＭＰアクティブセットのＣｏＭＰメジャメントセットと同様に取り扱うことができる。
【０６５６】
（５）ハンドオーバコマンドを受信したＵＥは、ターゲットセルにおけるＣｏＭＰメジャメントセット内セルのＣＳＩ−ＲＳの測定を継続してもよい。
【０６５７】
（６）ターゲットセルからパススイッチ処理を完了したことの通知を受けたセル１は、以下の処理を行う。ソースセルは、ハンドオーバ対象のＵＥに対するＣｏＭＰメジャメント構成の解除を決定する。ソースセルは、ＣＳＩ−ＲＳの送信を停止してもよい。ソースセルは、ＣｏＭＰメジャメントセットに含まれるセルに、ＣｏＭＰメジャメント構成の解除を要求する。ソースセルは、継続中のＨＡＲＱプロセスが存在しないことを確認した後に、ＣｏＭＰメジャメントセットに含まれるセルに、ＣｏＭＰメジャメント構成の解除を要求するようにしてもよい。
【０６５８】
ＣｏＭＰメジャメント構成の解除の要求を受信したＣｏＭＰメジャメントセットに含まれるセルは、ＣＳＩ−ＲＳの送信を停止する。
【０６５９】
図４９および図５０は、実施の形態８の変形例１における移動体通信システムのシーケンスの一例を示す図である。図４９と図５０とは、境界線ＢＬ１０の位置で、つながっている。図４９および図５０に示すシーケンスは、図４６および図４７に示すシーケンスと類似しているので、同一のステップについては同一のステップ番号を付して、共通する説明を省略する。図４９および図５０では、サービングセルであるセル１とセル２とを用いて、ＵＥ１に対してＣｏＭＰを実行しているときに、ＵＥ１が、セル１からセル２に移動する場合のシーケンスを示している。本シーケンスでは、セントラルエンティティがサービングセル内に構成された場合について示しているので、特にセントラルエンティティとサービングセルとを区別せずに、サービングセルと記載する。
【０６６０】
ステップＳＴ８４００において、セル１は、ＵＥ１をハンドオーバさせるか否かを判断する。セル１は、ＵＥ１をハンドオーバさせると判断した場合、ＵＥ１に対するＣｏＭＰの実行を中止する。具体的には、セル１は、ＣｏＭＰアクティブ構成の解除を決定する。また、セル１は、ＵＥ１をハンドオーバさせると判断した場合、ハンドオーバ先であるターゲットセルを決定する。本動作例では、ターゲットセルとして、セル２を選択する。
【０６６１】
ステップＳＴ８４０１において、セル１は、ＵＥ１に、ＣｏＭＰアクティブ構成の解除（CoMP Active set Release）を要求する。ステップＳＴ８４０２において、セル２は、ＵＥ１に、ＣｏＭＰアクティブ構成の解除（CoMP Active set Release）を要求する。本動作例では、ＣｏＭＰアクティブ構成の解除を要求する場合に、セル１とセル２とを用いてＣｏＭＰを実行することを開示したが、ＣｏＭＰアクティブ構成の解除にＣｏＭＰを用いずに、セル１からのみＣｏＭＰメジャメント構成の解除要求を通知するようにしてもよい。
【０６６２】
ステップＳＴ８４０３において、ＣｏＭＰアクティブ構成の解除の要求を受信したＵＥ１は、ＣｏＭＰアクティブ構成を解除する。
【０６６３】
ステップＳＴ８４０４において、ステップＳＴ８２１８でセル２からＵＥコンテキストリリースの通知を受信したセル１は、ＣｏＭＰメジャメント構成の解除を決定する。ＣｏＭＰメジャメント構成の解除に代えて、ＣｏＭＰアクティブ構成の解除を決定してもよい。
【０６６４】
ステップＳＴ８４０５において、サービングセルであるセル１は、ＣｏＭＰメジャメントセットに含まれるセルであるセル２に、ＣｏＭＰメジャメント構成の解除を要求する。
【０６６５】
ステップＳＴ８４０６において、ＣｏＭＰメジャメントセットに含まれるセルであるセル２は、ＣｏＭＰメジャメント構成の解除の要求に対する応答を通知する。
【０６６６】
ステップＳＴ８４０７において、ステップＳＴ８４０５でＣｏＭＰメジャメント構成の解除の要求を受信したＣｏＭＰメジャメントセットに含まれるセルであるセル２は、ＣＳＩ−ＲＳの送信を停止する。
【０６６７】
ステップＳＴ８４０８において、ステップＳＴ８４０４でＣｏＭＰメジャメント構成の解除を決定したセル１は、ＣＳＩ−ＲＳの送信を停止する。
【０６６８】
ＣｏＭＰを実行する場合の詳細な動作については、実施の形態７と同様である。また、実施の形態７で開示したように、セントラルエンティティがＣｏＭＰトランスミッションポイントの決定を行ってもよいし、サービングセルとセントラルエンティティとが、共同でＣｏＭＰトランスミッションポイントの決定を行ってもよい。その場合の詳細な動作については、実施の形態７と同様である。
【０６６９】
図５１および図５２は、実施の形態８の変形例１における移動体通信システムのシーケンスの一例を示す図である。図５１および図５２に示すシーケンスは、図４６〜図５０に示すシーケンスと類似しているので、同一のステップについては同一のステップ番号を付して、共通する説明を省略する。図５１と図５２とは、境界線ＢＬ１１の位置で、つながっている。図５１および図５２では、セルユニファイドエンティティとサブセルとを区別した場合のＣｏＭＰを実行するときのシーケンスを示している。本シーケンスでは、セントラルエンティティがサービングサブセル、あるいはセントラルエンティティ内に構成された場合について示しているので、特にセントラルエンティティを区別せずに、サービングサブセル、あるいはセントラルエンティティと記載する。図５１および図５２では、サービングサブセルであるサブセル１とサブセル２とを用いて、ＵＥ１に対してＣｏＭＰを実行しているときに、ＵＥ１が、サブセル１からサブセル２に移動する場合のシーケンスを示している。セルユニファイドエンティティは、第１セルユニファイドエンティティであっても、第２セルユニファイドエンティティであっても、第３セルユニファイドエンティティであっても、図５１および図５２に示すシーケンスを用いることができる。
【０６７０】
ステップＳＴ８５００において、セルユニファイドエンティティは、ＵＥ１をハンドオーバさせるか否かを判断する。セルユニファイドエンティティは、ＵＥ１をハンドオーバさせると判断した場合、ＵＥ１に対するＣｏＭＰの実行を中止する。具体的には、セルユニファイドエンティティは、ＣｏＭＰアクティブ構成の解除を決定する。また、セルユニファイドエンティティは、ＵＥ１をハンドオーバさせると判断した場合、ハンドオーバ先であるターゲットセルを決定する。本動作例では、ターゲットセルとして、サブセル２を選択する。
【０６７１】
ステップＳＴ８５０１において、ステップＳＴ８３０９でＲＲＣ接続完了を受信した場合、セルユニファイドエンティティは、ＣｏＭＰメジャメント構成の解除を決定する。ＣｏＭＰメジャメント構成の解除に代えて、ＣｏＭＰアクティブ構成の解除を決定してもよい。
【０６７２】
ステップＳＴ８５０２において、セルユニファイドエンティティは、ＣｏＭＰメジャメントセットに含まれるセルであるサブセル１に、ＣｏＭＰメジャメント構成の解除を要求する。ＣｏＭＰメジャメント構成の解除の要求に限らず、ＣＳＩ−ＲＳの送信停止の要求であってもよい。図５１および図５２では省略しているが、サブセル１は、ＣｏＭＰメジャメント構成の解除の要求に対する応答を、セルユニファイドエンティティに通知してもよい。
【０６７３】
ステップＳＴ８５０３において、セルユニファイドエンティティは、ＣｏＭＰメジャメントセットに含まれるセルであるサブセル２に、ＣｏＭＰメジャメント構成の解除を要求する。ＣｏＭＰメジャメント構成の解除の要求に限らず、ＣＳＩ−ＲＳの送信停止の要求であってもよい。図５１および図５２では省略しているが、サブセル２は、ＣｏＭＰメジャメント構成の解除の要求に対する応答を、セルユニファイドエンティティに通知してもよい。
【０６７４】
ステップＳＴ８５０４において、ＣｏＭＰメジャメント構成の解除の要求を受信したＣｏＭＰメジャメントセットに含まれるセルであるサブセル２は、ＣＳＩ−ＲＳの送信を停止する。
【０６７５】
ステップＳＴ８５０５において、ＣｏＭＰメジャメント構成の解除の要求を受信したＣｏＭＰメジャメントセットに含まれるセルであるサブセル１は、ＣＳＩ−ＲＳの送信を停止する。
【０６７６】
ＣｏＭＰを実行する場合の詳細な動作については、実施の形態７と同様である。第１セルユニファイドエンティティを用いた場合のＣｏＭＰの実行の詳細な動作、および第２セルユニファイドエンティティを用いた場合のＣｏＭＰの実行の詳細な動作については、実施の形態７と同様である。また、実施の形態７で開示したように、セントラルエンティティがＣｏＭＰトランスミッションポイントの決定を行ってもよいし、セルユニファイドエンティティとセントラルエンティティとが、共同でＣｏＭＰトランスミッションポイントの決定を行ってもよい。その場合の詳細な動作については、実施の形態７と同様である。
【０６７７】
以上の実施の形態８の変形例１によって、実施の形態８の効果に加えて、以下の効果を得ることができる。ＣｏＭＰ実行可能なロケーションに位置するＵＥ、あるいはＣｏＭＰを実行することによって、受信品質を維持していたＵＥが、ＣｏＭＰメジャメントを継続することが可能となる。これによって、実施の形態８と比較して、ハンドオーバ後も迅速にＣｏＭＰを開始することが可能となる。また、ターゲットセルにおいてＵＥ用に用いることが予定されるＣｏＭＰメジャメントセットを、ソースセルから、予めＵＥに通知することが可能となる。これによって、ターゲットセルからＣｏＭＰメジャメントセットを改めて通知する必要が無くなり、実施の形態８と比較して、ハンドオーバ後も迅速にＣｏＭＰを開始することが可能となる。
【０６７８】
実施の形態８  変形例２．
本変形例では、実施の形態８、および実施の形態８の変形例１とは異なる他のＣｏＭＰの実行を中止する方法の具体例を開示する。
【０６７９】
移動体通信システムとして、ＣｏＭＰスケジューリングを行わない。ＣｏＭＰトランスミッションポイントの選択を行わないようにしてもよい。
【０６８０】
移動体通信システムとして、ＣｏＭＰスケジューリングを行わない方法の具体例を、以下に開示する。
【０６８１】
（１）ソースセルは、ハンドオーバを実行することを決定した場合、ハンドオーバ対象のＵＥに、ＣｏＭＰの実行を中止することに起因して、何の通知も行わない。これによって、実施の形態８、および実施の形態８の変形例１と比較して、無線リソースを有効に活用することができる。ＣｏＭＰメジャメントセット、あるいはＣｏＭＰアクティブ構成は、解除しなくてもよい。ＣｏＭＰメジャメントセット内セルのＣＳＩ−ＲＳの測定は、継続してもよい。
【０６８２】
本変形例におけるＣｏＭＰスケジューリングを行わない方法の他の具体例は、実施の形態８の変形例１におけるＣｏＭＰアクティブ構成を解除する方法の具体例（２），（３），（４），（５），（６）と同様であるので、説明を省略する。
【０６８３】
図５３および図５４は、実施の形態８の変形例２における移動体通信システムのシーケンスの一例を示す図である。図５３と図５４とは、境界線ＢＬ１２の位置で、つながっている。図５３および図５４に示すシーケンスは、図４６、図４７、図４９および図５０に示すシーケンスと類似しているので、同一のステップについては同一のステップ番号を付して、共通する説明を省略する。図５３および図５４では、サービングセルであるセル１とセル２とを用いて、ＵＥ１に対してＣｏＭＰを実行しているときに、ＵＥ１が、セル１からセル２に移動する場合のシーケンスを示している。本シーケンスでは、セントラルエンティティがサービングセル内に構成された場合について示しているので、特にセントラルエンティティとサービングセルとを区別せずに、サービングセルと記載する。
【０６８４】
ステップＳＴ８６０１において、セル１は、ＵＥ１をハンドオーバさせるか否かを判断する。セル１は、ＵＥ１をハンドオーバさせると判断した場合、ＵＥ１に対するＣｏＭＰの実行を中止する。具体的には、セル１は、ＣｏＭＰスケジューリングを行わないことを決定する。また、セル１は、ＵＥ１をハンドオーバさせると判断した場合、ハンドオーバ先であるターゲットセルを決定する。本動作例では、ターゲットセルとして、セル２を選択する。
【０６８５】
ステップＳＴ８６０２において、サービングセルであるセル１は、ＣｏＭＰトランスミッションポイントに含まれるセルであるセル２へのＵＥ１宛のデータの通知を停止する。具体的には、ＵＥ１宛のＣｏＭＰ用データの通知を停止する。
【０６８６】
ＣｏＭＰを実行する場合の詳細な動作については、実施の形態７と同様である。また、実施の形態７で開示したように、セントラルエンティティがＣｏＭＰトランスミッションポイントの決定を行ってもよいし、サービングセルとセントラルエンティティとが、共同でＣｏＭＰトランスミッションポイントの決定を行ってもよい。その場合の詳細な動作については、実施の形態７と同様である。
【０６８７】
図５５は、実施の形態８の変形例２における移動体通信システムのシーケンスの一例を示す図である。図５５に示すシーケンスは、図４６〜図４８、図５１および図５２に示すシーケンスと類似しているので、同一のステップについては同一のステップ番号を付して、共通する説明を省略する。
【０６８８】
図５５では、セルユニファイドエンティティとサブセルとを区別した場合のＣｏＭＰを実行するときのシーケンスを示している。本シーケンスでは、セントラルエンティティがサービングサブセル内、あるいはセントラルエンティティ内に構成された場合について示しているので、特にセントラルエンティティとサービングサブセル、あるいはセントラルエンティティとを区別せずに、サービングサブセル、あるいはセントラルエンティティと記載する。
【０６８９】
図５５では、サービングサブセルであるサブセル１とサブセル２とを用いて、ＵＥ１に対してＣｏＭＰを実行しているときに、ＵＥ１が、サブセル１からサブセル２に移動する場合のシーケンスを示している。セルユニファイドエンティティは、第１セルユニファイドエンティティであっても、第２セルユニファイドエンティティであっても、第３セルユニファイドエンティティであっても、図５５に示すシーケンスを用いることができる。
【０６９０】
ステップＳＴ８７０１において、セルユニファイドエンティティは、ＵＥ１をハンドオーバさせるか否かを判断する。セルユニファイドエンティティは、ＵＥ１をハンドオーバさせると判断した場合、ＵＥ１に対するＣｏＭＰの実行を中止する。具体的には、セルユニファイドエンティティは、ＣｏＭＰスケジューリングを行わないことを決定する。あるいは、サービングサブセルがＣｏＭＰスケジューリングを行わないことを決定してもよい。また、セルユニファイドエンティティは、ＵＥ１をハンドオーバさせると判断した場合、ハンドオーバ先であるターゲットセルを決定する。本動作例では、ターゲットセルとして、サブセル２を選択する。
【０６９１】
ステップＳＴ８７０２において、セルユニファイドエンティティは、ＣｏＭＰトランスミッションポイントに含まれるセルであるサブセル２へのＵＥ１宛のデータの通知を停止する。具体的には、ＵＥ１宛のＣｏＭＰ用データの通知を停止する。
【０６９２】
ＣｏＭＰを実行する場合の詳細な動作については、実施の形態７と同様である。第１セルユニファイドエンティティを用いた場合のＣｏＭＰの実行の詳細な動作、および第２セルユニファイドエンティティを用いた場合のＣｏＭＰの実行の詳細な動作については、実施の形態７と同様である。また、実施の形態７で開示したように、セントラルエンティティがＣｏＭＰトランスミッションポイントの決定を行ってもよいし、セルユニファイドエンティティとセントラルエンティティとが、共同でＣｏＭＰトランスミッションポイントの決定を行ってもよい。その場合の詳細な動作については、実施の形態７と同様である。
【０６９３】
以上の実施の形態８の変形例２によって、実施の形態８、および実施の形態８の変形例１と同様の効果を得ることができる。
【０６９４】
実施の形態９．
実施の形態９で解決する課題について、以下に説明する。実施の形態８の方法では、一旦ＣｏＭＰ実行を中止する。したがって、ＣｏＭＰを実行することによって受信品質を維持していたリンクの受信品質が急激に悪化して、通信断が発生するという問題がある。具体例としては、ソースセルから送信される、ハンドオーバに必要なパラメータをマッピングしたモビリティ制御情報を含むＲＲＣ接続再設定メッセージが、ＵＥで正常に受信できないことが考えられる。これによって、ＵＥは、正常にハンドオーバすることができずに、通信断となる。
【０６９５】
前述の通信断が発生するという問題に対する解決策を以下に示す。ハンドオーバ処理中は、ソースセルによってＣｏＭＰの実行を継続する。つまり、ハンドオーバ処理中は、セルおよびサブセルを含むネットワーク側において、ＣｏＭＰに関する構成の解除を行わない。具体的には、ＣｏＭＰメジャメントセット、およびＣｏＭＰアクティブ構成の解除を行わない。ソースセルは、ハンドオーバ対象のＵＥに、ハンドオーバに必要なパラメータをマッピングしたモビリティ制御情報を含むＲＲＣ接続再設定メッセージ、およびハンドオーバコマンドを通知するとき、ＣｏＭＰを実行する。
【０６９６】
ハンドオーバ処理中の具体例としては、ハンドオーバ準備（Handover preparation）フェーズ、ハンドオーバ実行（Handover Execution）フェーズ、ハンドオーバ完了（Handover Completion）フェーズなどがある（非特許文献１  １０．１．２．１章参照）。
【０６９７】
ソースセルによってＣｏＭＰの実行を継続する方法の具体例として、以下の（１）〜（３）の３つを開示する。
【０６９８】
（１）ソースセルは、ハンドオーバ対象のＵＥに、ハンドオーバに必要なパラメータをマッピングしたモビリティ制御情報を含むＲＲＣ接続再設定メッセージ、およびハンドオーバコマンドを通知するとき、ＣｏＭＰを実行する。
【０６９９】
（２）ソースセルは、ハンドオーバ対象のＵＥに、ハンドオーバに必要なパラメータをマッピングしたモビリティ制御情報を含むＲＲＣ接続再設定メッセージとともに、あるいはその後に、ＣｏＭＰメジャメント構成の解除を要求する。ＣｏＭＰメジャメント構成の解除を要求する代わりに、ＣｏＭＰアクティブ構成の解除を要求してもよい。
【０７００】
ＣｏＭＰメジャメント構成の解除の要求を受信したＵＥは、ＣｏＭＰメジャメント構成の解除、およびＣｏＭＰメジャメントセット内セルのＣＳＩ−ＲＳの測定を中止してもよい。ソースセルにおけるＣｏＭＰメジャメント構成の解除、およびソースセルにおけるＣｏＭＰメジャメントセット内のセルのＣＳＩ−ＲＳの測定を中止してもよい。
【０７０１】
あるいは、移動体通信システムとして、ＣｏＭＰ実行中における、ハンドオーバに必要なパラメータをマッピングしたモビリティ制御情報を含むＲＲＣ接続再設定メッセージは、ＣｏＭＰメジャメント構成の解除の要求、あるいはＣｏＭＰアクティブ構成の解除の要求を合わせ持つようにしてもよい。これによって、制御情報を削減することができる。この場合、ＣｏＭＰ実行中に、ハンドオーバに必要なパラメータをマッピングしたモビリティ制御情報を含むＲＲＣ接続再設定メッセージを受信したＵＥは、ＣｏＭＰメジャメント構成の解除、あるいはＣｏＭＰアクティブ構成の解除、あるいはＣｏＭＰメジャメントセット内セルのＣＳＩ−ＲＳの測定を中止すればよい。
【０７０２】
ＵＥは、ハンドオーバが理由でＣｏＭＰメジャメント構成を解除するとき、無線情報を記憶するようにしてもよい。具体例は、実施の形態８と同様であるので説明を省略する。
【０７０３】
（３）ターゲットセルから、パススイッチ処理を完了したことの通知を受けたセル１は、以下の処理を行う。パススイッチ処理を完了したことの通知の具体例としては、ＵＥコンテキストリリースの通知がある。ソースセルは、ＵＥ１宛のＣｏＭＰ用データの通知を停止する。具体的には、ＣｏＭＰメジャメントセットに含まれるセルへのＵＥ１宛のデータの通知を停止する。ソースセルは、継続中のＨＡＲＱプロセスが存在しないことを確認した後に、ＵＥ１宛のＣｏＭＰ用データの通知を停止するようにしてもよい。ＣｏＭＰメジャメントセットに含まれるセルへのＵＥ１宛のデータの通知、あるいはＣｏＭＰアクティブセットに含まれるセルへのＵＥ１宛のデータの通知、あるいはＣｏＭＰトランスポートポイントへのＵＥ１宛のデータの通知を、停止するようにしてもよい。
【０７０４】
本変形例におけるソースセルによってＣｏＭＰの実行を継続する方法の他の具体例は、実施の形態８の変形例１におけるＣｏＭＰアクティブ構成を解除する方法の具体例（４），（５），（６）と同様であるので、説明を省略する。
【０７０５】
図５６および図５７は、実施の形態９における移動体通信システムのシーケンスの一例を示す図である。図５６と図５７とは、境界線ＢＬ１３の位置で、つながっている。図５６および図５７に示すシーケンスは、図４６、図４７、図４９および図５０に示すシーケンスと類似しているので、同一のステップについては同一のステップ番号を付して、共通する説明を省略する。図５６および図５７では、サービングセルであるセル１とセル２とを用いて、ＵＥ１に対してＣｏＭＰを実行しているときに、ＵＥ１が、セル１からセル２に移動する場合のシーケンスを示している。本シーケンスでは、セントラルエンティティがサービングセル内に構成された場合について示しているので、特にセントラルエンティティとサービングセルとを区別せずに、サービングセルと記載する。
【０７０６】
ステップＳＴ８８０１において、セル１は、ＵＥ１をハンドオーバさせるか否かを判断する。セル１は、ＵＥ１をハンドオーバさせると判断した場合、ハンドオーバ処理中は、ソースセルによってＵＥ１に対するＣｏＭＰの実行を継続することを決定する。また、セル１は、ＵＥ１をハンドオーバさせると判断した場合、ハンドオーバ先であるターゲットセルを決定する。本動作例では、ターゲットセルとして、セル２を選択する。
【０７０７】
ステップＳＴ８８０２において、セル１は、ＵＥ１に、ハンドオーバに必要なパラメータをマッピングしたモビリティ制御情報を含むＲＲＣ接続再設定メッセージを通知する。ステップＳＴ８８０３において、セル２は、ＵＥ１に、ハンドオーバに必要なパラメータをマッピングしたモビリティ制御情報を含むＲＲＣ接続再設定メッセージを通知する。併せて、セル１は、ＵＥ１に、ハンドオーバの実行を指示する。本動作例では、前記ＲＲＣ接続再設定メッセージの通知に、セル１とセル２とを用いてＣｏＭＰを実行する。
【０７０８】
ステップＳＴ８８０４において、ＣｏＭＰメジャメント構成の解除の要求を受信したＵＥ１は、ＣｏＭＰメジャメント構成を解除する。
【０７０９】
ステップＳＴ８８０５において、ステップＳＴ８２１８でＵＥコンテキストリリースを受信したセル１は、ＣｏＭＰメジャメントセットに含まれるセルへのＵＥ１宛のデータの通知を停止する。具体的には、ＵＥ１宛のＣｏＭＰ用データの通知を停止する。
【０７１０】
ＣｏＭＰを実行する場合の詳細な動作については、実施の形態７と同様である。また、実施の形態７で開示したように、セントラルエンティティがＣｏＭＰトランスミッションポイントの決定を行ってもよいし、サービングセルとセントラルエンティティとが、共同でＣｏＭＰトランスミッションポイントの決定を行ってもよい。その場合の詳細な動作については、実施の形態７と同様である。
【０７１１】
図５８および図５９は、実施の形態９における移動体通信システムのシーケンスの一例を示す図である。図５８と図５９とは、境界線ＢＬ１４の位置で、つながっている。図５８および図５９に示すシーケンスは、図４６〜図４８、図５１、図５２、図５６および図５７に示すシーケンスと類似しているので、同一のステップについては同一のステップ番号を付して、共通する説明を省略する。
【０７１２】
図５８および図５９では、セルユニファイドエンティティとサブセルとを区別した場合のＣｏＭＰを実行するときのシーケンスを示している。本シーケンスでは、セントラルエンティティがサービングサブセル内、あるいはセントラルエンティティ内に構成された場合について示しているので、特にセントラルエンティティとサービングサブセル、あるいはセントラルエンティティとを区別せずに、サービングサブセル、あるいはセントラルエンティティと記載する。
【０７１３】
図５８および図５９では、サービングサブセルであるサブセル１とサブセル２とを用いて、ＵＥ１に対してＣｏＭＰを実行しているときに、ＵＥ１が、サブセル１からサブセル２に移動する場合のシーケンスを示している。セルユニファイドエンティティは、第１セルユニファイドエンティティであっても、第２セルユニファイドエンティティであっても、第３セルユニファイドエンティティであっても、図５８および図５９に示すシーケンスを用いることができる。
【０７１４】
ステップＳＴ８９０１において、セルユニファイドエンティティは、ＵＥ１をハンドオーバさせるか否かを判断する。セルユニファイドエンティティは、ＵＥ１をハンドオーバさせると判断した場合、ハンドオーバ処理中は、ソースセルによってＵＥ１に対するＣｏＭＰの実行を継続することを決定する。また、セルユニファイドエンティティは、ＵＥ１をハンドオーバさせると判断した場合、ハンドオーバ先であるターゲットセルを決定する。本動作例では、ターゲットセルとして、サブセル２を選択する。
【０７１５】
ステップＳＴ８９０２において、ステップＳＴ８３０９でＲＲＣ接続完了を受信したセルユニファイドエンティティは、ＣｏＭＰメジャメントセットに含まれるセルへのＵＥ１宛のデータの通知を停止する。具体的には、ＵＥ１宛のＣｏＭＰ用データの通知を停止する。
【０７１６】
ＣｏＭＰを実行する場合の詳細な動作については、実施の形態７と同様である。また、実施の形態７で開示したように、セントラルエンティティがＣｏＭＰトランスミッションポイントの決定を行ってもよいし、サービングセルとセントラルエンティティとが、共同でＣｏＭＰトランスミッションポイントの決定を行ってもよい。その場合の詳細な動作については、実施の形態７と同様である。
【０７１７】
以上の実施の形態９によって、実施の形態８、および実施の形態８の変形例１の効果に加えて、以下の効果を得ることができる。ハンドオーバ処理によって、ソースセルにおいて受信品質が急激に悪化することが無くなる。具体例としては、ソースセルから送信される、ハンドオーバに必要なパラメータをマッピングしたモビリティ制御情報を含むＲＲＣ接続再設定メッセージがＣｏＭＰを用いて送信されることから、ＵＥは、ＲＲＣ接続再設定メッセージを正常に受信することが可能となる。
【０７１８】
実施の形態９  変形例１．
実施の形態９の変形例１で解決する課題について、以下に説明する。３ＧＰＰでは、無線リンク失敗（Radio Link Failure）が発生した場合の動作について、以下のように開示されている（非特許文献１  １０．１．６章参照）。無線リンク失敗には、ハンドオーバ失敗（Handover Failure）も含まれる。無線リンク失敗時に、ＵＥの再接続が成功する条件が開示されている。再接続が成功する条件の一つとして、ＵＥが再接続先として、ＵＥのコンテキストを保管しているｅＮＢを選択した場合がある。
【０７１９】
ハンドオーバ失敗が発生した場合、ターゲットセルからソースセルに、ＵＥコンテキストリリースは通知されない。したがって、ソースセルにおいて、ハンドオーバ対象のＵＥのコンテキストは、リリースされない。また、ハンドオーバ失敗が発生した場合、ＵＥが再接続先として、ソースセルを選択すると、前記再接続が成功する条件を満たすこととなる。
【０７２０】
ＣｏＭＰを実行中のＵＥの移動においては、ソースセルでＣｏＭＰを実行することによって受信品質を維持していることも考えられる。したがって、ハンドオーバが失敗した場合、再接続先としてソースセルを選択したとしても、リンクの受信品質が悪く、再接続が失敗となる可能性が高くなるという問題が発生する。
【０７２１】
前述のように再接続が失敗となる可能性が高くなるという問題に対する解決策を、以下に示す。ＣｏＭＰを実行中のＵＥの移動において、ハンドオーバ失敗を検出したＵＥは、再選択先としてソースセルを選択する場合、ソースセルにおけるＣｏＭＰメジャメントセットを再設定する。ソースセルにおけるＣｏＭＰメジャメントセット内セルのＣＳＩ−ＲＳの測定を再開するようにしてもよい。またソースセルにおけるＣｏＭＰアクティブセットを再設定する。
【０７２２】
実施の形態９の変形例１においては、ソースセルは、ターゲットセルからパススイッチ処理を完了したことの通知を受けた後に、ハンドオーバ対象のＵＥに対するＣｏＭＰメジャメント構成の解除を行う。ハンドオーバ失敗が発生した場合は、ターゲットセルからパススイッチ処理を完了したことの通知が無い。したがって、ハンドオーバ失敗時には、ソースセルでは、ハンドオーバ対象のＵＥに対するＣｏＭＰメジャメント構成の解除は行われていない。これによって、セルおよびサブセルを含むネットワーク側と、ＵＥとの間で、ＣｏＭＰメジャメントセットの不整合は発生しない。
【０７２３】
この場合、ＵＥは、ハンドオーバが理由でＣｏＭＰメジャメント構成を解除するとき、無線情報を記憶するようにすればよい。具体例は、実施の形態８と同様であるので、説明を省略する。
【０７２４】
以上の実施の形態９の変形例１によって、以下の効果を得ることができる。ハンドオーバが失敗した場合、再接続先としてソースセルを選択したとき、該リンクの受信品質をＣｏＭＰを実行することによって維持することができ、再接続が成功となる可能性を高くすることができる。
【０７２５】
実施の形態１０．
実施の形態１０で解決する課題について、以下に説明する。前述の実施の形態８およびその変形例、ならびに実施の形態９およびその変形例では、設定されたＣｏＭＰアクティブセット（CoMP Active Set）もしくはＣｏＭＰメジャメントセット（CoMP measurement set）内で、多地点通信（ＣｏＭＰ通信）を実行しているＵＥにおいて、ハンドオーバを実行する場合、つまりサービングセル（Serving Cell）の変更を実行する場合、ＣｏＭＰ通信を停止し、サービングセルとの単地点通信に切替え、サービングセルの変更手順が完了した後に、多地点通信を再度構築するように構成されている。
【０７２６】
図６０および図６１は、複数のサブｅＮＢ装置とＵＥとのＣｏＭＰ通信の概念を説明するための図である。図６０では、３つのサブｅＮＢ（Sub-eNB）装置、すなわち第１サブｅＮＢ装置（Sub-eNB1）１０１０４、第２サブｅＮＢ装置（Sub-eNB2）１０１０５および第３サブｅＮＢ装置（Sub-eNB3）１０１０６と、第１ＵＥ（ＵＥ１）１０１０７とが、ＣｏＭＰ通信を行っている場合を示している。３つのサブｅＮＢ装置１０１０４〜１０１０６によって、３つのセルエリア１０１０１〜１０１０３が実現されている。
【０７２７】
図６１では、第１ＵＥ（ＵＥ１）が、参照符号「１０２０７」で示される位置から、参照符号「１０２０８」で示される位置に移動した場合を示している。図６１において、第１ＵＥ（ＵＥ１）１０２０７，１０２０８は、図６０の第１ＵＥ（ＵＥ１）１０１０７に相当し、第１〜第３サブｅＮＢ装置（Sub-eNB1〜Sub-eNB3）１０２０４〜１０２０６は、図６０の第１〜第３サブｅＮＢ装置（Sub-eNB1〜Sub-eNB3）１０１０４〜１０１０６に相当し、各サブｅＮＢ装置１０２０４〜１０２０６のセルエリア１０２０１〜１０２０３は、図６０のセルエリア１０１０１〜１０１０３に相当する。
【０７２８】
第１ＵＥ（ＵＥ１）が、参照符号「１０２０７」で示される位置から、参照符号「１０２０８」で示される位置に移動すると、それに伴うサービングセル（Serving Cell）の変更処理のために、ＣｏＭＰ通信が停止される。このとき、第１ＵＥ（ＵＥ１）１０２０８は、例えば第１サブｅＮＢ装置（Sub-eNB1）１０２０４と通信を行う。
【０７２９】
サービングセルの変更は、図６１に示されるように、ＵＥが、在圏するセルのセル端に存在するときに行われることが多い。このような位置関係では、サービングセルとＵＥとの通信リンクの通信品質は、距離が離れている分、低下していると考えられる。また、サービングセルの変更そのものが、通信リンクの通信品質がより良いセルに変更することを目的として行われると考えることもできる。
【０７３０】
図６１に示すように、サービングセルの変更を行うときに、ＣｏＭＰ通信が停止される場合、その停止期間には、多地点通信（ＣｏＭＰ通信）が有する、単地点通信に対する通信品質の利得を得ることができず、低い通信品質での通信が余儀なくされる。このことは、サービングセルの変更手順そのものが完了できない状況を引き起こす可能性もある。
【０７３１】
また、ＣｏＭＰ通信の目的の一つは、セル端における複数の無線リンクを用いた通信品質の改善である。このことからも、前述の問題は重要な課題である。
【０７３２】
さらに、もう一つの課題として、以下の課題が挙げられる。非特許文献１などで開示されているＵＥのサービングセルの変更処理においては、上位再送によるリカバリ処理はあるものの、その手順中に、一部のレイヤ２パケットを欠損することを許容している。
【０７３３】
しかしながら、パケットの欠損は、サービングセルの変更に伴う無駄な通信トラフィックの増大を引き起こす。また、ＣｏＭＰ通信の停止による品質劣化の影響を考慮すると、パケットの欠損の影響は、更に大きくなる可能性がある。
【０７３４】
実施の形態１０での前記課題の解決策を以下に示す。前記課題を解決するために、本実施の形態では、ＣｏＭＰ通信を継続したまま、サービングセルの変更を行う。図６２は、実施の形態１０におけるサービングセルの変更を説明するための図である。図６２では、ＣｏＭＰ通信を継続したまま、第１ＵＥ（ＵＥ１）が、参照符号「１０３０７」で示される位置から、参照符号「１０３０８」で示される位置に移動した場合を示す。
【０７３５】
ＣｏＭＰのＣｏＭＰアクティブセットもしくはＣｏＭＰメジャメントセットに含まれる対象となるセルは、地理的に隣接するセルである可能性が高く、そのセルの中から、変更先となるサービングセルが選択される可能性が非常に高い。図６２では、ＣｏＭＰアクティブセットは、第１〜第３サブｅＮＢ装置（Sub-eNB1〜Sub-eNB3）１０３０４〜１０３０６を含む各セルのうち、第１サブｅＮＢ装置（Sub-eNB1）１０３０４を含むセルから、第２サブｅＮＢ装置（Sub-eNB2）１０３０５を含むセルに、サービングセルが変更される場合の例を示している。
【０７３６】
このとき、サービングセルの変更元のセル（以後、「ソースセル」という）の通信リンク品質は、ＵＥの移動によって十分でない可能性が高く、サービングセルの変更先のセル（以後、「ターゲットセル」という）の通信リンク品質は、距離が近づいた分、良好になっている可能性が高い。したがって、ＣｏＭＰ通信を継続したままサービングセルの変更を行うことは、ＣｏＭＰ通信の目的とも一致し、サービングセルの変更を良好な環境で行うことができるので、非常に効果がある。
【０７３７】
また、ＣｏＭＰ通信を継続してサービングセル（Serving Cell）の変更を行うことから、従来の物理レイヤの瞬断を最小限に留められることが期待できる。したがって、ソースセル（Source Cell）のレイヤ２と、ターゲットセル（Target Cell）のレイヤ２とを連携させることによって、既存のレイヤ２のパケット欠損を最小限に留め、サービングセルの変更に伴う無駄なトラフィックの増加を抑えることが可能となる。
【０７３８】
これらを実現するために、以下の（１）〜（４）の４つの処理をサービングセル変更手順に加える。
【０７３９】
（１）ソースセルからターゲットセルへＣｏＭＰセットを通知すること。
（２）ＰＤＣＰ  ＳＤＵを除くレイヤ２（ＰＤＣＰ／ＲＬＣ）の処理前もしくは処理中もしくは処理後のデータユニット（ＲＬＣ  ＳＤＵ、ＲＬＣ  ＰＤＵ、その他処理途中のデータユニット）を破棄せず、関連するパラメータとともに、ソースセルからターゲットセルへ転送すること。
【０７４０】
（３）少なくともレイヤ２処理の中でＨＡＲＱ処理などの物理レイヤ処理と関連のある処理については、ソースセル側で完了させることを考慮して、ターゲットセルへの切替を実行すること。
【０７４１】
（４）レイヤ２（ＰＤＣＰ／ＲＬＣ）のデータ伝送において、ソースセルとターゲットセルで伝送順序性を保全する手順を加えること（３ＧＰＰ  ＴＳ３６．３２２  Ｖ１０．０．０（以下「参考文献８」という）に記載のＲＬＣのRe-establishmentを行わないこと）。
【０７４２】
本実施の形態では、ＭＡＣのデータユニットの転送は記載していないが、ＭＡＣレイヤにおけるＨＡＲＱ処理開始前のデータユニットをＲＬＣ／ＰＤＣＰと同様にターゲットセルに転送することも可能である。
【０７４３】
図６３〜図６６は、実施の形態１０における移動体通信システムのシーケンスの一例を示す図である。図６３と図６４とは、境界線ＢＬ１５の位置で、つながっている。図６４と図６５とは、境界線ＢＬ１６の位置で、つながっている。図６５と図６６とは、境界線ＢＬ１７の位置で、つながっている。
【０７４４】
本シーケンスは、ＵＥとＥ−ＵＴＲＡＮとの通信において、ＵＥが３つのセルをＣｏＭＰアクティブセットまたはＣｏＭＰメジャメントセットとしたＣｏＭＰ通信を行っており、その中のセル間でサービングセルの変更を行うときの例である。図６３〜図６６では、記載を省略しているが、セルからのＵＥに対するスケジューリング通知などは、ＰＤＣＣＨなどを用いて実行されているものとする。
【０７４５】
ここで、このＣｏＭＰアクティブセットまたはＣｏＭＰメジャメントセット内のセルのうち、サービングセル変更を行うときの変更前のサービングセルをソースセルとし、変更後のサービングセルをターゲットセルとし、本シーケンスにおいてサービングセルにはならない残りの一つのセルを非サービングセルとする。
【０７４６】
それぞれのセルは、ＰＨＹ、ＭＡＣ、ＲＬＣ、ＰＤＣＰ、およびＲＲＣの各レイヤを構成し、それぞれのレイヤは原則として、少なくとも３ＧＰＰの規格に記載された機能を有する。
【０７４７】
まず、シーケンスの初めに、ＵＥは、３つのセルをＣｏＭＰアクティブセットまたはＣｏＭＰメジャメントセットとしたＣｏＭＰ通信を行っているとする。この場合、ステップＳＴ１０４０１〜ステップＳＴ１０４０４において、ソースセルとターゲットセルとの間、およびソースセルと非サービングセルとの間に、ＭＡＣデータユニットを伝送するリンク、およびソースセルのＭＡＣでスケジューリングされたそのデータユニットに関するスケジューリング情報を通知するリンクが存在する。これらのリンクをまとめて、「ＭＡＣデータユニット関連伝送リンク」という場合がある。
【０７４８】
ここで示すリンクは、論理的な意味での記載であり、実際の実装によっては、実現形態は異なる。例えば、ソースセルとターゲットセルがそれぞれ異なるｅＮＢとして実装される場合は、その通信インタフェースは、Ｘ２インタフェースであるかもしれない。また、ＭＡＣデータユニット関連伝送リンクに限らず、各セル間の通信を行う通信路についても前記と同様、論理的なリンクが存在するものとする。
【０７４９】
ステップＳＴ１０４０５において、ソースセルは、ＨＯ決定（HO decision）処理を行う。具体的には、ソースセルが、ターゲットセルに対して、ＨＯを実行すると判定する。
【０７５０】
その後、ステップＳＴ１０４０６において、ソースセルのＲＲＣは、ＨＯ要求（HO Request）を行う。具体的には、ソースセルのＲＲＣは、ターゲットセルのＲＲＣに対し、現在対象となるＵＥとの通信において運用しているＣｏＭＰの継続の要否（提案）、ＣｏＭＰアクティブセットおよびＣｏＭＰメジャメントセットとそのセルとの通信に関する測定情報などを通知する。ここで、ＣｏＭＰの継続の要否（提案）は、ＣｏＭＰセットから判断することとして、明示的に通知しなくてもよい。
【０７５１】
ステップＳＴ１０４０６のＨＯ要求（HO Request）を受信したターゲットセルのＲＲＣは、ステップＳＴ１０４０７のステップＳＴ１０４０８において、ＨＯ要求に含まれる情報、自身のセルのトラフィック状況およびＣｏＭＰコオペレーティングセット情報などに基づいて、ターゲットセルにおけるＣｏＭＰセット候補を決定する。
【０７５２】
その後、ターゲットセルのＲＲＣは、ＣｏＭＰセット候補のＣｏＭＰアクティブセットまたはＣｏＭＰメジャメントセットに含まれるセル、本例では、ソースセルおよび非サービングセルに対し、ステップＳＴ１０４０８およびステップＳＴ１０４５５において、対象となるＵＥに対するＣｏＭＰ通信の要求（CoMP Request）を通知する。
【０７５３】
ステップＳＴ１０４０８およびステップＳＴ１０４５５で要求を受信したソースセルおよび非サービングセルは、自身のトラフィックおよびその他の通信リソースに関する状況を確認し、その結果を、ステップＳＴ１０４０９およびステップＳＴ１０４５６において、ＣｏＭＰ応答（CoMP Response）として、ターゲットセルに通知する。
【０７５４】
ステップＳＴ１０４０９およびステップＳＴ１０４５６のＣｏＭＰ応答を受信したターゲットセルは、その結果に基づいて、ステップＳＴ１０４１０において、ＣｏＭＰセットを決定する。
【０７５５】
その後、ターゲットセルは、ＣｏＭＰセット判定結果に基づいて、ステップＳＴ１０４１１において、ＨＯ可能か否かの情報、ＣｏＭＰの継続の可否および対応可能なＣｏＭＰセットなどを含めた応答を、ＨＯ応答（HO Response）として、ソースセルに通知する。ここで、ＣｏＭＰの可否は、ＣｏＭＰセットから判断することとして明示的に通知しなくてもよい。また、ターゲットセルは、ステップＳＴ１０４０６で受信したソースセルにおけるＣｏＭＰセットを継続する場合は、対応可能なＣｏＭＰセットの通知を行わなくてもよい。
【０７５６】
ＨＯ可能な応答（ＯＫ）を受信したソースセルは、ＵＥに対し、ステップＳＴ１０４１２において、ＲＲＣ接続再構築（RRC connection Reconfiguration）として、ＣｏＭＰ継続およびＣｏＭＰセットの情報を含むサービングセル変更を意味するメッセージを送信する。本メッセージを送信することによって、該メッセージを受信したＵＥが、非特許文献１および参考文献１などに記載されている「RRC Connection Reconfiguration」を受信した場合と異なる動作を行うことが可能となる。
【０７５７】
「RRC Connection Reconfiguration」を受信した場合と異なる動作の具体例として、以下の（１）〜（３）の３つを開示する。
（１）ＲＬＣ「Re-establishment」を行わない。
（２）ＭＡＣのリセットを行わない。
（３）ＰＤＣＰの「Re-establishment」を行わない。
【０７５８】
ＣｏＭＰ継続のサービングセル変更を意味するメッセージの具体例として、以下の（１）〜（６）の６つを開示する。
（１）ＣｏＭＰ継続か否かを示す。
（２）ＲＬＣをRe-establishmentするか否かを示す。
（３）ＭＡＣのリセットを行うか否かを示す。
（４）ＰＤＣＰのRe-establishmentをするか否かを示す。
（５）前記（１）〜（４）の組合せ。
（６）ＣｏＭＰ実行中、あるいはＣｏＭＰセット設定中の「RRC Connection Reconfiguration」は、前記（１）〜（５）を示すものと静的に決定する。これによって、前記（１）〜（５）と比較してメッセージの新設が不要となり、移動体通信システムが複雑化することを回避することができる。
【０７５９】
ＣｏＭＰ継続のサービングセル変更を意味するメッセージの通知方法の具体例として、以下の（１）〜（３）の３つを開示する。
（１）RRC Connection Reconfigurationインジケータ、あるいは情報エレメントを新たに追加する。
（２）Mobility Control Informationにインジケータ、あるいは情報エレメントを新たに追加する。
（３）別の新たなメッセージを新設する。
【０７６０】
また、ソースセルのＲＲＣは、ステップＳＴ１０４１２と併せて、ステップＳＴ１０４１３およびステップＳＴ１０４１４において、ＰＤＣＰの処理停止および転送要求（PDCP stop and forward request）、ならびにＲＬＣの処理停止および転送要求（RLC stop and forward request）として、対象となるＰＤＣＰおよびＲＬＣに対し、未処理のデータユニットに対する処理の停止および下りリンクのＭＡＣおよびＲＬＣへの伝送の停止を指示するとともに、「上りリンクについては上位層に対して、下りリンクについては下位層に対して、送信していないデータユニットおよび関連するパラメータ」のターゲットセルへの伝送を指示する。本ステップＳＴ１０４１４によるＲＬＣの処理停止および転送要求（RLC stop and forward request）を新設することによって、前記レイヤ２（ＲＬＣ）のデータユニットおよび関連するパラメータを、ソースセルからターゲットセルに転送することが可能となる。またＲＬＣのデータのデータ転送（Data Forwarding）が可能となる。
【０７６１】
本指示を受けたソースセルのＰＤＣＰおよびＲＬＣは、ステップＳＴ１０４１７〜ステップＳＴ１０４２２において、前記の処理停止と転送を行うとともに、本指示の後に各レイヤで受信するデータユニットについても同様に、ステップＳＴ１０４２３およびステップＳＴ１０４２５において、ターゲットセルへの転送を継続する。本転送の停止の方法は、それぞれレイヤ毎にタイマを管理し、判定してもよいし、後述するＭＡＣのタイマ満了と一致させてもよい。また、後述するステップＳＴ１０４５７におけるＵＥのＨＯ完了の通知がなされる場合は、その指示を停止の判断とすることも可能である。
【０７６２】
本転送においては、そのデータユニットのレベル、ＰＤＵまたはＳＤＵなどと転送するパケット（Packet）とは、ＨＯがなければ処理を行う予定であった順序が分かるように、ターゲットセルに伝送される。例えば、処理順と伝送順を一致させる、または、処理順の情報を付加するなどが挙げられる。
【０７６３】
また、参考文献８に示されるＲＬＣの再送用パケットについても、ＰＤＵにその旨が分かる情報を付加し、処理順、例えば、ＲＬＣまたはＳＮの番号順に、ターゲットセルに対し、伝送を行う。
【０７６４】
また、各レイヤにおける伝送処理では、そのレイヤに対する下位層（ＰＤＣＰであればＲＬＣ、ＲＬＣであればＭＡＣ）において、送信処理が完了していないデータユニットを併せて伝送してもよい。この場合は、ターゲットセルにて対応する下位層のデータユニット伝送処理完了が確認されたときは、当該データユニットは送信されず、破棄されることとなる。
【０７６５】
さらに、ソースセルのＲＲＣは、ステップＳＴ１０４１５において、ＨＯが開始されたことをＭＡＣに通知する。具体的には、ソースセルのＲＲＣは、ＨＯ開始の通知（HO ind）を行う。
【０７６６】
ＨＯ開始の通知を受けたソースセルのＭＡＣは、下りについては、現状保持しているデータユニットの転送完了まで処理を継続する。処理停止の判断として、タイマを設け、最大処理完了時間を規定してもよい。この場合は、処理完了またはタイマ満了によって、処理を停止させることとなる。
【０７６７】
このとき、ＨＡＲＱ処理（３ＧＰＰ  ＴＳ３６．３２１  Ｖ１０．４．０（以下「参考文献９」という）参照）を考慮する必要がある。ＨＡＲＱ処理は、Ｎプロセスのストップアンドウェイト方式であるので、本再送を考慮してタイマ値を設定する必要がある。
【０７６８】
上りについても、ＵＥからのデータユニットの受信処理を継続する。処理停止の判断として、前記タイマとは異なるタイマを設け、ＵＥ側のＭＡＣ処理の完了期間を待って、処理を停止させる。下りと同様に、タイマ満了までの時間は、ＨＡＲＱのプロセスを考慮する必要がある。実装簡略化のために、上りおよび下りを同一のタイマとしてもよい。また、後述するＵＥのＨＯ完了の通知がなされる場合は、その指示を停止の判断とすることも可能である。
【０７６９】
ステップＳＴ１０４１２のＲＲＣ接続再構築（RRC connection Reconfiguration）のメッセージを受信したＵＥも、セルと同様に、ステップＳＴ１０４１６のＵＬ  ＲＬＣ／ＰＤＣＰ停止処理において、ＵＬのＲＬＣおよびＰＤＣＰの処理を停止する。
【０７７０】
ＭＡＣについても、セルと同様、上りについては、現状保持しているデータユニットの転送完了まで処理を継続する。処理停止の判断として、タイマを設け、ステップＳＴ１０４２４において、ＵＥは、ＭＡＣ処理の完了または処理タイマの満了か否かを判断する。
【０７７１】
下りについても、セルからのデータユニットの受信処理を継続する。処理停止の判断として、前記タイマとは異なるタイマを設け、セル側のＭＡＣ処理の完了期間を待って、処理を停止させる。上りと同様に、タイマ満了までの時間は、ＨＡＲＱのプロセスを考慮する必要がある。本実施の形態のように、実装簡略化のために、上りおよび下りを同一のタイマとしてもよい。
【０７７２】
ステップＳＴ１０４２４においてＭＡＣ処理が完了または処理タイマが満了した場合は、ＵＥは、ステップＳＴ１０４２８において、ターゲットセルに対し、ＲＲＣ接続再構築（RRC connection Reconfiguration）に対応するＲＲＣ接続再構築完了（RRC connection Reconfiguration Complete）メッセージを送信する。必要に応じて、ステップＳＴ１０４２６の同期（Synchronisation）処理およびステップＳＴ１０４２７のＴＡ通知処理を行う。
【０７７３】
その後、ＵＥは、ターゲットセルをサービングセルとしてターゲットセルのＭＡＣのスケジューリングに従って通信を行う。ステップＳＴ１０４２７などのサービングセル変更手順のメッセージがＣｏＭＰ通信となるか否かについては、後述するステップＳＴ１０４２９の処理の実行の有無およびステップＳＴ１０４４２の処理の完了状況に依存する。ステップＳＴ１０４２９の処理が実行されずに、ステップＳＴ１０４４２の処理が完了している場合は、ＣｏＭＰ通信が可能となる。
【０７７４】
ステップＳＴ１０４２８においてＲＲＣ接続再構築完了（RRC connection Reconfiguration Complete）メッセージを受信したターゲットセルのＲＲＣは、ステップＳＴ１０４２９のステップＳＴ１０４５７において、ソースセルに、ＵＥのサービングセル変更の完了（UE HO Complete Ind）を通知する。また、併せて、ターゲットセルのＲＲＣは、ステップＳＴ１０４３０において、非サービングセルに、ＵＥのサービングセル変更の完了（UE HO Complete Ind）を通知する。
【０７７５】
ステップＳＴ１０４５７のＵＥのサービングセル変更の完了通知においてサービングセルの変更の完了を認識したソースセルは、ステップＳＴＳＴ１０４３３において、対象となるＵＥのＭＡＣ、ＲＬＣ、ＰＤＣＰの処理を完了させる。処理完了後、ソースセルは、ステップＳＴ１０４５８において、ターゲットセルに、ソースセルの処理完了（Source cell process complete）を通知する。
【０７７６】
ステップＳＴ１０４３０のＵＥのサービングセル変更の完了通知においてサービングセルの変更の完了を認識した非サービングセルは、ステップＳＴ１０４３１、ステップＳＴ１０４３２およびステップＳＴ１０４３５において、対象となるＵＥのＭＡＣの処理を完了させる。処理完了後、非サービングセルは、ステップＳＴ１０４３４において、ターゲットセルに、ソースセルの処理完了（Source cell process complete）を通知する。
【０７７７】
ステップＳＴ１０４２９の一連の処理は、ＵＥと各セル間における処理完了の不一致を厳密に排除することを目的とした手続きであり、ＣｏＭＰ実行時のサービングセル変更におけるソースセルにおける処理完了手続きに適用できる。ステップＳＴ１０４２９の処理は、処理手順の簡略化およびサービングセル変更の高速化を目的とする場合は、行わないようにすることも可能である。
【０７７８】
ステップＳＴ１０４１１においてＨＯ応答（HO Response）を送信したターゲットセルは、ステップＳＴ１０４４２において、ステップＳＴ１０４３６およびステップＳＴ１０４３７の処理を行う。その後、ターゲットセルは、ステップＳＴ１０４３８およびステップＳＴ１０４４０において、自身のＭＡＣとソースセルのＭＡＣとの間および自身のＭＡＣと非サービングセルのＭＡＣとの間にデータユニットリンクを設定し、ステップＳＴ１０４３９およびステップＳＴ１０４４１において、スケジューリング情報リンクを設定する。
【０７７９】
ステップＳＴ１０４４２の一連の処理は、ステップＳＴ１０４１１のＨＯ応答（HO Response）の送信から、ステップＳＴ１０４４９のデータ要求（DATA request）までの区間で任意のタイミングで実行されればよい。ステップＳＴ１０４０１〜ステップＳＴ１０４０４のソースセルのＭＡＣ間のデータユニットリンクとスケジューリング情報リンクとターゲットセルのリンクとを同時に開設できない場合は、図６３〜図６６に示すように、ＨＯの完了時からリンク開設を行うようにすればよい。
【０７８０】
ステップＳＴ１０４２８においてＲＲＣ接続再構築完了（RRC connection Reconfiguration Complete）通知を受信したターゲットセルのＲＲＣは、ステップＳＴ１０４４３、ステップＳＴ１０４４４およびステップＳＴ１０４４５において、自身のＭＡＣ、ＲＬＣおよびＰＤＣＰに対し、サービングセル変更の完了、すなわちＵＥのＨＯ完了（UE HO Complete Ind）を通知する。その後、ステップＳＴ１０４４６〜ステップＳＴ１０４５４の処理が行われる。
【０７８１】
ステップＳＴ１０４４３のＵＥのＨＯ完了通知を受信したターゲットセルのＭＡＣは、対象となるＭＡＣ伝送リンクの開設を確認し、開設されていれば、上りリンクについては、ＵＥの要求に従い処理を行い、下りリンクについては、ＲＬＣにデータを要求し、ＲＬＣから伝送されたデータのＭＡＣ処理を行う。ＭＡＣ伝送リンクの開設されているセルとの通信も併せて開始される。対象となるＭＡＣ伝送リンクが開設されていない場合は、ターゲットセルのＭＡＣは、対象となるＭＡＣ伝送リンクを開設後、前記処理を実行する。
【０７８２】
ステップＳＴ１０４４４のＵＥのＨＯ完了通知を受信したターゲットセルのＲＬＣは、上りリンクについては、まず、転送されたデータユニットについて、伝送順に、付随して伝送されたパラメータを用いて処理を行い、次にＭＡＣから送信された上りリンクのＲＬＣ  ＰＤＵの処理を、順次実行する。
【０７８３】
また、下りリンクについては、ターゲットセルのＲＬＣは、ステップＳＴ１０４４９においてデータ送信要求（DATA request）によってデータ送信が要求されたときに、転送された再送用のデータユニットから順に処理およびＲＬＣ  ＰＤＵのＭＡＣへの伝送を行い、その後、転送された初送用データユニットの処理およびＲＬＣ  ＰＤＵのＭＡＣへの伝送を行う。
【０７８４】
転送されたデータユニットの処理が完了したＲＬＣは、ＰＤＣＰに対し、ステップＳＴ１０４５３において、データ送信を要求し、その後、ＰＤＣＰから受信したデータに対し、処理を行う。
【０７８５】
ステップＳＴ１０４４５のＵＥのＨＯ完了通知を受信したターゲットセルのＰＤＣＰは、ステップＳＴ１０４４６において、Ｓ１インタフェースパススイッチ処理を行い、ターゲットセルにスイッチを設定する。ターゲットセルのＰＤＣＰは、上りリンクについては、まず、転送されたデータユニットについて、伝送順に、付随して伝送されたパラメータを用いて処理を行い、次にＲＬＣから送信された上りリンクのＰＤＣＰ  ＰＤＵの処理を、順次実行する。
【０７８６】
また、下りリンクについては、ターゲットセルのＰＤＣＰは、ステップＳＴ１０４５３のデータ要求（DATA request）によってデータ送信が要求されたときに、転送されたデータユニットの処理およびＰＤＣＰ  ＰＤＵのＲＬＣへの伝送を行う。
【０７８７】
このように本実施の形態では、データユニットについて、各レイヤにおけるデータユニットをセル間で、ソースセルにて想定した処理順を明確化して伝送する。そして、ターゲットセルにおいて、その処理順に処理を行った後、上位層および下位層からのデータユニット処理を行う。また、下りリンクについては、ターゲットセルの下位層からの要求に従ってデータ伝送を開始する。これによって、ソースセルとターゲットセルとの間で、伝送順序性を保全した処理が可能となる。したがって、参考文献８記載のＲＬＣの再設立（Re-establishment）を実行せずに、通信を継続することが可能となる。
【０７８８】
実施の形態１０  変形例１．
実施の形態１０の変形例１は、実施の形態１０の構成において、ＣｏＭＰのＭＡＣレベル協調制御を行うＣｏＭＰセントラルエンティティが存在するときに、ＣｏＭＰ通信を継続したまま、サービングセルの変更を行う場合の例である。
【０７８９】
図６７〜図７０は、実施の形態１０の変形例１における移動体通信システムのシーケンスの一例を示す図である。図６７と図６８とは、境界線ＢＬ１８の位置で、つながっている。図６８と図６９とは、境界線ＢＬ１９の位置で、つながっている。図６９と図７０とは、境界線ＢＬ２０の位置で、つながっている。
【０７９０】
本シーケンスは、図６３〜図６６に示すシーケンスと同様に、ＵＥとＥ−ＵＴＲＡＮとの通信において、ＵＥが３つのセルをＣｏＭＰアクティブセットまたはＣｏＭＰメジャメントセットとしたＣｏＭＰ通信を行っており、その中のセル間でサービングセルの変更を行うときの例である。
【０７９１】
本変形例と実施の形態１０との違いは、本変形例では、ＭＡＣのスケジューリングを、サービングセルのデータ送受信情報（データパラメータ）に基づいて、ＣｏＭＰセントラルエンティティが担うので、ステップＳＴ１０５０４〜ステップＳＴ１０５０６のスケジューリング情報伝送リンクの起点がＣｏＭＰセントラルエンティティとなっていること、およびステップＳＴ１０５１１におけるサービングセル変更時のＣｏＭＰセットの決定処理がＣｏＭＰセントラルエンティティで実行されることである。
【０７９２】
ステップＳＴ１０５０１およびステップＳＴ１０５０２では、実施の形態１０のステップＳＴ１０４０１およびステップＳＴ１０４０３と同様に、ソースセルとターゲットセルとの間、およびソースセルと非サービングセルとの間に、ＭＡＣデータユニットを伝送するリンクが存在する。本変形例では、ＭＡＣデータユニットの伝送もセントラルエンティティ経由で実行されてもよい。
【０７９３】
スケジューリング情報の通知は、以下のようにして行われる。ステップＳＴ１０５０３およびステップＳＴ１０５４５において、送信情報伝送リンクを用いて、サービングセルのＭＡＣから通知される伝送情報に基づいて、ＣｏＭＰセントラルエンティティがスケジューリングを行う。ステップＳＴ１０５０４、ステップＳＴ１０５０５、ステップＳＴ１０５０６、ステップＳＴ１０５４６、ステップＳＴ１０５４７およびステップＳＴ１０５４８において、スケジューリング情報伝送リンクを用いて、各セルにスケジューリング結果が通知される。
【０７９４】
サービングセル変更時のＣｏＭＰセットの決定処理については、ターゲットセルのＲＲＣが、ステップＳＴ１０５０９のステップＳＴ１０５１０のＣｏＭＰ要求（CoMP request）において提案するＣｏＭＰセット候補に対し、ＣｏＭＰセントラルエンティティが、ステップＳＴ１０５１１において、各セルのトラフィック状況を考慮し、ＣｏＭＰセットを決定する。その後、ステップＳＴ１０５１２、ステップＳＴ１０５１３およびステップＳＴ１０５１４において、ステップＳＴ１０５１１で決定した情報が、ＣｏＭＰ応答（CoMP response）として通知される。
【０７９５】
本変形例と実施の形態１０との間には、以上のような違いがあるので、本変形例では、ＣｏＭＰセントラルエンティティが存在する場合においても、ＣｏＭＰ通信を継続したまま、サービングセルの変更を行うことが可能となる。
【０７９６】
以上に述べたステップ以外のステップ、具体的には図６７〜図７０に示すステップＳＴ１０５０７、ステップＳＴ１０５０８、ステップＳＴ１０５１５〜ステップＳＴ１０５６０の処理は、前述の図６３〜図６６に示す実施の形態１０におけるステップＳＴ１０４０５、ステップＳＴ１０４０６、ステップＳＴ１０４１１〜ステップ１０４５４の処理と同様に行われる。
【０７９７】
実施の形態１０  変形例２．
実施の形態１０の変形例２は、実施の形態１０の構成において、３つのセルを共通的に管理するＲＬＣ、ＰＤＣＰおよびＲＲＣから構成されるセルユニファイドエンティティが存在する場合の例である。本変形例では、セル間のデータ伝送が必要であった各セルのＲＬＣおよびＰＤＣＰがセルユニファイドエンティティに集約されるので、各手続きを、実施の形態１０に比べて簡素化することができる。
【０７９８】
図７１〜図７３は、実施の形態１０の変形例２における移動体通信システムのシーケンスの一例を示す図である。図７１と図７２とは、境界線ＢＬ２１の位置で、つながっている。図７２と図７３とは、境界線ＢＬ２２の位置で、つながっている。
【０７９９】
本シーケンスは、図６３〜図６６に示すシーケンスと同様に、ＵＥとＥ−ＵＴＲＡＮとの通信において、ＵＥが３つのセルをＣｏＭＰアクティブセットもしくはＣｏＭＰメジャメントセットとしたＣｏＭＰ通信を行っており、その中のセル間でサービングセルの変更を行うときの例である。
【０８００】
ここでは、３つのセルを共通的に管理するＲＬＣ、ＰＤＣＰおよびＲＲＣから構成される１つのセルユニファイドエンティティと、ＰＨＹおよびＭＡＣから構成される１つのソースサブセルと、１つのターゲットサブセルと、１つの非サービングサブセルと、１つのＵＥとの間で通信を行う場合の例を示している。
【０８０１】
まず、シーケンスの初めに、ＵＥは、３つのセルをＣｏＭＰアクティブセットもしくはＣｏＭＰメジャメントセットとしたＣｏＭＰ通信を行っているとする。この場合、ステップＳＴ１０６０１〜ステップＳＴ１０６０５において、セルユニファイドエンティティとソースサブセルとの間にＲＬＣデータユニットを伝送するリンクが存在し、ソースサブセルとターゲットサブセルとの間、およびソースサブセルと非サービングサブセルとの間に、ＭＡＣデータユニットを伝送するリンク、およびソースサブセルのＭＡＣによってスケジューリングされたそのＰＤＵに関するスケジューリング情報を通知するリンクが存在する。これらのリンクをまとめて、「ＭＡＣＰＤＵ関連伝送リンク」という場合がある。
【０８０２】
ここで示すリンクは、実施の形態１０と同様に、論理的な意味での記載であり、実際の実装によっては、実現形態は異なる。また、ＭＡＣＰＤＵ関連伝送リンクに限らず、各サブセル間およびサブセルとセルユニファイドエンティティとの間の通信を行う通信路についても前記と同様、論理的なリンクが存在するものとする。
【０８０３】
ステップＳＴ１０６０６においてソースセルからターゲットセルにＨＯすると判定される。このとき、セルユニファイドエンティティのＲＲＣは、ステップＳＴ１０６０７において、現在対象となるＵＥとの通信において運用しているＣｏＭＰセル情報、そのセルの測定情報、ＣｏＭＰ候補セルのトラフィック状況およびＣｏＭＰコオペレーティングセット情報などに基づいて、ＣｏＭＰの可否およびターゲットセルにおけるＣｏＭＰセットを決定する。
【０８０４】
ＨＯ可能、かつＣｏＭＰ可能と判断したセルユニファイドエンティティは、ＵＥに対し、ステップＳＴ１０６０８において、ＣｏＭＰ継続のサービングセル変更を意味するＲＲＣ接続再構築（RRC connection Reconfiguration）メッセージを送信する。
【０８０５】
ここで、「RRC connection Reconfiguration」は、実施の形態１０と同様に、非特許文献１などに記載されている「RRC connection Reconfiguration」とは異なり、ＲＬＣなどの「Re-establishment」の実行を意味するものではないことが明確に分かるものとする。
【０８０６】
また、セルユニファイドエンティティのＲＲＣは、併せて、ステップＳＴ１０６０９およびステップＳＴ１０６１０において、対象となるＰＤＣＰおよびＲＬＣに対し、未処理のデータユニットに対する処理の停止および下りリンクのＭＡＣおよびＲＬＣへの伝送の停止を指示する。
【０８０７】
本指示を受けたセルユニファイドエンティティのＰＤＣＰおよびＲＬＣは、前述の処理の停止を行う。また、セルユニファイドエンティティのＲＲＣは、ステップＳＴ１０６１２において、ＨＯが開始されたことをＭＡＣに通知する。また、セルユニファイドエンティティのＲＬＣは、ステップＳＴ１０６１３およびステップＳＴ１０６１４の処理を行う。
【０８０８】
ＨＯ開始の通知を受けたＭＡＣは、下りについては、現状保持しているデータユニットの転送完了まで処理を継続する。処理停止の判断として、タイマを設け、最大処理完了時間を規定してもよい。この場合は、処理完了もしくはタイマ満了により、処理を停止させることとなる。この場合は、ＨＡＲＱ処理（参考文献９参照）を考慮する必要がある。ＨＡＲＱ処理は、Ｎプロセスのストップアンドウェイト方式であるので、本再送を考慮してタイマ値を設定する必要がある。
【０８０９】
上りについても、ＵＥからのデータユニットの受信処理を継続する。処理停止の判断として、前記タイマとは異なるタイマを設け、ＵＥ側のＭＡＣ処理の完了期間を待って、処理を停止させる。下りと同様に、タイマ満了までの時間は、ＨＡＲＱのプロセスを考慮する必要がある。実装簡略化のために、上りおよび下りを同一のタイマとしてもよい。また、後述するＵＥのＨＯ完了の通知がなされる場合は、その指示を停止の判断とすることも可能である。
【０８１０】
ステップＳＴ１０６０８のＲＲＣ接続再構築（RRC connection Reconfiguration）のメッセージを受信したＵＥも、セルと同様に、ステップＳＴ１０６１１において、ＵＬのＲＬＣおよびＰＤＣＰの処理を停止する。
【０８１１】
ＭＡＣについても、セルと同様、上りについては、現状保持しているデータユニットの転送完了まで処理を継続する。処理停止の判断として、タイマを設け、実施の形態１０と同様に、ステップＳＴ１０６１５において、ＵＥは、ＭＡＣ処理の完了または処理タイマの満了か否かを判断する。
【０８１２】
下りについても、セルからのデータユニットの受信処理を継続する。処理停止の判断として、前記タイマとは異なるタイマを設け、セル側のＭＡＣ処理の完了期間を待って、処理を停止させる。上りと同様に、タイマ満了までの時間は、ＨＡＲＱのプロセスを考慮する必要がある。実装簡略化のために、上りおよび下りを同一のタイマとしてもよい。
【０８１３】
ステップＳＴ１０６１５において、ＭＡＣ処理が完了または処理タイマが満了した場合は、ＵＥは、ステップＳＴ１０６１８において、ターゲットセルに対し、ＲＲＣ接続再構築に対応するＲＲＣ接続再構築完了（RRC connection Reconfiguration Complete）メッセージを送信する。ＵＥは、必要に応じて、ステップＳＴ１０６１６の同期（Synchronization）およびステップＳＴ１０６１７のＴＡ通知の手続きを行う。
【０８１４】
ＲＲＣ接続再構築完了メッセージを受信したセルユニファイドエンティティのＲＲＣは、ステップＳＴ１０６２０およびステップＳＴ１０６２１において、ソースサブセルおよび非サービングサブセルに、ＵＥのサービングセル変更の完了を通知する。
【０８１５】
ステップＳＴ１０６２０において、ＵＥのＨＯ完了通知によって、サービングセル変更の完了を認識したソースサブセルは、対象となるＵＥのＭＡＣの処理を完了させ、処理完了後、ステップＳＴ１０６２２において、セルユニファイドエンティティに、ＭＡＣ処理完了（MAC process complete）メッセージを通知する。
【０８１６】
ステップＳＴ１０６２１において、ＵＥのＨＯ完了通知によって、サービングセル変更の完了を認識した非サービングセルは、対象となるＵＥのＭＡＣの処理を完了させ、処理完了後、ステップＳＴ１０６２３において、セルユニファイドエンティティに、ＭＡＣ処理完了（MAC process complete）メッセージを通知する。
【０８１７】
ステップＳＴ１０６１９の一連の処理は、ＵＥ、ソースサブセル、セルユニファイドエンティティそれぞれで、処理完了の不一致を厳密に排除することを目的とした手続きであるので、処理手順の簡略化およびサービングセル変更の高速化を目的とする場合は、行わなくてもよい。
【０８１８】
ステップＳＴ１０６０８においてＲＲＣ接続再構築（RRC connection Reconfiguration）メッセージを送信したセルユニファイドエンティティのＲＲＣは、ターゲットサブセルに対し、ステップＳＴ１０６２５において、セルユニファイドエンティティとのＲＬＣ伝送リンクおよびそのＣｏＭＰアクティブセットもしくはＣｏＭＰメジャメントセットに含まれるセル間のＭＡＣ伝送リンクの開設を要求する。
【０８１９】
ステップＳＴ１０６２５のＣｏＭＰセット要求（CoMP set request）を受信したターゲットサブセルは、指示に従い、ステップＳＴ１０６２６〜ステップＳＴ１０６３２において、ＲＬＣ伝送リンクおよびＭＡＣ伝送リンクを開設する。
【０８２０】
ステップＳＴ１０６２４の一連の処理は、ステップＳＴ１０６０８のＲＲＣ再構築メッセージの送信からステップＳＴ１０６３６のデータ要求メッセージの送信までの区間で実行されればよい。ステップＳＴ１０６０１〜ステップＳＴ１０６０５のソースサブセルのＭＡＣ間のデータユニットリンク、スケジューリング情報リンク、およびターゲットサブセルのリンクと同時に開設できない場合は、図７１〜図７３に示すように、ＨＯの完了時からリンク開設を行うようにすればよい。
【０８２１】
ＲＲＣ接続再構築完了メッセージを受信したセルユニファイドエンティティのＲＲＣは、ステップＳＴ１０６３３、ステップＳＴ１０６３４およびステップＳＴ１０６３５において、ターゲットサブセルのＭＡＣおよびセルユニファイドエンティティのＲＬＣおよびＰＤＣＰに、ＵＥのＨＯ完了メッセージによって、サービングセル変更の完了を通知する。
【０８２２】
ステップＳＴ１０６３３のＵＥのＨＯ完了メッセージを受信したターゲットサブセルのＭＡＣは、対象となるＲＬＣ伝送リンクおよびＭＡＣ伝送リンクの開設を確認し、開設されていれば、上りリンクについては、ＵＥの要求に従い処理を行い、下りリンクについては、ＲＬＣにデータを要求し、ＲＬＣから伝送されたデータのＭＡＣ処理を行う。ＭＡＣ伝送リンクの開設されているセルとの通信も併せて開始される。対象となるＲＬＣ伝送リンクおよびＭＡＣ伝送リンクが開設されていない場合は、開設後、前述の処理を実行する。
【０８２３】
ステップＳＴ１０６３４のＵＥのＨＯ完了メッセージを受信したセルユニファイドエンティティのＲＬＣは、上りリンクについては、ＭＡＣから送信された上りリンクのＲＬＣ  ＰＤＵの処理を、順次実行する。
【０８２４】
また、下りリンクについては、ステップＳＴ１０６３６のデータ要求メッセージによってデータ送信が要求されたときに、ステップＳＴ１０６３７において、処理およびＭＡＣへの伝送を再開する。その後、ステップＳＴ１０６３８およびステップＳＴ１０６３９の処理が行われる。
【０８２５】
ステップＳＴ１０６３５のＵＥのＨＯ完了メッセージを受信したセルユニファイドエンティティのＰＤＣＰは、上りリンクについては、ＲＬＣから送信された上りリンクのＰＤＣＰ  ＰＤＵの処理を、順次実行する。
【０８２６】
また、下りリンクについては、ステップＳＴ１０６４０のデータ要求メッセージによってデータ送信が要求されたときに、ステップＳＴ１０６４１において、ＰＤＣＰ  ＰＤＵの処理およびＲＬＣへの伝送を再開する。
【０８２７】
このように、本変形例では、セルユニファイドエンティティの導入によって、セルのレイヤ間伝送が減少するので、ＣｏＭＰ通信を継続したまま、サービングセルの変更を、より効率的に行うことが可能となる。本変形例においては、セルユニファイドエンティティがＲＬＣ、ＰＤＣＰおよびＲＲＣから構成される場合を示したが、これにＭＡＣもしくはＭＡＣの一部まで含めることも可能であるし、また、ＲＬＣを独立させ、ＲＲＣおよびＰＤＣＰのみで構成することも可能である。統合規模を大きくすれば、エンティティ間の伝送量は少なくなるものの、セルユニファイドエンティティの規模および複雑さが増すこととなる。また逆に、統合規模を小さくすれば、エンティティ間の伝送量は多くなるものの、セルユニファイドエンティティの規模および複雑さが少なくなることになる。これは、利用形態および実装形態によって判断されるべきものである。本発明は、この統合規模に応じて、レイヤ間の情報伝送を適切に割当てることによって、任意の形態に適用可能である。
【０８２８】
実施の形態１１．
ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについて、ソースセルは、適宜判断する必要がある。本実施の形態では、判断方法について開示する。
【０８２９】
サービングセル（ソースセル）が選択したターゲットセルが、ＨＯ対象となるＵＥのＣｏＭＰメジャメントセット内のセルであるか否かに基づいて、ＨＯ処理の方法を判断する。ＨＯの決定をセルユニファイドエンティティが行う場合は、セルユニファイドエンティティが、ＨＯ対象となるＵＥのＣｏＭＰメジャメントセット内のセルであるか否かに基づいて、ＨＯ処理の方法を判断するとよい。
【０８３０】
サービングセルは、ターゲットセルがＨＯ対象となるＵＥのＣｏＭＰメジャメントセット内のセルである場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０８３１】
サービングセルは、ターゲットセルがＨＯ対象となるＵＥのＣｏＭＰメジャメントセット内のセルでない場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８３２】
図７４は、実施の形態１１における移動体通信システムのシーケンスの一例を示す図である。図７４では、ＣｏＭＰ実行中のＵＥに対してＨＯ処理を実行するときに、ＣｏＭＰの実行を停止するか、または継続するかを判断する場合のシーケンスを示している。
【０８３３】
図１５および図１６のステップＳＴ１５０１〜ステップＳＴ１５２６、およびステップＳＴ１５３０に開示した方法を用いて、サービングセルは、ＵＥ１に対して、ＣｏＭＰを実行する。
【０８３４】
ステップＳＴ１５２６において、サービングセルとＵＥ１とは、ＣｏＭＰ送受信およびＣＳＩフィードバックの少なくともいずれか一方を行う。
【０８３５】
ステップＳＴ１２１０１において、ＵＥ１は、ＣＲＳ測定によるＲＲＭメジャメントを行う。ステップＳＴ１２１０２において、ＵＥ１は、報告条件に従って、ステップＳＴ１２１０１におけるＲＲＭメジャメントの測定結果をメジャメントリポート（measurement report）メッセージとして、サービングセルに報告する。ステップＳＴ１２１０１における測定には、サービングセル自身のＣＲＳの測定も含まれる。ステップＳＴ１２１０２におけるメジャメントリポートには、サービングセル自身のＣＲＳの測定結果が含まれていてもよい。
【０８３６】
ステップＳＴ１２１０３において、サービングセルは、ＵＥ１からのメジャメントリポートを用いて、ＵＥ１に対してＨＯ処理を実行することを決定する。このときに、ターゲットセルを決定する。
【０８３７】
ステップＳＴ１２１０４において、サービングセルは、ターゲットセルがＣｏＭＰメジャメントセット内のセルであるか否かを判断する。ステップＳＴ１２１０４においてターゲットセルがＣｏＭＰメジャメントセット内のセルであると判断された場合は、ステップＳＴ１２１０５に移行し、ターゲットセルがＣｏＭＰメジャメントセット内のセルでないと判断された場合は、ステップＳＴ１２１０６に移行する。
【０８３８】
ステップＳＴ１２１０５において、サービングセルは、ＨＯ対象であるＵＥ１に対してＣｏＭＰの実行を継続したままＨＯ処理を実行することを決定する。
【０８３９】
ステップＳＴ１２１０６において、サービングセルは、ＨＯ対象であるＵＥ１に対してＣｏＭＰの実行を停止してＨＯ処理を実行することを決定する。
【０８４０】
ステップＳＴ１２１０５において、ＨＯ対象であるＵＥ１に対してＣｏＭＰの実行を継続したままＨＯ処理を実行することを決定した場合は、例えば、実施の形態１０で開示したＨＯ処理を実行するとよい。他方、ステップＳＴ１２１０６において、ＨＯ対象であるＵＥ１に対してＣｏＭＰの実行を停止してＨＯ処理を実行することを決定した場合は、例えば、実施の形態８または実施の形態９で開示したＨＯ処理を実行するとよい。
【０８４１】
ターゲットセルがＣｏＭＰメジャメントセット内のセルである場合、ターゲットセルにおいても、ＨＯ対象のＵＥに対してＣｏＭＰを実行することが可能であるので、ＣｏＭＰを継続したままＨＯ処理を行うことができ、ターゲットセルにおいても良好な通信品質を得ることが可能となる。
【０８４２】
ターゲットセルがＣｏＭＰメジャメントセット内のセルでない場合、ターゲットセルにおいて、ＨＯ対象のＵＥに対してＣｏＭＰの実行が可能であるか否かは未定となる。したがって、ＣｏＭＰを停止してＨＯ処理を行う方が、ターゲットセルにおける無線リンクを確実に接続することができる。
【０８４３】
このように、ターゲットセルがＣｏＭＰメジャメントセット内セルであるか否かに基づいてＨＯ処理の方法を判断することによって、ＨＯ対象となるＵＥの状態に適したＨＯ処理を行うことが可能となる。これによって、移動体通信システムとしてのスループットを向上することが可能となる。
【０８４４】
実施の形態１１  変形例１．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０８４５】
本変形例では、サービングセルが選択したターゲットセルが、ＨＯ対象となるＵＥのＣｏＭＰアクティブセット内のセルであるか否かに基づいて、ＨＯ処理の方法を判断する。
【０８４６】
サービングセルは、ターゲットセルがＨＯ対象となるＵＥのＣｏＭＰアクティブセット内のセルである場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０８４７】
サービングセルは、ターゲットセルがＨＯ対象となるＵＥのＣｏＭＰアクティブセット内のセルでない場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８４８】
本変形例におけるシーケンスは、図７４に示すシーケンスの一部を変更すればよい。図７４のステップＳＴ１２１０４において、サービングセルが、ターゲットセルがＣｏＭＰアクティブセット内のセルであるか否かを判断するようにすればよい。
【０８４９】
ターゲットセルがＣｏＭＰアクティブセット内のセルである場合、ターゲットセルにおいても、ＨＯ対象のＵＥに対してＣｏＭＰを実行することが可能であるので、ＣｏＭＰを継続したままＨＯ処理を行うことができ、ターゲットセルにおいても良好な通信品質を得ることが可能となる。
【０８５０】
ターゲットセルがＣｏＭＰアクティブセット内のセルでない場合、ターゲットセルにおいて、ＨＯ対象のＵＥに対してＣｏＭＰの実行が可能であるか否かは未定となる。したがって、ＣｏＭＰを停止してＨＯ処理を行う方が、ターゲットセルにおける無線リンクを確実に接続することができる。
【０８５１】
このように、ターゲットセルがＣｏＭＰアクティブセット内セルであるか否かに基づいてＨＯ処理の方法を判断することによって、ＨＯ対象となるＵＥの状態に適したＨＯ処理を行うことが可能となる。これによって、移動体通信システムとしてのスループットを向上することが可能となる。
【０８５２】
実施の形態１１  変形例２．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０８５３】
本変形例では、サービングセルがターゲットセルを選択するときに、ＨＯ対象となるＵＥによるどのＲＳの測定結果が使用されたかに基づいて、ＨＯ処理の方法を判断する。
【０８５４】
ターゲットセルが、ＨＯ対象となるＵＥによるＣＳＩ−ＲＳを測定した結果を用いて選択された場合、サービングセルは、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０８５５】
ターゲットセルが、ＨＯ対象となるＵＥによるＣＲＳを測定した結果を用いて選択された場合、サービングセルは、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８５６】
本変形例におけるシーケンスは、図７４に示すシーケンスの一部を変更すればよい。図７４のステップＳＴ１２１０４において、サービングセルが、ターゲットセルがＨＯ対象となるＵＥによるＣＳＩ−ＲＳを測定した結果を用いて選択されたのか、それともＣＲＳを測定した結果を用いて選択されたのかを判断するようにすればよい。ＣＳＩ−ＲＳを測定した結果を用いている場合は、ステップＳＴ１２１０５に移行し、ＣＲＳを測定した結果を用いている場合は、ステップＳＴ１２１０６に移行すればよい。
【０８５７】
ＣＳＩ−ＲＳを測定した結果を用いてターゲットセルが選択された場合は、ターゲットセルにおいて、ＨＯ対象のＵＥに対してＣｏＭＰを実行したときでも良好な通信品質を得ることが可能であるので、ＣｏＭＰを継続したままＨＯ処理を行うとよい。
【０８５８】
ＣＲＳを測定した結果を用いてターゲットセルが選択された場合は、ターゲットセルにおいて、ＨＯ対象のＵＥに対してＣｏＭＰを実行したときに良好な通信品質が得られるか否か不明である。したがって、ＣｏＭＰを停止してＨＯ処理を行う方が、ターゲットセルにおける無線リンクを確実に接続することができる。
【０８５９】
このように、ターゲットセルがＣＳＩ−ＲＳを測定して選択されたのか、それともＣＲＳを測定して選択されたのかに基づいてＨＯ処理の方法を判断することによって、ＨＯ対象となるＵＥの状態に適したＨＯ処理を行うことが可能となる。これによって、移動体通信システムとしてのスループットを向上することが可能となる。
【０８６０】
実施の形態１１  変形例３．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０８６１】
本変形例では、ＨＯ対象となるＵＥのＣｏＭＰトランスミッションポイントの数を用いて、ＨＯ処理の方法を判断する。このような判断をするために、ＣｏＭＰトランスミッションポイント数に閾値を設ける。
【０８６２】
サービングセルは、ＨＯ対象となるＵＥのＣｏＭＰトランスミッションポイントの数が閾値以下である場合、ＵＥのＣｏＭＰの実行を継続したままＨＯ処理を行う。ＣｏＭＰの実行を継続したままＨＯ処理を行う方法としては、実施の形態１０の方法を用いてもよい。
【０８６３】
サービングセルは、ＨＯ対象となるＵＥのＣｏＭＰトランスミッションポイントの数が閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８６４】
本変形例におけるシーケンスは、図７４に示すシーケンスの一部を変更すればよい。図７４のステップＳＴ１２１０４において、サービングセルが、ＨＯ対象となるＵＥのＣｏＭＰトランスミッションポイント数が所定の閾値以下であるか否かを判断するようにすればよい。
【０８６５】
ＣｏＭＰトランスミッションポイント数が所定の閾値よりも大きい場合、ＣｏＭＰを継続したままＨＯ処理を実行すると、ネットワーク側の制御が複雑になる。多数のＣｏＭＰトランスミッションポイント間で協調制御のためのデータユニットおよびスケジューリング情報の少なくともいずれか一方の伝送を行わなければならないためである。したがって、ＣｏＭＰトランスミッションポイント数が所定の閾値よりも大きい場合は、ＣｏＭＰを停止してＨＯ処理を行う方が、ネットワーク側の処理負荷を軽減し、ターゲットセルにおける無線リンクを確実に接続することができる。
【０８６６】
このように、ＣｏＭＰトランスミッションポイント数を用いて、ＨＯ処理の方法を判断することによって、ＨＯ対象となるＵＥの状態に適したＨＯ処理を行うことが可能となる。これによって、移動体通信システムとしてのスループットを向上することが可能となる。
【０８６７】
実施の形態１１  変形例４．
本変形例では、ＨＯ対象となるＵＥのＣｏＭＰトランスミッションポイントの数を用いて、ＨＯ処理の方法を判断する場合の他の方法について開示する。ＣｏＭＰトランスミッションポイントの数を用いて判断するために、ＣｏＭＰトランスミッションポイント数に閾値を設ける。
【０８６８】
サービングセルは、ＨＯ対象となるＵＥのＣｏＭＰトランスミッションポイントの数が閾値以上である場合、ＵＥのＣｏＭＰの実行を継続したままＨＯ処理を行う。ＣｏＭＰの実行を継続したままＨＯ処理を行う方法としては、実施の形態１０の方法を用いてもよい。
【０８６９】
サービングセルは、ＨＯ対象となるＵＥのＣｏＭＰトランスミッションポイントの数が閾値よりも小さい場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８７０】
本変形例におけるシーケンスは、図７４に示すシーケンスの一部を変更すればよい。図７４のステップＳＴ１２１０４において、サービングセルが、ＨＯ対象となるＵＥのＣｏＭＰトランスミッションポイント数が所定の閾値以上であるか否かを判断するようにすればよい。
【０８７１】
ＣｏＭＰトランスミッションポイント数が所定の閾値よりも小さい場合、一つのセルとの通信リンクで必要な通信品質が得られている可能性が高い。したがって、ＣｏＭＰを継続したままＨＯ処理を実行するよりも、ＣｏＭＰを停止してＨＯ処理を実行した方が、ネットワーク側の制御負荷を低減することができる。
【０８７２】
他方、ＣｏＭＰトランスミッションポイント数が所定の閾値以上である場合、複数のセルとのデータの送受信を用いないと、必要な通信品質が得られない可能性が高い。したがって、ＣｏＭＰを継続したままＨＯ処理を実行した方が、良好な通信品質を得ることが可能となる。このように、ＣｏＭＰトランスミッションポイント数を用いてＨＯ処理の方法を判断することによって、ＨＯ対象となるＵＥの状態に適したＨＯ処理を行うことが可能となる。これによって、移動体通信システムとしてのスループットを向上することが可能となる。
【０８７３】
実施の形態１１  変形例５．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０８７４】
本変形例では、ＨＯ対象となるＵＥの移動速度を用いて、ＨＯ処理の方法を判断する。このような判断をするために、ＵＥの移動速度に閾値を設ける。
【０８７５】
サービングセルは、ＨＯ対象となるＵＥの移動速度が閾値以下である場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０８７６】
サービングセルは、ＨＯ対象となるＵＥの移動速度が閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８７７】
本変形例におけるシーケンスは、図７４に示すシーケンスの一部を変更すればよい。図７４のステップＳＴ１２１０４において、サービングセルが、ＨＯ対象のＵＥの移動速度が所定の閾値以下であるか否かを判断するようにすればよい。
【０８７８】
ＨＯ対象のＵＥの移動速度が所定の閾値よりも大きい場合、ＣｏＭＰを継続したままＨＯ処理を実行するためのネットワーク側の制御において、協調制御のためのデータユニットおよびスケジューリング情報の少なくともいずれか一方の伝送遅延の影響が大きくなる。ＨＯ対象のＵＥの移動速度が所定の閾値よりも大きい場合、短時間で新たなサービングセルから圏外となる可能性が高くなるので、ＣｏＭＰの実行を失敗する可能性が高くなる。あるいは、失敗までしなくても、最適なＣｏＭＰのためのセルを選択できなくなり、ＣｏＭＰによる効果が低下する。したがって、ＨＯ対象のＵＥの移動速度が所定の閾値よりも大きい場合、ＣｏＭＰを停止してＨＯ処理を行う方が、ターゲットセルにおける無線リンクを確実に接続することができる。
【０８７９】
このように、ＨＯ対象のＵＥの移動速度を用いてＨＯ処理の方法を判断することによって、ＨＯ対象となるＵＥの状態に適したＨＯ処理を行うことが可能となる。これによって、移動体通信システムとしてのスループットを向上することが可能となる。
【０８８０】
ＵＥの移動速度の指標として、以下の（１）〜（３）の３つを開示する。
【０８８１】
（１）実際の速度。ＵＥは、ＧＰＳなどを用いて測定するとよい。測定結果は、ＵＥから定期的または周期的にサービングセルに通知するとよい。または、メジャメントリポートと併せて通知するようにしてもよい。これによって、サービングセルは、ＵＥの移動速度情報を用いることが可能となる。
【０８８２】
（２）ＵＥのポジショニング情報に含まれる移動速度情報。サービングセルが移動速度情報を取得する方法は、実施の形態３で開示した、ＵＥの位置情報を取得する方法を適用すればよい。
【０８８３】
（３）セルリセレクト数から得た移動速度情報。具体的には、速度係数。ＬＴＥにおいては、サービングセルは、移動速度情報を取得しているので、使用することが可能である。
【０８８４】
実施の形態１１  変形例６．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０８８５】
本変形例では、サービングセルとの通信品質を用いて、ＨＯ処理の方法を判断する。具体的には、ＨＯにおけるソースセルとの通信品質を用いて、ＨＯ処理の方法を判断する。このような判断をするために、通信品質に閾値を設ける。
【０８８６】
サービングセルは、ＨＯ対象となるＵＥとサービングセルとの通信品質が閾値以下である場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０８８７】
サービングセルは、ＨＯ対象となるＵＥとサービングセルとの通信品質が閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０８８８】
本変形例におけるシーケンスは、図７４に示すシーケンスの一部を変更すればよい。図７４のステップＳＴ１２１０４において、サービングセルは、ＨＯ対象となるＵＥとサービングセルとの通信品質が所定の閾値以下であるか否かを判断するようにすればよい。
【０８８９】
ＨＯ対象となるＵＥとサービングセルとの通信品質が所定の閾値よりも大きい場合、一つのセルとの通信リンクで必要な通信品質が得られている可能性が高い。したがって、ＣｏＭＰを継続したままＨＯ処理を実行するよりも、ＣｏＭＰを停止してＨＯ処理を実行した方が、ネットワーク側の制御負荷を低減することができる。
【０８９０】
他方、ＨＯ対象となるＵＥとサービングセルとの通信品質が所定の閾値以下である場合、複数のセルとのデータの送受信を用いないと、必要な通信品質が得られない可能性が高い。したがって、ＣｏＭＰを継続したままＨＯ処理を実行した方が、良好な通信品質を得ることが可能となる。
【０８９１】
このように、サービングセルとの通信品質を用いてＨＯ処理の方法を判断することによって、ＨＯ対象となるＵＥの状態に適したＨＯ処理を行うことが可能となる。これによって、移動体通信システムとしてのスループットを向上することが可能となる。
【０８９２】
実施の形態１１  変形例７．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０８９３】
本変形例では、新たなサービングセルとの通信品質を用いて、ＨＯ処理の方法を判断する。具体的には、ＨＯにおけるターゲットセルとの通信品質を用いて、ＨＯ処理の方法を判断する。このような判断をするために、通信品質に閾値を設ける。
【０８９４】
サービングセルは、ＨＯ対象となるＵＥとターゲットセルとの通信品質が閾値以下である場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０８９５】
サービングセルは、ＨＯ対象となるＵＥとターゲットセルとの通信品質が閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。ＨＯ対象となるＵＥとターゲットセルとの通信品質は、ＵＥによるメジャメントリポートを用いればよい。メジャメントリポートは、ＣｏＭＰ用でもモビリティ用でもあるいは共用でもよい。ＨＯ対象となるＵＥとターゲットセルとの通信品質は、サービングセルに通知される。ＵＥによる測定は、ＣＲＳの測定結果でもよいし、もＣＳＩ−ＲＳの測定結果でもよい。
【０８９６】
本変形例におけるシーケンスは、図７４に示すシーケンスの一部を変更すればよい。図７４のステップＳＴ１２１０４において、サービングセルが、ＨＯ対象となるＵＥとターゲットセルとの通信品質が所定の閾値以下であるか否かを判断するようにすればよい。
【０８９７】
ＨＯ対象となるＵＥとターゲットセルとの通信品質が所定の閾値よりも大きい場合、一つのセルとの通信リンクで必要な通信品質が得られている可能性が高い。したがって、ＣｏＭＰを継続したままＨＯ処理を実行するよりも、ＣｏＭＰを停止してＨＯ処理を実行した方が、ネットワーク側の制御負荷を低減することができる。
【０８９８】
他方、ＨＯ対象となるＵＥとターゲットセルとの通信品質が所定の閾値以下である場合、複数のセルとのデータの送受信を用いないと、必要な通信品質が得られない可能性が高い。したがって、ＣｏＭＰを継続したままＨＯ処理を実行した方が、良好な通信品質を得ることが可能となる。
【０８９９】
このように、ターゲットセルとの通信品質を用いてＨＯ処理の方法を判断することによって、ＨＯ対象となるＵＥの状態に適したＨＯ処理を行うことが可能となる。これによって、移動体通信システムとしてのスループットを向上することが可能となる。
【０９００】
実施の形態１１  変形例８．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０９０１】
本変形例では、通信中のサービスの種類を用いて、ＨＯ処理の方法を判断する。サービングセルは、ＨＯ対象となるＵＥと通信中のサービスの種類が所定の種類であった場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０９０２】
サービングセルは、ＨＯ対象となるＵＥと通信中のサービスの種類が所定の種類でない場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０９０３】
本変形例におけるシーケンスは、図７４に示すシーケンスの一部を変更すればよい。図７４のステップＳＴ１２１０４において、サービングセルが、ＨＯ対象となるＵＥと通信中のサービスの種類が所定の種類であるか否かを判断するようにすればよい。
【０９０４】
このように、通信中のサービスの種類を用いて、ＨＯ処理の方法を判断することによって、通信中のサービスに適したＨＯ処理を行うことが可能となる。
【０９０５】
実施の形態１１  変形例９．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０９０６】
本変形例では、通信中のサービスが要求する遅延時間を用いて、ＨＯ処理の方法を判断する。このような判断をするために、サービスが要求する遅延時間に閾値を設ける。
【０９０７】
サービングセルは、ＨＯ対象となるＵＥと通信中のサービスが要求する遅延時間が閾値以下である場合、ＵＥのＣｏＭＰの実行を継続したままＨＯ処理を行うと判断する。ＣｏＭＰの実行を継続したままＨＯ処理を行う方法としては、実施の形態１０の方法を用いてもよい。
【０９０８】
サービングセルは、ＨＯ対象となるＵＥと通信中のサービスが要求する遅延時間が閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を用いてもよい。
【０９０９】
本変形例におけるシーケンスは、図７４に示すシーケンスの一部を変更すればよい。図７４のステップＳＴ１２１０４において、サービングセルが、ＨＯ対象となるＵＥと通信中のサービスが要求する遅延時間が所定の閾値以下であるか否かを判断するようにすればよい。
【０９１０】
ＨＯ対象となるＵＥと通信中のサービスが要求する遅延時間が所定の閾値以下である場合、再送処理などによる遅延時間を可能な限り低減するためには、良好な通信品質が必要となる。ＣｏＭＰを停止してＨＯ処理を実行するよりも、ＣｏＭＰを継続したままＨＯ処理を実行することによって、良好な通信品質を得ることができ、遅延時間を低減することができる。このように、通信中のサービスが要求する遅延時間を用いてＨＯ処理の方法を判断することによって、通信中のサービスに適したＨＯ処理を行うことが可能となる。これによって、移動体通信システムとしてのスループットを向上することが可能となる。
【０９１１】
本変形例では、通信中のサービスが要求する遅延時間を用いて、ＨＯ処理の方法を判断することを開示したが、遅延時間ではなく、以下の（１）〜（５）に開示する判断指標を用いてもよい。
【０９１２】
（１）通信中のサービスが要求するエラーレート（packet error loss rate）。
（２）通信中のサービスが要求するリソースタイプ。リソースタイプとしては、ＧＢＲ（Guaranteed Bit Rate）およびＮｏｎ−ＧＢＲなどがある。
（３）通信中のサービスに対する優先順位。
（４）通信中のサービスのＱｏＳ（Quality of Service）。
（５）通信中のサービスのＱＣＩ（QoS Class Identifier）。
【０９１３】
前記（１）に示すように、通信中のサービスが要求するエラーレートを用いて、ＨＯ処理の方法を判断する。このような判断をするために、サービスが要求するエラーレートに閾値を設ける。
【０９１４】
サービングセルは、ＨＯ対象となるＵＥと通信中のサービスが要求するエラーレートが閾値以下である場合、ＵＥのＣｏＭＰの実行を継続したままＨＯ処理を行うと判断する。ＣｏＭＰの実行を継続したままＨＯ処理を行う方法としては、実施の形態１０の方法を適用してもよい。
【０９１５】
サービングセルは、ＨＯ対象となるＵＥと通信中のサービスが要求するエラーレートが閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を適用してもよい。
【０９１６】
前記（１）の判断指標を用いた場合のシーケンスは、図７４に示すシーケンスの一部を変更すればよい。図７４のステップＳＴ１２１０４において、サービングセルが、ＨＯ対象となるＵＥと通信中のサービスが要求するエラーレートが所定の閾値以下であるか否かを判断するようにすればよい。これによって、通信中のサービスに適したＨＯ処理を行うことが可能となり、移動体通信システムとしてのスループットを向上することが可能となる。
【０９１７】
前記（２）に示すように、通信中のサービスが要求するリソースタイプを用いて、ＨＯ処理の方法を判断する。サービングセルは、ＨＯ対象となるＵＥと通信中のサービスが要求するリソースタイプがＧＢＲである場合、ＵＥのＣｏＭＰの実行を継続したままＨＯ処理を行うと判断する。ＣｏＭＰの実行を継続したままＨＯ処理を行う方法としては、実施の形態１０の方法を適用してもよい。
【０９１８】
サービングセルは、ＨＯ対象となるＵＥと通信中のサービスが要求するリソースタイプがＧＢＲでない場合、ＵＥのＣｏＭＰの実行を停止してＨＯ処理を行うと判断する。ＣｏＭＰの実行を停止してＨＯ処理を行う方法としては、実施の形態８または実施の形態９の方法を適用してもよい。
【０９１９】
前記（２）の判断指標を用いた場合のシーケンスは、図７４に示すシーケンスの一部を変更すればよい。図７４のステップＳＴ１２１０４において、サービングセルが、ＨＯ対象となるＵＥと通信中のサービスが要求するリソースタイプがＧＢＲであるか否かを判断するようにすればよい。これによって、通信中のサービスに適したＨＯ処理を行うことが可能となり、移動体通信システムとしてのスループットを向上することが可能となる。
【０９２０】
前記（３）に示すように、通信中のサービスに対する優先順位を用いて、ＨＯ処理の方法を判断する。このような判断をするために、サービスに対する優先順位に閾値を設ける。
【０９２１】
サービングセルは、ＨＯ対象となるＵＥと通信中のサービスに対する優先順位が閾値以上である場合、ＵＥのＣｏＭＰの実行を継続したままＨＯ処理を行うと判断する。ＣｏＭＰの実行を継続したままＨＯ処理を行う方法としては、実施の形態１０の方法を適用してもよい。
【０９２２】
サービングセルは、ＨＯ対象となるＵＥと通信中のサービスに対する優先順位が閾値よりも小さい場合、ＵＥのＣｏＭＰの実行を停止してＨＯ処理を行うと判断する。ＣｏＭＰの実行を停止してＨＯ処理を行う方法としては、実施の形態８または実施の形態９の方法を適用してもよい。
【０９２３】
前記（３）の判断指標を用いた場合のシーケンスは、図７４に示すシーケンスの一部を変更すればよい。図７４のステップＳＴ１２１０４において、サービングセルが、ＨＯ対象となるＵＥと通信中のサービスに対する優先順位が閾値以上であるか否かを判断するようにすればよい。これによって、通信中のサービスに適したＨＯ処理を行うことが可能となり、移動体通信システムとしてのスループットを向上することが可能となる。
【０９２４】
前記（４）に示すように、通信中のサービスのＱｏＳを用いて、ＨＯ処理の方法を判断する。このような判断をするために、ＱｏＳをカテゴライズしておき、各カテゴリーにナンバリングしておく。例えば、良好なＱｏＳのカテゴリーから昇順にナンバリングしておき、ナンバの閾値を設ける。
【０９２５】
サービングセルは、ＨＯ対象となるＵＥと通信中のサービスのＱｏＳのカテゴリーナンバが閾値以下である場合、ＵＥのＣｏＭＰの実行を継続したままＨＯ処理を行うと判断する。ＣｏＭＰの実行を継続したままＨＯ処理を行う方法としては、実施の形態１０の方法を適用してもよい。
【０９２６】
サービングセルは、ＨＯ対象となるＵＥと通信中のサービスのＱｏＳのカテゴリーナンバが閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を適用してもよい。
【０９２７】
前記（４）の判断指標を用いた場合のシーケンスは、図７４に示すシーケンスの一部を変更すればよい。図７４のステップＳＴ１２１０４において、サービングセルが、ＨＯ対象となるＵＥと通信中のサービスのＱｏＳのカテゴリーナンバが閾値以下であるか否かを判断するようにすればよい。これによって、通信中のサービスに適したＨＯ処理を行うことが可能となり、移動体通信システムとしてのスループットを向上することが可能となる。
【０９２８】
前記（５）に示すように、通信中のサービスのＱＣＩを用いて、ＨＯ処理の方法を判断する。ＱＣＩは、３ＧＰＰ  ＴＳ２３．２０３  Ｖ１１．２．０（以下「参考文献１０」という）に開示されるように、サービスに対する複数の要求指標をクラス分けした場合のインジケータである。ＱＣＩを用いて判断するために、ＱＣＩに閾値を設ける。
【０９２９】
サービングセルは、ＨＯ対象となるＵＥと通信中のサービスのＱＣＩが閾値以下である場合、ＵＥのＣｏＭＰの実行を継続したままＨＯ処理を行うと判断する。ＣｏＭＰの実行を継続したままＨＯ処理を行う方法としては、実施の形態１０の方法を適用してもよい。
【０９３０】
サービングセルは、ＨＯ対象となるＵＥと通信中のサービスのＱＣＩが閾値よりも大きい場合、ＵＥのＣｏＭＰの実行を停止してＨＯ処理を行うと判断する。ＣｏＭＰの実行を停止してＨＯ処理を行う方法としては、実施の形態８または実施の形態９の方法を適用してもよい。
【０９３１】
前記（５）の判断指標を用いた場合のシーケンスは、図７４に示すシーケンスの一部を変更すればよい。図７４のステップＳＴ１２１０４において、サービングセルが、ＨＯ対象となるＵＥと通信中のサービスのＱＣＩが閾値以下であるか否かを判断するようにすればよい。これによって、通信中のサービスに適したＨＯ処理を行うことが可能となり、移動体通信システムとしてのスループットを向上することが可能となる。
【０９３２】
実施の形態１１  変形例１０．
本変形例では、ＣｏＭＰ実行中のＵＥに対してＨＯ処理を実行する場合、ＣｏＭＰを停止してＨＯ処理を実行するのか、それともＣｏＭＰを継続したままＨＯ処理を実行するのかについての他の判断方法について開示する。
【０９３３】
本変形例では、サービングセルが選択したターゲットセルが、サービングセルが属するＣｏＭＰコオペレーティングセット内のセルであるか否かに基づいて、ＨＯ処理の方法を判断する。
【０９３４】
サービングセルは、ターゲットセルが自セルの属するＣｏＭＰコオペレーティングセット内のセルである場合、ＵＥのＣｏＭＰの実行を継続したままＣｏＭＰコオペレーティングセット内のセル間でのＨＯ処理を行うと判断する。ＣｏＭＰコオペレーティングセット内のセル間でＣｏＭＰの実行を継続したままＨＯ処理を行う方法としては、実施の形態１０の変形例１の方法を適用してもよい。
【０９３５】
サービングセルは、ターゲットセルが自セルの属するＣｏＭＰコオペレーティングセット内のセルでない場合、ＵＥのＣｏＭＰを実行継続したままＣｏＭＰコオペレーティングセット外のセルとのＨＯ処理を行うと判断する。ＣｏＭＰコオペレーティングセット外のセルとＣｏＭＰの実行を継続したままＨＯ処理を行う方法としては、実施の形態１０の方法を適用してもよい。
【０９３６】
図７５は、実施の形態１１の変形例１０における移動体通信システムのシーケンスの一例を示す図である。図７５に示すシーケンスは、図７４に示すシーケンスと類似しているので、同一のステップについては同一のステップ番号を付して、共通する説明を省略する。
【０９３７】
本変形例では、図７５のステップＳＴ１２２０１において、サービングセルが、ターゲットセルがサービングセルの属するＣｏＭＰコオペレーティングセット内のセルであるか否かを判断するようにすればよい。
【０９３８】
ターゲットセルがサービングセルの属するＣｏＭＰコオペレーティングセット内のセルである場合、ステップＳＴ１２１０５において、サービングセルは、ＣｏＭＰを実行継続したままＣｏＭＰコオペレーティングセット内のセル間でのＨＯ処理を行うと判断する。この場合、実施の形態１０の変形例１で開示したＨＯ処理を行うとよい。
【０９３９】
ターゲットセルがサービングセルの属するＣｏＭＰコオペレーティングセット内のセルでない場合は、ステップＳＴ１２１０６において、サービングセルは、ＣｏＭＰを実行継続したままＣｏＭＰコオペレーティングセット外のセルとのＨＯ処理を行うと判断する。この場合、実施の形態１０で開示したＨＯ処理を行うとよい。
【０９４０】
このようにすることによって、ターゲットセルが自セルの属するＣｏＭＰコオペレーティングセット内のセルであるか否かに応じて、ＨＯ対象のＵＥに対してＣｏＭＰの実行を継続したままＨＯ処理を実行することが可能となる。したがって、ターゲットセルにおいても良好な通信品質を得ることが可能となる。これによって、移動体通信システムとしてのスループットを向上することが可能となる。
【０９４１】
サービングセルが、ターゲットセルがＣｏＭＰコオペレーティングセット内のセルであるか否かを認識する方法として、以下の（１）〜（３）の３つを開示する。
【０９４２】
（１）サービングセルは、ターゲットセルが自セルのＣｏＭＰコオペレーティングセット内に属するか否かをセントラルエンティティに問い合わせる。
【０９４３】
セントラルエンティティは、一つまたは複数のポイントを集中して調整を行うエンティティであるので、ＣｏＭＰコオペレーティングセット内のセルを認識させておくとよい。
【０９４４】
サービングセルは、ステップＳＴ１２１０３において、ターゲットセルを選択し、選択したターゲットセルが自セルのＣｏＭＰコオペレーティングセット内のセルであるか否かを問い合わせるメッセージを、セントラルエンティティに通知する。該メッセージに、ターゲットセルのセルアイデンティティを含めておくとよい。これによって、セントラルエンティティは、ターゲットセルを特定することができる。また、前記メッセージに、サービングセルのセルアイデンティティを含めておいてもよい。これによって、セントラルエンティティは、要求元のサービングセルを特定することができる。
【０９４５】
セントラルエンティティは、ターゲットセルが要求元のサービングセルの属するＣｏＭＰコオペレーティングセット内のセルであるか否かを、要求元のサービングセルに通知する。これによって、サービングセルは、ターゲットセルが自セルのＣｏＭＰコオペレーティングセット内のセルであるか否かを認識することができる。
【０９４６】
サービングセルは、ターゲットセルが自セルのＣｏＭＰコオペレーティングセット内のセルであるか否かを認識した後、再度、ターゲットセルを選択し直してもよい。これによって、ＣｏＭＰコオペレーティングセット内のＨＯを実行するか、ＣｏＭＰコオペレーティングセット間のＨＯを実行するかを、選択することが可能となる。したがって、ＨＯ対象となるＵＥの状態に適したＨＯ処理を行うことが可能となり、移動体通信システムとしてのスループットを向上することが可能となる。
【０９４７】
前記（１）の方法は、ターゲットセルに限らず、所望のセルがＣｏＭＰコオペレーティングセット内のセルであるか否かを認識する方法としても適用することできる。
【０９４８】
ＣｏＭＰコオペレーティングセット内に含まれるセルを認識しているエンティティを、セントラルエンティティとしたが、これに限らず、ＣｏＭＰコオペレーティングセット内に含まれるセルを認識しているエンティティ、ノード、あるいは装置に対して問い合わせるようにしてもよい。例えば、ＣｏＭＰコオペレーティングセット内に含まれるセルを認識しているノードが、ＯＡＭ（Operation Administration and Maintenance）である場合、ＯＡＭに対して問い合わせるようにすればよい。また、例えば、ＣｏＭＰコオペレーティングセット内に含まれるセルを認識しているエンティティが、セルユニファイドエンティティである場合、セルユニファイドエンティティに対して問い合わせるようにすればよい。ＣｏＭＰコオペレーティングセット内に含まれるセルを認識しているエンティティおよびノードが、セルユニファイドエンティティおよびＯＡＭではなく、ＭＭＥ、ｅＮＢ、およびＨｅＮＢ−ＧＷである場合も同様である。
【０９４９】
（２）サービングセルは、ターゲットセルに対してターゲットセルのＣｏＭＰコオペレーティングセットを問い合わせる。
【０９５０】
サービングセルは、ステップＳＴ１２１０３において、ターゲットセルを選択した後、選択したターゲットセルに、ターゲットセルのＣｏＭＰコオペレーティングセットを問い合わせるメッセージを通知する。ＭＭＥを介してターゲットセルに通知してもよい。このとき、サービングセルのセルアイデンティティも通知するとよい。これによって、ターゲットセルは、要求元のサービングセルを認識することができる。
【０９５１】
ＣｏＭＰコオペレーティングセットに、識別子を設けておくとよい。本識別子は、本変形例に限らず、ＣｏＭＰコオペレーティングセットを識別するための方法として用いることができる。また、各セルは、自セルがどのＣｏＭＰコオペレーティングセットに属しているかを認識しておくとよい。例えば、セントラルエンティティは、予め自セルがどのＣｏＭＰコオペレーティングセットに属しているかを、各セルに通知しておくとよい。
【０９５２】
ターゲットセルのＣｏＭＰコオペレーティングセットを問い合わせるメッセージの通知を受信したターゲットセルは、自セルの属するＣｏＭＰコオペレーティングセットの識別子を、サービングセルに通知する。ＭＭＥを介してサービングセルに通知してもよい。これによって、サービングセルは、ターゲットセルが自セルのＣｏＭＰコオペレーティングセット内のセルであるか否かを認識することができる。サービングセルは、ターゲットセルが自セルのＣｏＭＰコオペレーティングセット内のセルであるか否かを認識した後、再度、ターゲットセルを選択し直してもよい。
【０９５３】
（３）サービングセルは、ターゲットセルが自セルのＣｏＭＰコオペレーティングセットに属するか否かをターゲットセルに問い合わせる。
【０９５４】
サービングセルは、ステップＳＴ１２１０３において、ターゲットセルを選択した後、選択したターゲットセルに、自セルのＣｏＭＰコオペレーティングセットを通知する。具体的には、自セルのＣｏＭＰコオペレーティングセットの識別子を通知するとよい。ＭＭＥを介してターゲットセルに通知してもよい。このとき、サービングセルのセルアイデンティティも通知するとよい。これによって、ターゲットセルは、問合せ元のサービングセルを認識することができる。
【０９５５】
自セルのＣｏＭＰコオペレーティングセットの通知を受信したターゲットセルは、サービングセルのＣｏＭＰコオペレーティングセットの識別子から、該セットに属するか否かを判断する。ターゲットセルは、この判断結果を、要求元のサービングセルに通知する。これによって、サービングセルは、ターゲットセルが自セルのＣｏＭＰコオペレーティングセット内のセルであるか否かを認識することができる。サービングセルは、ターゲットセルが自セルのＣｏＭＰコオペレーティングセット内のセルであるか否かを認識した後、再度、ターゲットセルを選択し直してもよい。
【０９５６】
前記（２），（３）の方法は、ＨＯ処理を行うときに、ソースセル、ここではサービングセルからターゲットセルへ通知されるＨＯ要求メッセージおよびＨＯ要求応答メッセージを用いてもよい。
【０９５７】
前述の方法を実行することによって、サービングセルは、ターゲットセルがＣｏＭＰコオペレーティングセット内のセルであるか否かを認識することが可能となる。
【０９５８】
本実施の形態および変形例は適宜組合せて適用されてもよい。また、実施の形態および変形例は、ＵＥに対してＣｏＭＰを実行するか否かの判断に適用することも可能である。
【０９５９】
本発明で開示した方法は、適宜組合せて行うことができる。これによって、システムの状況に応じた制御を行うことが可能となる。
【０９６０】
以上の各実施の形態では、ＬＴＥ−ＡにおけるＣｏＭＰについて説明したが、本発明で開示した多地点協調送受信に関する技術は、他の移動体通信システム、あるいは異種通信システムにおいても適宜用いることが可能である。
【０９６１】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０９６２】
１４０１  ＲＲＭメジャメントセット、１４０２  ＣｏＭＰメジャメントセット、１４０３  ＣｏＭＰトランスミッションポイント、１６０１  ＣｏＭＰアクティブセット。
【図１】
2013111818.tif 000003
【図２】
2013111818.tif 000004
【図３】
2013111818.tif 000005
【図４】
2013111818.tif 000006
【図５】
2013111818.tif 000007
【図６】
2013111818.tif 000008
【図７】
2013111818.tif 000009
【図８】
2013111818.tif 000010
【図９】
2013111818.tif 000011
【図１０】
2013111818.tif 000012
【図１１】
2013111818.tif 000013
【図１２】
2013111818.tif 000014
【図１３】
2013111818.tif 000015
【図１４】
2013111818.tif 000016
【図１５】
2013111818.tif 000017
【図１６】
2013111818.tif 000018
【図１７】
2013111818.tif 000019
【図１８】
2013111818.tif 000020
【図１９】
2013111818.tif 000021
【図２０】
2013111818.tif 000022
【図２１】
2013111818.tif 000023
【図２２】
2013111818.tif 000024
【図２３】
2013111818.tif 000025
【図２４】
2013111818.tif 000026
【図２５】
2013111818.tif 000027
【図２６】
2013111818.tif 000028
【図２７】
2013111818.tif 000029
【図２８】
2013111818.tif 000030
【図２９】
2013111818.tif 000031
【図３０】
2013111818.tif 000032
【図３１】
2013111818.tif 000033
【図３２】
2013111818.tif 000034
【図３３】
2013111818.tif 000035
【図３４】
2013111818.tif 000036
【図３５】
2013111818.tif 000037
【図３６】
2013111818.tif 000038
【図３７】
2013111818.tif 000039
【図３８】
2013111818.tif 000040
【図３９】
2013111818.tif 000041
【図４０】
2013111818.tif 000042
【図４１】
2013111818.tif 000043
【図４２】
2013111818.tif 000044
【図４３】
2013111818.tif 000045
【図４４】
2013111818.tif 000046
【図４５】
2013111818.tif 000047
【図４６】
2013111818.tif 000048
【図４７】
2013111818.tif 000049
【図４８】
2013111818.tif 000050
【図４９】
2013111818.tif 000051
【図５０】
2013111818.tif 000052
【図５１】
2013111818.tif 000053
【図５２】
2013111818.tif 000054
【図５３】
2013111818.tif 000055
【図５４】
2013111818.tif 000056
【図５５】
2013111818.tif 000057
【図５６】
2013111818.tif 000058
【図５７】
2013111818.tif 000059
【図５８】
2013111818.tif 000060
【図５９】
2013111818.tif 000061
【図６０】
2013111818.tif 000062
【図６１】
2013111818.tif 000063
【図６２】
2013111818.tif 000064
【図６３】
2013111818.tif 000065
【図６４】
2013111818.tif 000066
【図６５】
2013111818.tif 000067
【図６６】
2013111818.tif 000068
【図６７】
2013111818.tif 000069
【図６８】
2013111818.tif 000070
【図６９】
2013111818.tif 000071
【図７０】
2013111818.tif 000072
【図７１】
2013111818.tif 000073
【図７２】
2013111818.tif 000074
【図７３】
2013111818.tif 000075
【図７４】
2013111818.tif 000076
【図７５】
2013111818.tif 000077
【国際調査報告】
2013111818.tif 000078
2013111818.tif 000079
2013111818.tif 000080
2013111818.tif 000081